(57)【要約】装置はマイクロ針を含んでおり、このマイクロ針はそれを通るルーメンを画定する。マイクロ針は、近位端部分、遠位端部分、及び近位端部分と遠位端部分との間のハブ部分を有する。近位端部分は、例えば、シリンジなどの薬剤容器に連結されるように構成される。近位端部分内のルーメンの部分は、第１の径を有する。遠位端部分は、標的組織を穿孔するように構成される。遠位端部分内のルーメンの部分は、第１の径よりも小さい第２の径を有する。ハブ部分は、遠位端部分が標的組織と共に配置されたときに標的組織と接触するように構成された表面を含む。【選択図】図５
2017524419.tif 000002
【特許請求の範囲】
【請求項１】
薬剤容器に連結されるように構成されたハブであって、通路を画定し、かつ標的組織の標的表面と接触するように構成された遠位端表面を有する、ハブと、
前記ハブの前記通路内に連結された穿刺部材であって、前記穿刺部材は、前記ハブが前記薬剤容器に連結されたときに、前記薬剤容器と流体連通する、それを通るルーメンを画定し、前記穿刺部材の遠位端部分は、前記ハブの前記遠位端表面から遠位に延在し、前記穿刺部材の近位端部分は、第１の内径を画定し、前記穿刺部材の前記遠位端部分は、第２の内径を画定し、前記第２の径は、前記第１の径よりも小さい、穿刺部材と、を備える、装置。
【請求項２】
前記標的組織は、眼であり、前記標的表面は、前記眼の結膜または前記眼の強膜のうちのいずれか１つである、請求項１に記載の装置。
【請求項３】
前記ハブの前記遠位端表面は、前記標的表面と実質的に流体密封の封止を画定するように構成された封止部分であって、前記穿刺部材の中心線を取り囲む、封止部分を含む、請求項１に記載の装置。
【請求項４】
前記穿刺部材は、マイクロ針であり、前記ハブの前記遠位端表面から遠位に延在する前記マイクロ針の前記遠位端部分の長さは、約２００ミクロン〜約１５００ミクロンである、請求項１に記載の装置。
【請求項５】
前記穿刺部材は、マイクロ針であり、前記第２の内径は、３０ゲージ以下であり、前記マイクロ針の前記遠位端部分は、傾斜した表面を含む、請求項１に記載の装置。
【請求項６】
前記ハブに連結された前記薬剤容器であって、ＶＥＧＦ、ＶＥＧＦ阻害剤、またはこれらの組み合わせのうちの少なくとも１つを収容する、薬剤容器を更に備える、請求項１に記載の装置。
【請求項７】
前記穿刺部材は、マイクロ針であり、前記装置は、
前記ハブに連結された前記薬剤容器であって、前記薬剤容器は、少なくとも約１００センチポアズの粘度を有する薬剤を収容し、前記薬剤容器は、その中に配置された作動ロッドを含み、それにより前記薬剤容器内での前記作動ロッドの移動が、前記マイクロ針の前記ルーメンを通して前記薬剤を運搬する、前記薬剤容器を更に備え、
前記第２の内径は、３０ゲージ以下であり、前記マイクロ針の前記遠位端部分の長さは、約６Ｎ未満の力が前記作動ロッド上にかけられたときに、前記薬剤が前記ルーメンを通じて運搬されるようなものである、請求項１に記載の装置。
【請求項８】
前記薬剤は、少なくとも約１０００センチポアズの粘度を有する、請求項７に記載の装置。
【請求項９】
少なくとも約１００センチポアズの粘度を有する薬剤を収容する薬剤容器であって、その中に配置された作動ロッドを含む、薬剤容器と、
前記薬剤容器に連結されるように構成されたハブであって、通路を画定し、かつ標的組織の標的表面と接触するように構成された遠位端表面を有する、ハブと、
前記ハブの前記通路内に連結されたマイクロ針であって、前記マイクロ針は、前記ハブが前記薬剤容器に連結されたときに前記薬剤容器と流体連通するルーメンを画定し、前記マイクロ針の遠位端部分は、前記ハブの前記遠位端表面から遠位に延在し、前記マイクロ針の前記遠位端部分は、３０ゲージ以下である内径を画定し、前記マイクロ針の前記遠位端部分の長さは、約６Ｎ未満の力が前記作動ロッド上にかけられたときに、前記薬剤が前記ルーメンを通じて運搬されるようなものである、マイクロ針と、を備える、装置。
【請求項１０】
前記マイクロ針の前記遠位端部分の前記長さは、前記マイクロ針の全体の長さよりも短い、請求項９に記載の装置。
【請求項１１】
前記マイクロ針の前記遠位端部分の前記長さは、約２００ミクロン〜約１５００ミクロンである、請求項９に記載の装置。
【請求項１２】
前記標的組織は、眼であり、前記標的表面は、前記眼の結膜または前記眼の強膜のうちのいずれか１つである、請求項９に記載の装置。
【請求項１３】
前記薬剤は、少なくとも約１０００センチポアズの粘度を有する、請求項９に記載の装置。
【請求項１４】
薬剤を収容する薬剤容器であって、前記薬剤容器は、その中に配置された弾性部材を含み、それにより前記弾性部材の移動が、前記薬剤容器内で前記薬剤を運搬する、薬剤容器と、
前記薬剤容器に連結されるように構成されたハブと、
前記ハブを介して前記薬剤容器に連結されるように構成された針であって、前記針は、前記薬剤容器と流体連通するルーメンを画定し、前記針の遠位端部分は、３０ゲージ以下である内径を画定し、前記針の前記遠位端部分の長さは、約２００ミクロン〜約１５００ミクロンであり、前記針の近位端部分は、２７ゲージ以上である内径を画定し、前記針は、前記近位端部分と前記遠位端部分との間の遷移部分を含み、前記遷移部分の外側表面は、注入事象中に標的組織の標的表面と接触するように構成される、針と、を備える、装置。
【請求項１５】
前記遷移部分の前記外側表面は、円錐形状を有する、請求項１４に記載の装置。
【請求項１６】
前記遷移部分の前記外側表面は、湾曲した凸形状を有する、請求項１４に記載の装置。
【請求項１７】
前記針は、モノリシックに構築され、
前記遷移部分の前記外側表面は、湾曲した凸形状を有し、
前記遷移部分を超えて延在する前記針の前記遠位端部分の長さは、約２００ミクロン〜約１５００ミクロンである、請求項１４に記載の装置。
【請求項１８】
前記針は、モノリシックに構築され、
前記遷移部分の前記外側表面は、湾曲した凸形状を有し、前記外側表面は、前記標的組織の前記標的表面と封止を形成するように構成される、請求項１４に記載の装置。
【請求項１９】
前記薬剤は、少なくとも約１００ポアズの粘度を有し、
前記針は、約６Ｎ未満の力が前記弾性部材上にかけられたときに、前記薬剤が前記ルーメンを通じて運搬されるように構成される、請求項１４に記載の装置。
【請求項２０】
前記弾性部材と接触する作動装置ロッドであって、前記力を受けて前記弾性部材を移動させるように構成される、作動装置ロッドを更に備える、請求項１９に記載の装置。
【請求項２１】
薬剤容器アセンブリと、
薬剤容器アセンブリと流体連通する針と、
前記薬剤容器アセンブリの遠位端部分に動作可能に連結されるように構成されたハブであって、第１の通路を画定し、かつ標的組織の標的表面と接触するように構成された遠位端表面を有する、ハブと、
前記ハブと前記薬剤容器アセンブリの前記遠位端部分との間に配置された圧縮可能部材であって、前記圧縮可能部材は、第２の通路を画定し、前記第１の通路及び前記第２の通路は、それを通して前記針の少なくとも一部分を受容するように整列され、前記圧縮可能部材は、前記薬剤容器アセンブリ上にかけられる力に応答して、前記圧縮可能部材の厚さが第１の厚さから第２の厚さに低減するように圧縮されるように構成される、圧縮可能部材と、を備える、装置。
【請求項２２】
前記針の遠位端部分は、前記圧縮可能部材が圧縮されたときに、前記ハブの前記遠位端表面から遠位に延在する、請求項２１に記載の装置。
【請求項２３】
前記針の遠位端部分は、前記圧縮可能部材が前記第１の厚さを有するときに、前記ハブの前記遠位端表面から第１の長さだけ遠位に延在し、前記針の前記遠位端部分は、前記圧縮可能部材が前記第２の厚さを有するときに、前記ハブの前記遠位端表面から第２の長さだけ遠位に延在する、請求項２１に記載の装置。
【請求項２４】
前記第２の長さは、約２００ミクロン〜約１５００ミクロンである、請求項２３に記載の装置。
【請求項２５】
前記ハブまたは前記薬剤容器アセンブリのうちの少なくとも１つは、前記薬剤容器アセンブリ上に前記力がかけられたときに、前記圧縮可能部材の圧縮を制限するように構成された停止機構を含む、請求項２１に記載の装置。
【請求項２６】
前記標的組織は、眼であり、前記標的表面は、前記眼の結膜または前記眼の強膜のうちのいずれか１つである、請求項２１に記載の装置。
【請求項２７】
前記ハブの前記遠位端表面は、前記標的表面と実質的に流体密封の封止を画定するように構成された封止部分であって、前記穿刺部材の中心線を取り囲む、封止部分を含む、請求項２１に記載の装置。
【請求項２８】
前記圧縮可能部材は、ゴム、シリコーン、ヒドロゲル、ゾルゲル、発泡体、スポンジ、またはエアロゲルのうちの少なくとも１つから構築される、請求項２１に記載の装置。
【請求項２９】
前記圧縮可能部材は、ばねを含む、請求項２１に記載の装置。
【請求項３０】
前記力は、約６Ｎ未満であり、
前記圧縮可能部材は、前記力に応答して前記第１の厚さから前記第２の厚さに約３００ミクロンだけ圧縮されるように構成される、請求項２１に記載の装置。
【発明の詳細な説明】
【技術分野】
【０００１】
関連出願の相互参照
本出願は、２０１４年８月１１日に出願された「Ａｐｐａｒａｔｕｓ  ａｎｄ  Ｍｅｔｈｏｄｓ  ｆｏｒ  Ｃｏｎｔｒｏｌｌｉｎｇ  ｔｈｅ  Ｉｎｓｅｒｔｉｏｎ  Ｄｅｐｔｈ  ｏｆ  ａ  Ｎｅｅｄｌｅ」と題される米国仮特許出願第６２／０３５，６８２号、及び２０１４年６月２０日に出願された「Ｖａｒｉａｂｌｅ  Ｄｉａｍｅｔｅｒ  Ｃａｎｎｕｌａ  ｆｏｒ  Ｍｅｄｉｃａｍｅｎｔ  Ｄｅｌｉｖｅｒｙ」と題される米国仮特許出願第６２／０１４，７６６号に対する優先権及びその利益を主張し、それらの各々はその全体が参照により本明細書に援用される。
【０００２】
本明細書に説明される実施形態は、概して眼科療法の分野に関し、より具体的には、眼の治療のために眼組織内へ及び／または眼組織から流体治療剤などの物質を送達及び／または除去するためのマイクロ針の使用に関する。
【背景技術】
【０００３】
経皮及び眼内薬物送達において針が使用されているが、特に眼の後方領域内への物質（例えば、薬物）の送達に関して、改良されたマイクロ針デバイス及び方法の必要性が残っている。眼の後方領域（または他の領域）における多くの炎症性及び増殖性疾患は、長期的な薬理学的治療を必要とする。かかる疾患の例としては、黄斑変性症、糖尿病性網膜症、及びブドウ膜炎が挙げられる。従来的な送達方法を使用して眼の背部に有効用量の薬物を送達することは困難なことが多く、例えば、局所適用または硝子体内投与（ＩＶＴ）は有効性が乏しく、全身投与は多くの場合顕著な副作用を引き起こす。例えば、点眼薬は、眼の外部表面または眼の前部の組織に影響を及ぼす病状の治療に有用であるが、点眼薬は、上記に列挙された網膜疾患のうちのいくつかの治療に必要とされ得るほど十分には眼の背部に運搬されないことが多い。
【０００４】
全身的に送達される物質の利用に関しては、過去１０年間に前進が見られるが、かかる方法の広範な適合には障害が存在する。例えば、特定の状況では、従来的な２７ゲージまたは３０ゲージ針及び注入器を使用した眼内（例えば、硝子体内）への直接注入が有効であり得る。しかしながら、直接注入は、顕著な安全上の危険性に関連付けられ得、医師は、かかる方法を有効に実施するために専門的な訓練を必要とすることが多い。更に、いくつかの例では、治療剤の標的指向注入が望ましい。しかしながら、かかる例では、比較的小さい眼の解剖学的構造は、既知のデバイス及び方法を使用した標的場所での針の定置において著しい困難をもたらすことが多く、特に、針の遠位端を眼内の所望の深さに定置する際につきものである。更に、ＩＶＴ投与は、増加された眼圧またはより速い白内障形成の開始などの副作用を有し得る。
【０００５】
それに加えて、眼内への薬物の直接注入の多くの既知の方法は、針またはカニューレを眼の表面に対して鋭角で挿入することを含み、それは挿入の深さの制御を困難にし得る。例えば、いくつかのかかる方法は、注入された物質が特定の場所で針から出るように針の角度配向を制御することを含む。更に、眼組織内に物質を注入するいくつかの既知の方法は、複雑な可視化システムまたはセンサを使用して針またはカニューレの定置を制御することを含む。
【０００６】
眼への注入用の既知のデバイスは、針が眼内の所望の深さまで挿入され得るように針の長さを調節するための機構を提供しない。既知のシステムはまた、針先端が所望の深さ、例えば、眼の脈絡膜上腔（ＳＣＳ）内にあるときを決定するための信頼性のある機構を提供しない。眼内に含まれる種々の層のサイズ及び厚さは、人により実質的に変動し得るため、既知のシステム及び方法におけるかかる欠点は悪化する。例えば、結膜及び強膜の厚さは実質的に異なり得、それらの真の値は、標準的な技術によって容易には事前決定され得ない。更に、これらの層の厚さはまた、眼の異なる部分において、ならびに同一の眼及び場所で１日のうちの異なる時間帯において異なり得る。したがって、既知のシステム及び方法を使用すると、針の先端が所望の深さ、例えば、ＳＣＳにあるように、眼を穿刺するために針の長さを決定及び／または調節することは困難であり得る。短すぎる針は強膜を貫通しない場合があり、長すぎる針はＳＣＳを超えて、眼の網膜を損傷し得る。更に、既知のシステムは、眼内の針先端の位置を検出するための都合のよい方法を提供しない。
【０００７】
眼内注入に関連付けられる感受性（例えば、組織の感受性、眼圧に対する潜在的影響など）のため、多くの既知のシステムは、手動注入を含み、小さい径（例えば、２７ゲージ、３０ゲージ、または更にはより小さい）及び１２ｍｍ、１５ｍｍ、または更にはそれ以上の長さを有する針及び／またはカニューレを使用することが多い。より具体的には、多くの既知のデバイス及び方法は、使用者が手動で（例えば、プランジャーを指で押すことにより）力を印加して、流体（例えば、薬物）を眼内に発射することを含む。小さい針サイズ及び／または注入される薬物の特徴のため、いくつかのかかるデバイス及び方法は、使用者が印加するのに快適な力よりも高い力レベルの使用を含む。例えば、いくつかの研究は、使用者は概して、眼への注入中に目に対して２Ｎ超の力を印加することを好まないことを示している。したがって、特定の状況では、使用者は、薬剤を完全に発射するための力を印加することを嫌がるために既知のシステム及び方法を使用して薬剤を適切に送達できない場合がある。
【０００８】
更に、眼の異なる標的層内への注入は、針の挿入及び／または薬剤の注入に必要な力の量の変動を引き起こし得る。眼の異なる層は、異なる密度を有し得る。例えば、強膜は概して、結膜またはＳＣＳよりも高い密度を有する。標的領域または層の密度の差異は、針出口、即ち流体が出てくる針先端に対して異なる背圧を生み出し得る。したがって、強膜などの比較的高密度の眼の物質内への注入は、薬剤を針から発射するために、薬剤をＳＣＳ内に注入する際に必要とされるものよりも多くの駆動圧を必要とする。
【０００９】
更に、薬剤を発射するための注入力はまた、液体薬剤の密度及び粘度、針の長さ、ならびに／または針の径に依存する。所望の針（例えば、２７ゲージ、３０ゲージ、または更にはより小さい）を介して眼内に特定の薬剤を注入することは、多くの施術者が印加するのに快適である（または印加することが可能な）ものよりも多くの力を必要とし得る。
【００１０】
したがって、粘性の薬剤の眼組織内への注入を促進するのを助け得る改良されたデバイス及び方法の必要が存在する。
【発明の概要】
【課題を解決するための手段】
【００１１】
いくつかの実施形態では、装置はマイクロ針を含んでおり、このマイクロ針はそれを通るルーメンを画定する。マイクロ針は、近位端部分、遠位端部分、及び近位端部分と遠位端部分との間のハブ部分を有する。近位端部分は、例えば、シリンジなどの薬剤容器に連結されるように構成される。近位端部分内のルーメンの部分は、第１の径を有する。遠位端部分は、標的組織を穿孔するように構成される。遠位端部分内のルーメンの部分は、第１の径よりも小さい第２の径を有する。ハブ部分は、遠位端部分が標的組織と共に配置されたときに標的組織と接触するように構成された表面を含む。
【図面の簡単な説明】
【００１２】
【図１】ヒトの眼の図の断面図である。
【図２】線２−２に沿って取られた図１の人の眼の一部分の断面図である。
【図３】線３−３に沿って取られた図１の人の眼の一部分の断面図であり、それぞれ、流体の存在を伴う及び伴わない脈絡膜上腔を例示する。
【図４】線３−３に沿って取られた図１の人の眼の一部分の断面図であり、それぞれ、流体の存在を伴う及び伴わない脈絡膜上腔を例示する。
【図５】実施形態に従う、作動ロッド及びマイクロ針を含む装置の概略図である。
【図６】実施形態に従う、マイクロ針の断面図である。
【図７】実施形態に従う、医療用注入器の斜視図である。
【図８】図７の医療用注入器の分解図である。
【図９】図７の針アセンブリの分解図である。
【図１０】線１０−１０に沿って取られた図９の針アセンブリの断面図である。
【図１１Ａ】実施形態に従う、針アセンブリの分解図である。
【図１１Ｂ】組立構成にある図１１Ａの針アセンブリの側面図である。
【図１１Ｃ】組立構成にある図１１Ａの針アセンブリの断面図である。
【図１２】実施形態に従う、医療用注入器、圧縮可能部材、及びハブを含む装置の概略図である。
【図１３】第１の構成にある図１２の装置の側断面図である。
【図１４】第２の構成にある図１２の装置の側断面図である。
【図１５】第３の構成にある図１２の装置の側断面図である。
【図１６】実施形態に従う、第１の構成にある医療用注入器、圧縮可能部材、ハブ、及び停止機構を含む装置の一部分の側断面図である。
【図１７】第２の構成にある図１６の装置の側断面図である。
【発明を実施するための形態】
【００１３】
本明細書に説明される実施形態は、眼の強膜内へ流体（例えば、薬物）を送達する、または眼の強膜から流体を抽出するためのシステム及びデバイスに関する。更に、本明細書に説明される実施形態は、眼組織内へ粘性の薬剤を運搬するように構成されたマイクロ針及び／または送達カニューレに関する。本明細書に説明される実施形態はまた、例えば、眼の後方領域などの眼内に（例えば、脈絡膜上腔を介して）治療剤を送達するために、例えば、マイクロ針などの送達部材の挿入深さを制御するためのシステム、デバイス、及び方法に関する。本明細書に説明される実施形態はまた、例えば、マイクロ針などの送達部材の眼内への挿入によって形成される送達通路の周りに実質的に流体密封の封止を形成して、挿入部位からの物質及び／または眼流体の漏出を防止するように構成されたマイクロ針及び／または送達カニューレに関する。
【００１４】
いくつかの実施形態では、本明細書に説明される実施形態に含まれるマイクロ針は、遠位先端に斜角を含み、それは、付随する損傷を最小限にしながら強膜及び／または脈絡膜上腔内への貫通の容易性を可能にする。更に、いくつかの実施形態では、本明細書に開示されるマイクロ針は、マイクロ針の挿入によって引き起こされる針跡の径を最小にしながら脈絡膜上の薬物送達を可能にするために、狭いルーメン（例えば、３０ゲージ、３２ゲージ、３４ゲージ、３６ゲージ以上のゲージサイズなど）を画定し得る。いくつかの実施形態では、本明細書に説明されるマイクロ針のルーメンと斜角のアスペクト比は、眼内注入のための現在一般的に使用されている標準的な２７ゲージ及び３０ゲージ針とは区別される。例えば、本明細書に説明される実施形態に含まれるマイクロ針は、２０１３年８月２７日に出願された「Ａｐｐａｒａｔｕｓ  ａｎｄ  Ｍｅｔｈｏｄｓ  ｆｏｒ  Ｄｒｕｇ  Ｄｅｌｉｖｅｒｙ  Ｕｓｉｎｇ  Ｍｉｃｒｏｎｅｅｄｌｅｓ」と題される国際特許出願公開第ＷＯ２０１４／０３６００９号に説明されるもののいずれかであり得、その開示はその全体が参照により本明細書に援用される（これ以降「’００９ＰＣＴ出願」と称する）。
【００１５】
いくつかの実施形態では、装置はマイクロ針を含んでおり、このマイクロ針はそれを通るルーメンを画定する。マイクロ針は、近位端部分、遠位端部分、及び近位端部分と遠位端部分との間のハブ部分を有する。近位端部分は、例えば、シリンジなどの薬剤容器に連結されるように構成される。近位端部分内のルーメンの部分は、第１の径を有する。遠位端部分は、標的組織を穿孔するように構成される。遠位端部分内のルーメンの部分は、第１の径よりも小さい第２の径を有する。ハブ部分は、遠位端部分が標的組織と共に配置されたときに標的組織と接触するように構成された表面を含む。
【００１６】
いくつかの実施形態では、装置はマイクロ針を含んでおり、このマイクロ針はそれを通るルーメンを画定する。マイクロ針は、近位端部分、遠位端部分、及び近位端部分と遠位端部分との間のハブ部分を有する。ハブ部分内のルーメンの部分は、ルーメンの長手方向軸に沿って変化する径によって特徴付けられる。言い換えると、ルーメンの径は、近位端部分における第１の径から遠位端部分における第２のより小さい径へとハブ部分内で変動する。マイクロ針のハブ部分は、物質が針を通して標的組織内へ運搬されるときに標的組織の標的表面と接触されるように構成された凸状の遠位端表面を有する。いくつかの実施形態では、遠位端表面は、遠位端表面が標的表面と接触しているときに標的表面と実質的に流体密封の封止を画定するように構成された封止部分を含む。
【００１７】
いくつかの実施形態では、方法は、医療用注入器の針の遠位端部分を標的組織に挿入して、標的組織内に送達通路を画定することを含む。その後、針の凸状ハブ表面を標的組織の標的表面と接触して定置して、送達通路を流体的に隔離することが続く。次に、本方法は、定置した後に、針を介して物質を標的組織内に運搬することを含む。運搬することは、第１の径を有する針の近位端部分及び第２の径を有する針の遠位端部分を通して物質を運搬することを含む。いくつかの実施形態では、標的組織は眼であり、標的表面は眼の結膜である。いくつかの実施形態では、送達通路は、眼の強膜を通って延在し、運搬することは、脈絡膜上腔または強膜の下部のうちの少なくとも１つの内に物質を運搬することを含む。かかる実施形態では、本方法は、運搬する前に、ハブの遠位端表面から延在する針の長さを調節することを更に含み得る。
【００１８】
いくつかの実施形態では、方法は、医療用注入器の針の遠位端部分を標的組織に挿入して、標的組織内に送達通路を画定することを含む。挿入することは、針の中心線が標的組織の標的表面に実質的に垂直であるように実施される。その後、針のハブの遠位端表面を標的組織の標的表面と接触して定置して、送達通路を流体的に隔離することが続く。次に、本方法は、定置した後に、針を介して物質を標的組織内に運搬することを含む。いくつかの実施形態では、送達は、送達通路の中心線と標的表面に接する表面線とが約７５度〜約１０５度の入射角を画定するように実施される。
【００１９】
いくつかの実施形態では、装置は、ハブ及び穿刺部材を含む。ハブは、薬剤容器に連結されるように構成される。ハブの遠位端表面は、標的組織の標的表面と接触するように構成される。穿刺部材は、ハブの通路内に連結される。ハブが薬剤容器に連結されたとき、穿刺部材は、薬剤容器と流体連通する、それを通るルーメンを画定する。穿刺部材の遠位端部分は、ハブの遠位端表面から遠位に延在する。穿刺部材の近位端部分は、第１の内径を画定し、穿刺部材の遠位端部分は、第２の内径を画定する。第２の内径は、第１の内径よりも小さい。
【００２０】
いくつかの実施形態では、装置は、薬剤容器、ハブ、及びマイクロ針を含む。薬剤容器は、少なくとも約１００センチポアズの粘度を有する薬剤を収容する。作動ロッドは、薬剤容器内に配置される。ハブは、薬剤容器に連結するように構成される。ハブは、通路を画定する。ハブの遠位端表面は、標的組織の標的表面と接触するように構成される。マイクロ針は、ハブの通路内に連結される。ハブが薬剤容器に連結されたとき、マイクロ針は、薬剤容器と流体連通するルーメンを画定する。マイクロ針の遠位端部分は、ハブの遠位端表面から遠位に延在する。マイクロ針の遠位端部分は、３０ゲージ以下である内径を画定する。約６Ｎ未満の力が作動ロッド上にかけられたときに、薬剤がルーメンを通じて運搬されるようなものであるマイクロ針の遠位端部分の長さ。いくつかの実施形態では、長さは、約６Ｎ未満の力が作動ロッド上にかけられたときに、薬剤が約０．１μＬ／秒〜約１０μＬ／秒の流速でルーメンを通じて運搬されるようなものである。いくつかの実施形態では、長さは、薬剤が少なくとも約１．０μＬ／秒の流速でルーメンと通じて運搬されるようなものである。
【００２１】
いくつかの実施形態では、装置は、薬剤容器、ハブ、及び針を含む。薬剤容器は、薬剤を収容し、その中に配置された弾性部材を含み、それにより弾性部材の移動が薬剤容器内で薬剤を運搬する。ハブは、薬剤容器に連結するように構成される。針は、ハブを介して薬剤容器に連結されるように構成される。針は、薬剤容器と流体連通するルーメンを画定する。針の遠位端部分は、３０ゲージ以下である内径を画定し、約２００ミクロン〜約１５００ミクロンの長さを有する。針の近位端部分は、２７ゲージ以上である内径を画定する。針は、近位端部分と遠位端部分との間の遷移部分を含む。注入事象中に標的組織の標的表面と接触するように構成された遷移部分の外側表面。
【００２２】
いくつかの実施形態では、装置は、薬剤容器アセンブリ、針、ハブ、及び圧縮可能部材を含む。針は、薬剤容器アセンブリと流体連通する。ハブは、薬剤容器アセンブリの遠位端部分に動作可能に連結されるように構成される。ハブは、第１の通路を画定する。ハブの遠位端表面は、標的組織の標的表面と接触するように構成される。圧縮可能部材は、ハブと薬剤容器アセンブリの遠位端部分との間に配置される。圧縮可能部材は、第２の通路を画定し、第１の通路及び第２の通路は、それを通して針の少なくとも一部分を受容するように整列される。圧縮可能部材は、薬剤容器アセンブリ上にかけられる力に応答して、圧縮可能部材の厚さが第１の厚さから第２の厚さに低減するように圧縮されるように構成される。
【００２３】
本明細書で使用するとき、単数形「ａ」、「ａｎ」、及び「ｔｈｅ」は、文脈が明白にそうではないと指示しない限り、複数の指示対象を含む。したがって、例えば、用語「部材（ａ  ｍｅｍｂｅｒ）」は、単一の部材または部材の組み合わせを意味することを意図され、「材料（ａ  ｍａｔｅｒｉａｌ）」は、１つ以上の材料、またはこれらの組み合わせを意味することを意図される。
【００２４】
本明細書で使用するとき、語「近位」及び「遠位」は、それぞれ、医療用デバイスを患者内に挿入するであろう操作者（例えば、外科医、医師、看護師、技術者など）にとって、デバイスの先端側の端（即ち、遠位端）が患者の体内に初めに挿入される状態で、より近い、及び離れた方向を指す。したがって、例えば、患者の体内に初めに挿入される本明細書に説明されるマイクロ針の端部は、遠位端となり、マイクロ針の反対側の端部（例えば、操作者によって操作されている医療用デバイスの端部）は、マイクロ針の近位端となるであろう。
【００２５】
本明細書で使用するとき、「セット」は、複数の特徴または複数の部品を有する単一の特長を指し得る。例えば、壁のセットについて述べるとき、その壁のセットは別個の部分を有する１つの壁と見なされ得るか、またはその壁のセットは複数の壁と見なされ得る。
【００２６】
本明細書で使用するとき、用語「約」及び「およそ」は、概して示される値のプラスまたはマイナス１０％を意味する。例えば、約０．５は、０．４５及び０．５５を含み、約１０は、９〜１１を含み、約１０００は、９００〜１１００を含むであろう。
【００２７】
本明細書で使用するとき、用語「送達部材」、「穿刺部材」、及び「穿刺する部材」は、互換的に使用されて、組織層を穿孔し、標的組織層に物質を送達するように構成された物品、例えば、針またはマイクロ針などを指す。
【００２８】
本明細書で使用するとき、用語「薬剤容器」、及び「薬剤収容チャンバ」は、互換的に使用されて、ある体積の物質、例えば、薬剤などを収容するように構成された物品を指す。
【００２９】
用語「流体密封の」は、密閉封止（即ち、気体不浸透性の封止）及び液体不浸透性の封止の両方を包含するように理解される。用語「実質的に」は、「流体密封の」、「気体不浸透性」、及び／または「液体不浸透性」と共に使用されるとき、完全な流体不浸透性が望ましくはあるものの、製造上の公差または他の実践的な考慮事項（例えば、封止に印加される、及び／または流体内部の圧力など）によるいくらかの最小限の漏出が「実質的に流体密封の」封止内にさえ生じ得るということを伝えることを意図される。したがって、「実質的に流体密封の」封止は、封止が一定の位置ならびに約５ｐｓｉｇ未満、約１０ｐｓｉｇ未満、約２０ｐｓｉｇ未満、約３０ｐｓｉｇ未満、約５０ｐｓｉｇ未満、約７５ｐｓｉｇ未満、約１００ｐｓｉｇ未満、及びその間の全ての値の流体圧に維持されるときに、それを通る流体（気体、液体、及び／またはスラリーを含む）の通過を防止する封止を含む。同様に、「実質的に液体密封の」封止は、封止が一定の位置ならびに約５ｐｓｉｇ未満、約１０ｐｓｉｇ未満、約２０ｐｓｉｇ未満、約３０ｐｓｉｇ未満、約５０ｐｓｉｇ未満、約７５ｐｓｉｇ未満、約１００ｐｓｉｇ未満、及びその間の全ての値の液体圧に維持されるときに、それを通る液体（例えば、液体薬剤）の通過を防止する封止を含む。
【００３０】
本明細書に説明される実施形態及び方法は、眼内の種々の標的組織を治療する、それらに物質を送達する、及び／またはそれらから物質を吸引するために使用され得る。参照のために、図１〜４は、ヒトの眼１０の種々の図である（図２〜４は断面図である）。具体的な領域が特定されているが、当業者は、続行する（ｐｒｏｃｅｅｄｉｎｇ）特定された領域は、眼１０の全体を構成するのではなく、むしろ特定された領域は、本明細書における実施形態の考察に好適な単純化された例として提示されることを認識するであろう。眼１０は、前区１２（水晶体の前側の眼の部分であり、水晶体を含む）と後区１４（水晶体の後ろ側の眼の部分）との両方を含む。前区１２は、角膜１６及び水晶体１８によって結合され、後区１４は、強膜２０及び水晶体１８によって結合される。前区１２は更に、虹彩２４と角膜１６との間の前房２２、及び水晶体１８と虹彩２４との間の後房２６に分けられる。角膜１６及び強膜２０は、それらがぶつかる点で縁３８を集合的に形成する。眼の前区１２上の強膜２０の露出された部分は、結膜４５と称される透明な膜によって保護されている（例えば、図２及び３を参照）。下部の強膜２０は、脈絡膜２８及び網膜２７であり、集合的に網膜脈絡膜（ｒｅｔｉｎａｃｈｏｒｏｉｄａｌ）組織と称される。硝子体液３０（「硝子体」とも称される）は、毛様体３２（毛様筋及び毛様体突起を含む）と網膜２７との間に配置される。網膜２７の前部分は、鋸状縁３４を形成する。脈絡膜２８と強膜２０との間の疎性結合組織、または潜在的腔は、上脈絡膜層（ｓｕｐｒａｃｈｏｒｏｉｄ）と称される。図２は、角膜１６を例示し、これは、上皮４０、ボーマン膜４１、間質４２、デスメ膜４３、及び内皮４４からなる。図３は、脈絡膜上腔３６中に流体及び／または組織分離を実質的に有さない、強膜２０とその周囲のテノン嚢４６または結膜４５、脈絡膜上腔３６、脈絡膜２８、及び網膜２７を例示する（即ち、この構成では、該腔は「潜在的な」脈絡膜上腔である）。図３に示される通り、強膜２０は、約５００μｍ〜７００μｍの厚さを有する。図４は、脈絡膜上腔３６中に流体５０を有する、膜２０とその周囲のテノン嚢４６または結膜４５、脈絡膜上腔３６、脈絡膜２８、及び網膜２７を例示する。
【００３１】
本明細書で使用するとき、用語「脈絡膜上腔」、または上脈絡膜層と同義であるＳＣＳ、または脈絡上板は、強膜２０と脈絡膜２８との間に配置された眼１０の領域内の腔（または体積）及び／または潜在的な腔（または潜在的な体積）を説明する。この領域は主に、２つの隣接する組織の各々に由来する長い色素突起のぎっしりと詰まった層からなるが、しかしながら、脈絡膜上腔及び隣接する組織内の流体または他の材料の蓄積のため、この領域内に腔が生じることがある。脈絡膜上腔は、眼内の何らかの疾患状態による、または何らかの外傷もしくは外科的介入による流体蓄積によって拡張され得る。いくつかの実施形態では、流体蓄積は、上脈絡膜層内へ薬物製剤を送達、注入、及び／または輸液して、（即ち、その中に薬物製剤を配置することによって）更なる脈絡膜上腔３６を作成及び／または拡張することによって、意図的に作成される。この体積は、ブドウ膜強膜路（即ち、眼のある領域から他の領域へ流体を移動させる眼の自然のプロセス）のための通路として機能することもあり、また強膜からの脈絡膜剥離の場合には腔になることもある。
【００３２】
図１内の点線は、眼１０の赤道を表す。いくつかの実施形態では、本明細書に説明されるマイクロ針及び／または方法のうちのいずれかの挿入部位は、赤道と縁３８との間である（即ち、眼１０の前部分１２内）。例えば、いくつかの実施形態では、挿入部位は、縁３８の約２ミリメートル後方〜１０ミリメートル（ｍｍ）後方の間である。他の実施形態では、マイクロ針の挿入部位は、眼１０の赤道の周りである。また他の実施形態では、挿入部位は、眼１０の赤道の後方である。この様式で、薬物製剤は、挿入の部位にて（例えば、マイクロ針を介して）脈絡膜上腔３６内に導入され得、輸液事象中（例えば、注入中）に挿入の部位から脈絡膜上腔３６を通して流れ得る。
【００３３】
いくつかの実施形態では、眼への注入のためのシステムは、薬剤容器と、薬剤容器中に配置された物質の標的組織、例えば、ＳＣＳなどへの送達を促進するカニューレ（マイクロ針とも称される）とを含み得る。例えば、図５は、実施形態に従うシステム１００を示す。システム１００は、作動ロッド１２０、プラグ１２８（または弾性部材）、薬剤容器１３０、及びマイクロ針１４０を含む。システム１００は、本明細書に説明される通り、例えば、患者の眼などの標的場所の領域及び／または層へ（例えば、眼のＳＣＳへ）薬剤を送達するように構成され得る。
【００３４】
作動ロッド１２０は、近位端部分１２２及び遠位端部分１２４を含む。近位端部分１２２は、本明細書に説明される通り、力Ｆ（例えば、使用者によって手動で印加される力）を受容して、薬剤Ｍの注入を促進するように構成される。いくつかの実施形態では、システム１００は、力Ｆの生成を補助するように構成された作動ロッド１２０に動作可能に接続された注入補助アセンブリ（図５には示されていない）を含み得る。かかる実施形態では、注入補助アセンブリは、力Ｆの少なくとも一部を生成して、薬剤容器１３０内で作動ロッド１２０を移動させ得る。いくつかの実施形態では、注入補助アセンブリは、螺旋ばね、圧縮、拡張、ばね座金、皿ばね、テーパー型、任意の他の種類のばねなどのエネルギー貯蔵部材を含み得る。他の実施形態では、注入補助アセンブリは、圧縮ガス容器、または推進剤収容容器を含んでもよい。注入補助アセンブリは、２０１４年５月２日に出願された「Ａｐｐａｒａｔｕｓ  ａｎｄ  Ｍｅｔｈｏｄｓ  ｆｏｒ  Ｏｃｕｌａｒ  Ｉｎｊｅｃｔｉｏｎ」と題される米国特許出願第１４／２６８，６８７号に説明されるもののいずれかであり得、その開示はその全体が参照により本明細書に援用される。
【００３５】
作動ロッド１２０の遠位端部分１２４は、薬剤容器１３０内に配置される。遠位端部分１２４は、薬剤容器１３０によって画定される内部体積内に配置された物質Ｍ（例えば、薬剤、例えば、ＶＥＧＦ、ＶＥＧＦ阻害剤、これらの組み合わせ、または本明細書に説明される任意の他の薬剤など）と流体連通するプラグ１２８（プランジャー、ストッパー、または弾性部材とも称される）に連結及び／または接触され得る。作動ロッド１２０の遠位端部分１２４は、本明細書に説明される通り、例えば、操作者の親指（または注入補助機構）によって生成される力Ｆにより、薬剤容器１３０によって画定される内部体積内で移動されるように構成される。この様式で、作動ロッド１２０は、本明細書に説明される通りプラグ１２８を薬剤容器１３０内で移動させて、物質Ｍをマイクロ針１４０の遠位端部分１４２内に吸い込むか、またはそれから発射し得る。プラグ１２８の側壁は、プラグ１２８が、例えば、物質Ｍの漏出を防止するために、薬剤容器１３０の側壁と実質的に流体密封の封止を形成するように、薬剤容器１３０の側壁と接触するように構成され得る。プラグ１２８は、剛性であるが柔軟な不活性及び／または生体適合性材料で作製され得る。材料の例としては、ゴム、シリコーン、プラスチック、ポリマー、任意の他の好適な材料、またはこれらの組み合わせが挙げられる。いくつかの実施形態では、プラグ１２８は、作動ロッド１２０と共にモノリシックに形成され得る。
【００３６】
マイクロ針１４０は、近位端部分１４３、遠位端部分１４２、及びハブ部分１４４を含み、それを通るルーメン１４１を画定する。近位端部分１４３は、ルーメンを薬剤容器１３０と流体連通して定置するように、薬剤容器１３０に連結され得る。近位端部分１４３は、例えば、ルアーコネクタ、ねじ山、スナップ嵌合、ラッチ、ロック、摩擦嵌合、または任意の他の好適な連結特徴などの任意の好適な連結特徴を含み得る。
【００３７】
マイクロ針１４０の遠位端部分１４２は、針１４０が、例えば、身体組織（例えば、眼組織）などの標的場所Ｔを穿孔するように構成されるように、鋭利な先端及び／または斜角を画定し得る。この様式で、遠位端部分１４２は、本明細書に説明される通り、標的場所Ｔの第１の領域Ｒ１及び／または第２の領域Ｒ２内に配置され得る。付随する損傷を最小限にしながら強膜及び／または脈絡膜上内への貫通の容易性を可能にする斜角。いくつかの実施形態では、本明細書に説明されるマイクロ針のルーメン及び斜角アスペクト比は、標準的な２７ゲージ及び３０ゲージ針とは区別される。例えば、本明細書に説明される実施形態に含まれるマイクロ針は、２０１３年８月２７日に出願された「Ａｐｐａｒａｔｕｓ  ａｎｄ  Ｍｅｔｈｏｄｓ  ｆｏｒ  Ｄｒｕｇ  Ｄｅｌｉｖｅｒｙ  Ｕｓｉｎｇ  Ｍｉｃｒｏｎｅｅｄｌｅｓ」と題される国際特許出願公開第ＷＯ２０１４／０３６００９号に説明されるもののいずれかであり得、その開示はその全体が参照により本明細書に援用される（これ以降「’００９ＰＣＴ出願」と称する）。
【００３８】
マイクロ針１４０のハブ部分１４４は、針１４０の近位端部分１４３と針１４０の遠位端部分１４２との間に配置される。ハブ部分１４４は、針の近位端部分１４３と針の遠位端部分１４２との間の遷移エリアとして機能する。ハブ部分１４４は、図５に示される通り実質的に弓形状であり得、接触表面１４５を含む。ハブ部分１４４の接触表面１４５は、眼と接触するように構成される。この様式で、接触表面１４５は、本明細書に説明される通り、遠位端部分１４２の貫通の深さを制御し得、及び／または眼の表面と流体封止を形成し得る。
【００３９】
マイクロ針１４０は、ルーメン１４１を画定し、それは、薬剤容器１３０によって画定される内部体積内に配置された物質Ｍを流体連通する。この様式で、マイクロ針１４０は、薬剤容器１３０と標的場所Ｔ、例えば、標的場所Ｔの第１の領域Ｒ１及び／または第２の領域Ｒ２などとの間に流体連通を確立するように構成される。いくつかの実施形態では、標的場所Ｔは眼であり得、その結果、第１の領域Ｒ１は眼の脈絡膜上腔であり、第２の領域Ｒ２は眼の強膜である。マイクロ針１４０のルーメン１４１は、任意の好適なサイズまたは径のものであり得る。より具体的には、近位端部分１４３内のルーメンの部分は第１の径によって特徴付けられ、遠位端部分１４２内のルーメンの部分は、第１の径よりも小さい第２の径によって特徴付けられる。言い換えると、マイクロ針１４０は、空間的に変動する内径を有する。この様式で、より小さい径の部分（即ち、遠位端部分１４２）の長さは、マイクロ針１４０を通した薬剤の運搬に関連付けられる摩擦損失を低減するように最小にされ得る。摩擦損失を低減することは次に、薬剤Ｍを運搬するために作動ロッド１２０によって印加される力Ｆ及び／または内圧を低減することになる。特定の環境では、薬剤容器１３０内の薬剤Ｍの圧力は、下記に示される通りハーゲン・ポアズイユの法則によってモデル化され得る：
（１）Ｐ＝（８＊μ＊Ｌ＊Ｑ）／（Π＊Ｒ４）  
【００４０】
式中、Ｐは、薬剤容器１３０内の薬剤Ｍの圧力であり、μは、薬剤Ｍの粘度であり、Ｌは、針１４０の長さでありＱは、針１４０を通る薬剤Ｍの流速であり、Ｒは、針１４０によって画定されるルーメンの半径である。口径の小さい針を通して高粘度の流体を注入するために必要とされる圧力（及び／または力）は、針のルーメンの半径の４乗の逆数に比例するため、所望の流速を達成するのに必要な薬剤容器１３０内の薬剤Ｍの圧力は、時として比較的高くあり得る。マイクロ針１４０の小さい径の部分の長さを低減することにより、所望の注入を生み出すための力要件は最小にされ得る。例えば、第２の径が３０ゲージ以下である場合、遠位端部分１４２の長さは、約６Ｎ未満の力Ｆが作動ロッド１２２（または弾性部材）上にかけられたときに、薬剤がルーメン１４１を通じて運搬されるようなものであり得る。いくつかの実施形態では、長さは、約６Ｎ未満の力が作動ロッド上にかけられたときに、薬剤が約０．１μＬ／秒〜約１０μＬ／秒の流速でルーメンを通じて運搬されるようなものである。いくつかの実施形態では、長さは、薬剤が少なくとも約１．０μＬ／秒の流速でルーメンと通じて運搬されるようなものである。
【００４１】
使用中、操作者（例えば、医者、技術者、看護師、医師、眼科医など）は、システム１００を操作して、マイクロ針１４０を、例えば、眼組織内に挿入し得る。この様式で、マイクロ針１４０の遠位端部分１４２は、標的組織内を前進されて、強膜を穿孔し、ハブ部分１４４の接触表面１４５を強膜（例えば、図１の眼１０の強膜２０）の外側表面と接触して定置し得る。マイクロ針１４０の遠位先端は、眼組織に対して更に近位に移動されて、マイクロ針１４０のルーメン１４１を脈絡膜上腔（例えば、図１の眼１０の脈絡膜上腔３６、または図５の領域Ｒ１）と流体連通して定置し得る。マイクロ針１４０のルーメン１４１が脈絡膜上腔と流体連通している状態で、作動ロッド１２０は、その第１の位置からその第２の位置へと薬剤容器１３０に対して移動され得る。作動ロッド１２０の遠位端部分１２４が薬剤容器１３０の内部表面と実質的に流体封止（即ち、実質的に密閉の封止）を形成している状態で、作動ロッド１２０のその第２の位置への移動は、マイクロ針１４０のルーメン１４１を通じて薬物製剤（薬剤容器１３０の内部体積内に収容される）を発射する。したがって、医療用注入器１００は、薬物製剤Ｍを眼のＳＣＳに送達し得、薬物製剤は、脈絡膜上腔内を流れて、例えば、眼の後方領域に送達され得る。
【００４２】
薬剤容器１３０は、高い粘度を有する薬剤Ｍ（即ち、１００センチポアズの粘度を有する薬剤）を収容するように構成される。薬剤Ｍは、例えば、本明細書に説明される薬剤または他の治療製剤（生物製剤、細胞などを含む）のうちのいずれかなどの体内へ注入されるのに好適な任意の薬剤であり得る。例えば、いくつかの実施形態では、薬剤Ｍは、眼の治療のための高粘度物質であり得る（例えば、ゲル様物質、ペースト様物質、液体成分と固体成分の両方を含む乳剤など）。いくつかの実施形態では、薬剤Ｍは、少なくとも約１０００センチポアズの粘度を有し得る。いくつかの実施形態では、薬剤Ｍは、少なくとも約１０，０００センチポアズの粘度を有し得る。他の実施形態では、薬剤Ｍは、少なくとも１００，０００センチポアズ（ｃｐｓ）の粘度を有し得る。他の実施形態では、薬剤Ｍは、約４０，０００ｃｐｓ〜約６０，０００ｃｐｓの粘度を有し得る。上記に説明される通り、薬剤容器１３０内で作動ロッド１２０を移動させるために必要とされる動的エネルギーの量は、とりわけ、薬剤Ｍの粘度、マイクロ針１４０の遠位端部分１４２を通る薬剤Ｍの所望の流速、マイクロ針１４０の長さ、及び／または針１４０によって画定されるルーメン１４１のサイズに依存する。本発明の１つの利点は、マイクロ針１４０の遠位部分１４２の長さを低減するその能力であり、これは次に、概して摩擦損失を低減する。そうすることにより、システム１００の操作者は、限定された量の力Ｆを通じて薬剤Ｍを投与し得る。
【００４３】
図６は、実施形態に従うマイクロ針２４０の断面図である。マイクロ針２４０は、近位端部分２４３、遠位端部分２４２、ハブ部分２４４を含み、それを通るルーメン２４１を画定する。鈍端であるように示されてはいるが、マイクロ針２４０の遠位端部分２４２は、針２４０が標的場所を穿孔し得るように鋭利な先端及び／または斜角を画定し得る。マイクロ針２４０のハブ部分２４４は、針２４０の近位端部分２４３と針２４０の遠位端部分２４２との間に配置される。ハブ部分２４４は、針の近位端部分２４３と針の遠位端部分２４２との間の遷移エリアとして機能する。ハブ部分２４４は、図６に示される通り円錐形状に類似し得、接触表面２４５を含む。ハブ部分２４５の接触表面は、眼と接触するように構成される。この様式で、接触表面２４５は、遠位端部分２４２の貫通の深さを制御し得、及び／または眼の表面と流体封止を形成し得る。
【００４４】
マイクロ針２４０は、ルーメン２４１を画定する。マイクロ針２４０のルーメン２４１は、任意の好適なサイズまたは径のものであり得る。より具体的には、近位端部分２４３内のルーメンの部分は、第１の径ｄ１によって特徴付けられ、遠位端部分２４２内のルーメン２４１の部分は、第１の径よりも小さい第２の径ｄ２によって特徴付けられる。言い換えると、マイクロ針２４０は、空間的に変動する内径を有する。ｄ１の典型的な径範囲は、０．０７２インチ（１５ゲージ針サイズ）〜０．０８３インチ（１４ゲージ針サイズ）である。いくつかの実施形態では、径ｄ１は、約０．０７２インチ（１５ゲージ針サイズ）よりも大きい任意のサイズであり得る。他の実施形態では、径ｄ１は、約０．０３５７５インチ（２０ゲージ針サイズ）よりも大きい任意のサイズであり得る。また他の実施形態では、径ｄ１は、約０．０１６２５インチ（２７ゲージ針サイズ）よりも大きい任意のサイズであり得る。径ｄ２は、約０．００８２５インチ（３３ゲージ針サイズ）〜０．０１２２５インチ（３０ゲージ針サイズ）の範囲にわたり得る。いくつかの実施形態では、径ｄ２は、約０．０１２２５インチ（３０ゲージ針サイズ）よりも小さい任意のサイズであり得る。しかしながら、いくつかの実施形態では、径ｄ２は、約０．０１６２５インチ（２７ゲージ針サイズ）よりも小さい任意のサイズであり得る。この様式で、より小さい径の部分（即ち、遠位端部分２４２）の長さは、マイクロ針２４０を通した薬剤の運搬に関連付けられる摩擦損失を低減するように最小にされ得る。
【００４５】
近位端部分２４３内のルーメンの部分は、長さＬ１によって特徴付けられ、遠位端部分２４２内のルーメン２４１の部分は、第１の長さよりも小さい第２の長さＬ２によって特徴付けられる。マイクロ針２４０の近位端部分２４３の長さＬ１は、約０．３００インチであり得る。マイクロ針２４０の遠位端部分２４２の長さＬ２は、約０．６５０インチであり得る。他の実施形態では、遠位端部分の長さは、遷移（またはハブ）部分２４５が標的組織と接触しているときに特定の領域内への標的指向注入を促進するような任意の好適な量であり得る。例えば、いくつかの実施形態では、マイクロ針２４０（または本明細書に説明される針のうちのいずれか）の遠位端部分２４２の長さＬ２は、約２００ミクロン〜約１５００ミクロンであり得る。他の実施形態では、マイクロ針２４０（または本明細書に説明される針のうちのいずれか）の遠位端部分２４２の長さＬ２は、約９００ミクロン〜約１１００ミクロンであり得る。マイクロ針２４０のより小さい径の部分の長さを低減することにより、所望の注入を生み出すための力要件は最小にされ得る。
【００４６】
摩擦損失の低減に加え、より小さい径の部分の低減された長さはまた、マイクロ針の機械的完全性を改良する。特に、低減された長さＬ２は、遠位端部分２４２の座屈抵抗を増大させ得る。これは次に、遠位端部分２４２の壁厚さが減少されることを可能にし得る。
【００４７】
本明細書に説明される針１４０及び２４０は、ハブ及び注入器と共に使用され得る。例えば、本明細書に説明される針のうちのいずれも、その全体が参照により本明細書に援用される、２０１５年６月１７日に出願された「Ｍｅｔｈｏｄｓ  ａｎｄ  Ｄｅｖｉｃｅｓ  ｆｏｒ  Ｔｒｅａｔｉｎｇ  Ｐｏｓｔｅｒｉｏｒ  Ｏｃｕｌａｒ  Ｄｉｓｏｒｄｅｒｓ」と題される国際特許出願第ＰＣＴ／ＵＳ２０１５／０３６２９９号に示され、説明されるデバイスのうちのいずれかと共に使用され得る。それに加えて、図７は、実施形態に従う、本明細書に説明される針と共に使用するように構成された医療用注入器３００の斜視図である。医療用注入器３００は、ハンドル３５０、薬剤容器３３０、作動装置３２０（図８に示される）、及び針アセンブリ３６０を含む。針アセンブリ３６０は、ハブ３７０及び針３４０を含む。針３４０は、マイクロ針であり得る。医療用注入器３００は、本明細書に説明される通り、例えば、患者の眼などの標的場所の領域及び／または層へ（例えば、眼のＳＣＳへ）薬剤を送達するように構成され得る。
【００４８】
図８は、実施形態に従う、医療用注入器が針アセンブリに取り付けられていない構成にある図７の医療用注入器の分解図である。ハンドル３５０は、第１の部分３５２及び第２の部分３５４を含み、それらは一緒に連結されて、薬剤容器３３０及び／または作動装置３２０の少なくとも一部分を格納するための内部領域を画定し得る。ハンドル３５０の第１の部分３５２及び第２の部分３５４は、任意の好適な手段、例えば、ねじ、ナット、ボルト、リベット、接着剤、スナップ嵌合機構、ノッチ、溝、インデント、ロック、ラッチ、または任意の他の好適な連結機構などを使用して取り外し可能にまたは固定して一緒に連結され得る。ハンドル３５０は、握持部分３５６を含む。複数の突起（例えば、リブ）が、使用者が、例えば、使用者の人差し指及び／または中指と親指との間にハンドル３５０を容易に握持することを可能にするために、握持部分３５６上に配置される。いくつかの実施形態では、複数の隆起３３２は、薬剤容器３３０の外側表面上に配置される。隆起３３２は、使用者がハンドル３５０をしっかりと保持するための更なる握持表面を提供し得る。例えば、使用者は、ハンドル３５０の不要な移動を制限するため、また薬剤容器３３０中に配置された薬剤の注入中により細かく制御するために、第１の手で握持部分３５６を握持し、第２の手で隆起３３２を握持し得る。
【００４９】
ハンドルの第１の部分３５２及び／または第２の部分３５４は、その中の内側領域内に作動装置係合部分３５８を含む。作動装置係合部分３５８は、医療用注入器３００の長手方向軸に沿ったハンドル３５０の線形並進が、作動装置３２０をも薬剤容器３３０に対して長手方向軸に沿って並進させるように、作動装置３２０のハンドル係合部分３２６を装着及び／または保持するように構成される。言い換えると、使用者は、ハンドル３５０を係合して、作動装置３２０の作動をもたらし得る。
【００５０】
作動装置３２０は、ハンドル係合部分３２６、及び薬剤容器３３０によって画定される内部体積内に移動可能に配置されたプランジャー部分３２７を含む。作動装置３２０の少なくとも一部分は、薬剤容器３３０によって画定される内部体積内に摺動可能に配置される。したがって、作動装置３２０は、薬剤容器３２０によって画定される内部体積内から薬剤を吸い込む、及び／またはそれから薬剤を発射するために、薬剤容器３３０によって画定される内部体積内を移動され得る。上述の通り、作動装置３２０のハンドル係合部分３２６は、ハンドル３５０に固定して連結され得る。したがって、医療用注入器３００の長手方向軸に沿ったハンドル３５０の線形移動は、作動装置３２０をも薬剤容器３３０の内部体積内で摺動させる。
【００５１】
作動装置３２０のハンドル係合部分３２６は、任意の好適なサイズ、形状、または構成であり得る。例えば、図８に示される通り、ハンドル係合部分３２６は、ハンドルの作動装置係合部分３５８の少なくとも一部分を受容するように構成された開口を画定し得る。この様式で、ハンドル３５０及び作動装置３２０の一部分は、本明細書に更に詳細に説明される通り、互いに固定して動作可能に連結され得、それにより力を薬剤容器３３０に伝えるように集合的に構成されて、それにより流体が薬剤容器３３０から運搬され得る。
【００５２】
作動装置のプランジャー部分３２７は、薬剤容器３３０によって画定される内部体積内に配置された物質（例えば、薬剤、例えば、ＶＥＧＦ、ＶＥＧＦ阻害剤、これらの組み合わせ、または本明細書に説明される任意の他の薬剤など）と流体連通するプラグ３２８に連結及び／または接触され得る。作動装置のプランジャー部分３２７は、本明細書に説明される通り、例えば、使用者によって生成される力により、薬剤容器３３０によって画定される内部体積内で移動されるように構成される。この様式で、作動装置３２０は、本明細書に説明される通りプラグ３２８を薬剤容器内で移動させて、物質Ｍを針３４０の遠位先端内に吸い込むか、またはそれから発射し得る。プラグ３２８の側壁は、プラグ３２８が、例えば、物質Ｍの漏出を防止するために、薬剤容器３３０の側壁と実質的に流体密封の封止を形成するように、薬剤容器３３０の側壁と接触するように構成され得る。プラグ３２８は、剛性であるが柔軟な不活性及び／または生体適合性材料で作製され得る。材料の例としては、ゴム、シリコーン、プラスチック、ポリマー、任意の他の好適な材料、またはこれらの組み合わせが挙げられる。いくつかの実施形態では、プラグ３２８は、作動装置３２０と共にモノリシックに形成され得る。更に、プラグ３２８は、印加される力が所定の閾値を下回るときに、薬剤容器３３０内での作動装置３２０及び／またはプラグの移動が制限されるようなサイズ、形状を有する、及び／またはそのような材料から構築され得る。この様式で、プラグ３２８及び作動装置３２０は、医療用注入器３００全体（例えば、薬剤容器、注入されている物質など）と併せて、印加される力が、針の遠位端部分が標的組織（例えば、脈絡膜上腔）の第１の領域内に配置されたときには薬剤を注入するのに十分であり、針の遠位端部分が標的組織の第２の領域内に配置されたときには薬剤を注入するのに不十分であり得るように構成される。
【００５３】
薬剤容器３３０は、薬剤（例えば、トリアムシノロンアセトニド、ＶＥＧＦ、ＶＥＧＦ阻害剤、または本明細書に説明される任意の他の薬剤）を格納するように構成された内部体積を画定する。薬剤容器３３０は、送達部分３３４を含む。送達部分３３４は、送達部分を針アセンブリ３６０に連結するためのねじ山３３６を含む。ねじ山３３６として示されてはいるが、送達部分３３４は、例えば、ルアーコネクタ、スナップ嵌合、ラッチ、ロック、摩擦嵌合連結、または任意の他の好適な連結特徴などの送達部分をハブ３７０と連結するために構成された任意の好適な連結特徴を含み得る。薬剤容器は、その全体が参照により本明細書に援用される、２０１４年５月２日に出願された「Ａｐｐａｒａｔｕｓ  ａｎｄ  Ｍｅｔｈｏｄｓ  ｆｏｒ  Ｏｃｕｌａｒ  Ｉｎｊｅｃｔｉｏｎ」と題される米国特許出願第１４／２６８，６８７号に説明される薬剤容器のうちのいずれかと同一または類似であり得る。
【００５４】
図９〜１０に示される通り、ハブ３７０は、係合部分３７１、連結部分３７２、及び送達部分３７３を含む。係合部分３７１の外部側壁及び連結部分３７２の内部側壁は、薬剤容器３３０の送達部分３３４を受容するように構成された凹部３７４を画定する。連結部分３７２の内部側壁は、薬剤容器３３０のねじ山３３６を係合し、それによりハブ３７０を薬剤容器３３０に連結するように構成されたねじ山３７５を含む。連結部分３７２の外部側壁は、隆起３７６のセットを含む。隆起３７６は、使用者が、例えば、ハブ３７０を連結または薬剤容器３３０から分離するために、ハブ３７０を握持するのを促進し得る。係合部分３７１は、薬剤容器３３０の流体チャネルを係合し、薬剤容器３３０とハブ３７０との間に流体連通を確立するように構成された第１の流体チャネル３７７を画定する。送達部分３７３は、例えば、マイクロ針（例えば、本明細書に説明される任意の好適なマイクロ針）などの針３４０を取り外し可能に受容するように構成された第２の流体チャネル３７８を画定する。針３４０は、例えば、眼組織などの標的組織内に配置されるように構成され、針３４０が薬剤容器３３０と使用者の体の部分（例えば、眼）との間に流体連通を確立するようにルーメン３４１を画定する。いくつかの実施形態では、針３４０は、第２の流体チャネル３７８内に固定して配置され得る。いくつかの実施形態では、針３４０は、第２の流体チャネル３７８及び針３４１のルーメンが連続的に及び／または継ぎ目なく形成されるように、ハブ３７０と共にモノリシックに形成され得る。
【００５５】
針３４０は、近位端部分３４３、遠位端部分３４２、及びハブ部分３４４を含み、それを通るルーメン３４１を画定する。鋭利な先端を有する傾斜した遠位端表面を有するように示されてはいるが、針３４０の遠位端部分３４２は、代替的に鈍端を有してもよい。針３４０のハブ部分３４４は、針３４０の近位端部分３４３と針３４０の遠位端部分３４２との間に配置される。ハブ部分３４４は、針の近位端部分３４３と針の遠位端部分３４２との間の遷移エリアとして機能する。ハブ部分３４４は、図６に示される通り円錐形状に類似であり得る。いくつかの実施形態では、針３４０は、ハブ部分３４４が、眼と接触するように構成された接触表面（図示なし）を含むように十分な長さを有し得る。遠位端部分３４２がハブ３７０の遠位端表面３８１を超えて延在する長さは、任意の好適な長さ、例えば、約９００ミクロンであり得る。この様式で、接触表面は、遠位端部分の貫通の深さを制御し得、及び／または眼の表面と流体封止を形成し得る。
【００５６】
針３４０は、ルーメン３４１を画定する。針３４０のルーメン３４１は、任意の好適なサイズまたは径のものであり得る。より具体的には、近位端部分３４３内のルーメンの部分は、第１の径によって特徴付けられ、遠位端部分３４２内のルーメン３４１の部分は、第１の径よりも小さい第２の径によって特徴付けられる。言い換えると、針３４０は、空間的に変動する内径を有する。第１の径の典型的な径範囲は、約０．０７２インチ（１５ゲージ針サイズ）〜約０．０８３インチ（１４ゲージ針サイズ）である。いくつかの実施形態では、第１の径は、約０．０７２インチ（１５ゲージ針サイズ）よりも大きい任意のサイズであり得る。他の実施形態では、第１の径は、約０．０３５７５インチ（２０ゲージ針サイズ）よりも大きい任意のサイズであり得る。また他の実施形態では、第１の径は、約０．０１６２５インチ（２７ゲージ針サイズ）よりも大きい任意のサイズであり得る。第２の径は、約０．００８２５インチ（３３ゲージ針サイズ）〜０．０１２２５インチ（３０ゲージ針サイズ）の範囲にわたり得る。いくつかの実施形態では、第２の径は、約０．０１２２５インチ（３０ゲージ針サイズ）よりも小さい任意のサイズであり得る。しかしながら、いくつかの実施形態では、第２の径は、約０．０１６２５インチ（２７ゲージ針サイズ）よりも小さい任意のサイズであり得る。この様式で、より小さい径の部分（即ち、遠位端部分）の長さは、マイクロ針３４０を通した薬剤の運搬に関連付けられる摩擦損失を低減するように最小にされ得る。
【００５７】
近位端部分３４３内のルーメンの部分は、第１の長さによって特徴付けられ、遠位端部分３４２のルーメン３４１の部分は、第１の長さよりも小さい第２の長さによって特徴付けられる。針３４０の近位端部分３４３の第１の長さは、約０．３００インチであり得る。針３４０の遠位端部分３４２の第２の長さは、約０．６５０インチであり得る。他の実施形態では、遠位端部分の長さは、針の遷移（またはハブ）部分またはハブの遠位表面が標的組織と接触しているときに特定の領域内への標的指向注入を促進するような任意の好適な量であり得る。例えば、いくつかの実施形態では、マイクロ針３４０（または本明細書に説明される針のうちのいずれか）の遠位端部分３４２の長さは、約２００ミクロン〜約１５００ミクロンであり得る。他の実施形態では、マイクロ針３４０（または本明細書に説明される針のうちのいずれか）の遠位端部分３４２の長さは、約９００ミクロン〜約１１００ミクロンであり得る。針３４０の小さい径の部分の長さを低減することにより、所望の注入を生み出すための力要件は最小にされ得る。
【００５８】
より小さい径の部分の長さを低減することによる摩擦損失の低減に加え、低減された長さはまた、針の機械的完全性を改良する。特に、低減された第２の長さは、遠位端部分３４２の座屈抵抗を増大させ得る。これは次に、遠位端部分３４２の壁厚さが減少されることを可能にし得る。
【００５９】
図１０に示される通り、ハブ３７０は、針３４０に、流体流路がそれらの間に画定されるように物理的及び流体的に連結されるように構成される。例えば、針３４０のルーメン３４１は、針３４０が第２の流体チャネル３７８内に物理的及び流体的に連結されたときに、ハブ３７０の第１の流体チャネル３７７及び第２の流体チャネル３７８と流体連通して定置される。針３４０の遠位端部分３４２は、ハブ３７０の遠位端表面３８１から遠位に延在する。ハブ３７０は、任意の好適な形状、サイズ、及び／または構成であり得る。例えば、いくつかの実施形態では、ハブ３７０は、治療剤を格納、貯蔵、ないしは別の方法で収容し得る内部体積を画定し得る。他の実施形態では、ハブ３７０は、薬物製剤（例えば、予防剤、治療剤、及び／または診断剤）を収容するカートリッジ（図示なし）を受容するように構成され得る。ハブ３７０の遠位端表面３８１は、遠位端表面が標的組織（例えば、眼組織）と一致することを可能にするように、実質的に凸状または湾曲であり得る。更に、遠位端表面３８１は、本明細書に説明される通り、例えば、眼組織（例えば、結膜または強膜）などの標的組織と、ハブ３７０の遠位端表面３８１が眼組織（例えば、結膜または強膜）に押し付けられたときに実質的に流体密封の封止を形成するように構成された封止表面を画定し得る。ハブの遠位端表面は、標的表面と実質的に流体密封の封止を画定するように構成された封止部分を含み得る。封止部分は、針の中心線を取り囲み得る。ハブ３７０を含むように示されてはいるが、装置は、任意の好適な剛性のハブを含み得る。ハブ３７０は、金属または硬質プラスチックなどの比較的剛性の材料から形成され得る。ハブ３７０は、その全体が参照により本明細書に援用される、３０１４年５月２日に出願された「Ａｐｐａｒａｔｕｓ  ａｎｄ  Ｍｅｔｈｏｄｓ  ｆｏｒ  Ｏｃｕｌａｒ  Ｉｎｊｅｃｔｉｏｎ」と題される米国特許出願第１４／２６８，６８７号に説明されるハブのうちのいずれかと同一または類似であり得る。
【００６０】
ハブ３７０は、図１０に示される通り、モノリシック構造として形成され得る。別法として、いくつかの実施形態では、ハブは、一緒に連結されてハブ３７０を形成するような別々の部分から形成され得る。例えば、図１１Ａ〜１１Ｃは、実施形態に従う針アセンブリ４６０を示す。図１１Ａは、針アセンブリ４６０の分解図である。針アセンブリ４６０は、ハブ４７０及び針４４０を含む。ハブ４７０は、第１の部分４７９及び第２の部分４８０を有する。第１の部分４７９及び第２の部分４８０は、別々に形成され、一緒に連結され得る。第１の部分４７９及び第２の部分４８０は、溶接、接着剤の塗布、任意の他の好適な手段を通じて一緒に連結され得る。図１１Ａに示される通り、第２の部分４８０は、第１の部分４７９に連結される前に針４４０にしっかりと取り付けられ得る。針４４０は、上記の針１４０、２４０、及び３４０を参照して説明されるように可変径カニューレであり得る。
【００６１】
図１１Ｂは、第１の部分４７９が第２の部分４８０に連結されている組立構成にある、針アセンブリ４６０の側面図である。ハブ４７０は、標的組織の標的表面と接触するように構成された遠位端表面４８１を有する。標的組織は、例えば、眼であり得、標的表面は、例えば、眼の結膜または眼の強膜であり得る。ハブの遠位端表面は、標的表面と実質的に流体密封の封止を画定するように構成された封止部分を含み得る。封止部分は、針４４０の中心線を取り囲み得る。
【００６２】
図１１Ｃは、図１１Ｂの線Ｃ−Ｃに沿って取られた針アセンブリ４６０の断面図である。ハブ４７０の第１の部分４７９は、針アセンブリ４６０を薬剤容器に連結するためのねじ山４７５を含み得る。ねじ山４７５として示されてはいるが、ハブ４７０は、例えば、ルアーコネクタ、スナップ嵌合、ラッチ、ロック、摩擦嵌合連結、または任意の他の好適な連結特徴などの、ハブ４７０を薬剤容器と連結するために構成された任意の好適な連結特徴を含み得る。
【００６３】
針４４０は、例えば、マイクロ針（例えば、２７ゲージ、３０ゲージ、または更にはより小さい針）などの本明細書に説明される任意の好適な針を含み得る。針４４０は、複数の異なる径を有し得る。更に、針４４０は、例えば、約９００μｍもしくは約１１００μｍの固定の長さ、またはその間の任意の長さなどの任意の好適な長さを有し得る。それに加えて、遠位端部分４４２及び近位端部分４４３の長さは、任意の好適な長さであり得る。例えば、遠位端部分４４２の内径が３０ゲージ以下である場合、遠位端部分４４２の長さは、約６Ｎ未満の力が作動ロッド上にかけられたときに、薬剤がルーメン４４１を通じて運搬されるようなものであり得る。それに加えて、針４４０の遠位端部分４４２の長さは、針４４０の全体の長さよりも短くあり得る。同様に、遠位端部分４４２がハブ４７０の遠位端表面４８１を超えて延在する長さは、任意の好適な長さ、例えば、約９００ミクロンであり得る。針４４０の遠位先端は、針４４０が、例えば、身体組織（例えば、眼組織）などの標的場所を穿孔するように構成されるように、鋭利な及び／または傾斜した先端を画定し得る。この様式で、遠位先端は、本明細書に説明される通り、標的場所の第１の領域及び／または第２の領域内に配置され得る。針４４０は、ルーメン４４１を画定し、それは、薬剤容器によって画定される内部体積及び／またはハブ４７０によって画定される内部体積４８２内に配置された物質と流体連通するように構成される。この様式で、針４４０は、本明細書に説明される通り、薬剤容器と標的場所、例えば、標的場所の第１の領域との間に流体連通を確立するように構成される。いくつかの実施形態では、標的場所の第１の領域は、第１の密度を有し得、第２の領域は、第１の密度よりも高い第２の密度を有し得る。いくつかの実施形態では、標的場所の第１の領域は、針の遠位先端上に第１の背圧を生成し、第２の領域は、針の遠位先端上に第１の背圧よりも高い第２の背圧を生成する。換言すれば、標的場所の第１の領域は、針の遠位先端針からの流れに抵抗及び／または反対する第１の圧力を生成し、第２の領域は、第１の圧力よりも高い、針の遠位先端からの流れに抵抗及び／または反対する第２の圧力を生成する。いくつかの実施形態では、標的場所は眼であり得、その結果、第１の領域は眼の脈絡膜上腔であり、第２の領域は眼の強膜である。
【００６４】
固定された針として示されてはいるが、図１２〜１７に示される実施形態などのいくつかの実施形態では、針アセンブリは、可変の針長さを有するように薬剤容器に対して移動し得る。いくつかの実施形態では、標的組織内に薬剤を注入するための装置は、医療用注入器及びハブを、それらの間に圧縮可能部材が配置された状態を含み得る。圧縮可能部材は、針の長さの調節を可能にするために、力に応答して圧縮及び／または変形するように構成される。言い換えると、圧縮可能部材は、針の長さがハブから遠位に延在して調節されることを可能にするように変形し得る。この配列は、例えば、針が、例えば眼組織などの標的組織内に貫通する距離（即ち、針の挿入深さ）の調節を可能にし得る。ここで図１２〜１５を参照すると、装置５００は、医療用注入器５１０、ハブ５７０、及び圧縮可能部材５７８を含む。医療用注入器５１０は、作動装置ロッド５２０、薬剤容器５３０、及び針５４０を含む。医療用注入器５１０を含むように示されてはいるが、装置５００は、任意の他の好適な医療用注入器を含み得る。装置５００において使用され得る医療用注入器の例は、２０１４年５月２日に出願された「Ａｐｐａｒａｔｕｓ  ａｎｄ  Ｍｅｔｈｏｄｓ  ｆｏｒ  Ｏｃｕｌａｒ  Ｉｎｊｅｃｔｉｏｎ」と題される米国特許出願第１４／２６８，６８７号、現在は米国特許第２０１５／００３８９０５号（本明細書では「‘６８７出願」とも称される）に説明され、その開示はその全体が参照により本明細書に援用される。
【００６５】
針５４０は、本明細書に示され、説明される種類の標的組織を穿刺するように構成された任意の好適な穿刺部材であり得る。例えば、針５４０は、眼組織を穿刺するように区政されたマイクロ針であり得る。いくつかの実施形態では、針５４０は、３０ゲージマイクロ針、３２ゲージマイクロ針、または３４ゲージマイクロ針（または約３０ゲージ〜約３４ゲージの範囲の任意のサイズ）であり得る。いくつかの実施形態では、かかるマイクロ針は、上記に参照により援用される‘００９ＰＣＴ出願に説明される穿刺部材及びマイクロ針と実質的に類似であるか、または同一であり得る。いくつかの実施形態では、針５４０の形状及び／またはサイズは、少なくとも部分的に、標的組織の少なくとも一部分に対応し得る。例えば、いくつかの実施形態では、針５４０の長さは、本明細書に更に詳細に説明される通り、針５４０が眼組織内に挿入されたときに針５４０の少なくとも一部分が眼の強膜または脈絡膜上腔内に配置されるように、眼組織の一部分の厚さと釣り合い得る。更に、本明細書に説明される通り、針の露出された長さは調節され得る。針５４０は、針５４０の近位端５４３及び遠位端５４２を通って延在するルーメン５４１を画定する。針５４０の遠位端５４２は、標的組織を穿刺するように構成された斜角または尖った先端を含み得る。針５４０の近位端５４３の少なくとも一部分は、本明細書に説明される通り、ハブ５７０によって画定される第１の通路５７６及び圧縮可能部材５７８によって画定される第２の通路５７９内に配置され得る。
【００６６】
医療用注入器５１０の薬剤容器５３０は、近位端部分５３２及び遠位端部分５３４を有する。薬剤容器５３０は、物質（例えば、薬剤、予防剤、治療剤、及び／または診断剤）を貯蔵、格納、及び／ないしは別の方法で収容し得る内部体積５３６を画定する。例えば、いくつかの実施形態では、薬物製剤または薬剤（例えば、ＶＥＧＦ、ＶＥＧＦ阻害剤、トリアムシノロンアセトニド、本明細書に説明される任意の他の薬剤、またはこれらの組み合わせ）を収容するカートリッジなどは、薬剤容器５３０の内部体積５３６内に配置され得る。他の実施形態では、薬物製剤は、内部体積５３６内に直接（例えば、カートリッジまたは他の中間貯蔵器を使用せずに）配置され得る。いくつかの実施形態では、内部体積５３６は、約０．５ｍＬ未満の体積の薬物製剤を収容し得る。他の実施形態では、内部体積５３６は、約０．１ｍＬの体積の薬物製剤を収容し得る。また他の実施形態では、内部体積５３６は、約０．５ｍＬ超の体積の薬物製剤を収容し得る。いくつかの実施形態では、薬剤容器５３０は、‘６８７出願に説明される任意の薬剤容器に実質的に類似であり得る。
【００６７】
薬剤容器５３０の近位端部分５３２は、作動ロッド５２０を受容するように実質的に開いている。より具体的には、作動ロッド５２０の遠位端部分５２４は、内部体積５３６内に配置され、第１の位置（例えば、近位位置）と第２の位置（例えば、遠位位置）との間を移動され得る。換言すれば、作動ロッド５２０の遠位端部分５２４は、内部体積５３６内で注入距離を移動し得る。例えば、プラグまたは弾性部材などの封止部材は、作動ロッド５２０の遠位端部分５２４に連結され、及び／またはそれによって移動され得る。封止部材は、内部体積５３６を画定する薬剤容器５３０の１つ以上の表面と摩擦嵌合を形成するように構成され得る。この様式で、封止部材及び薬剤容器５３０は、封止部材に遠位の内部体積５３６の部分を封止部材に近位の内部体積５３６の部分から実質的に隔離する実質的に流体密封の封止を形成し得る。換言すれば、薬剤容器５３０及び作動ロッド５２０は、シリンジの少なくとも一部分を形成する。
【００６８】
薬剤容器５３０の遠位端部分は、圧縮可能部材５７８がハブ５７０と薬剤容器５３０の遠位端部分５３４との間に配置されるように、圧縮可能部材５７８及びハブ５７０に連結される。下記により詳細に説明される通り、圧縮可能部材５７８及びハブ５７０は、任意の好適な様式で薬剤容器５３０に連結され得る。例えば、いくつかの実施形態では、圧縮可能部材５７８及び／またはハブ５７０は、対応する薬剤容器５３０の先細部分（これは例えば、事前充填されたシリンジであり得る）に連結されるように構成されたルアー嵌合を含む単一のアセンブリであり得る。他の実施形態では、圧縮可能部材５７８及びハブ５７０は、別々に構築され得る、及び／または接着剤、ねじ接手、または任意の他の好適な機構によって薬剤容器に別々に連結され得る。
【００６９】
ハブ５７０は、それを通して針５４０を受容するように構成された第１の通路５７６を画定し、それにより、針の遠位端５４２は実質的に第１の通路５７６の長さだけ延在し、ハブ５７０の遠位端表面５７５を超えて延在し得る。ハブ５７０の遠位端表面５７５は、遠位端表面が標的組織（例えば、眼組織）と一致することを可能にするように、実質的に凸状または湾曲であり得る。更に、遠位端表面５７５は、本明細書に説明される通り、例えば、眼組織（例えば、結膜）などの標的組織と、ハブ５７０の遠位端表面５７５が眼組織（例えば、結膜）に押し付けられたときに実質的に流体密封の封止を形成するように構成された封止表面を画定し得る。封止表面５７５は、針５４０の中心線を取り囲み得る。ハブ５７０を含むように示されてはいるが、装置５００は、任意の好適な剛性ハブを含み得る。装置５００と共に使用され得るハブの例は、‘６８７出願に説明される。ハブ５７０は、金属または硬質プラスチックなどの比較的剛性の材料から形成され得る。
【００７０】
圧縮可能部材５７８は、薬剤容器５３０とハブ５７０との間に配置され、圧縮するように構成される。言い換えると、圧縮可能部材５７８は、本明細書に説明される通り、医療用注入器５１０上にかけられる力及びハブ５７０によってかけられる反対方向の力に応答して、厚さの低減を経験するように編成及び／または構築される。圧縮可能部材５７８は、針５４０の近位端５４３の少なくとも一部分を受容するように構成された第２の通路５７９を画定する。圧縮可能部材５７８の第２の通路５７９は、針５４０が第１の通路５７６及び第２の通路５７９を通して配置されるように、ハブ５７０の第１の通路５７６と連通及び／または整列される。圧縮可能部材５７８は、例えば、ゴム、シリコーン、ヒドロゲル、ゾルゲル、発泡体、スポンジ、エアロゲル、非線形弾性材料、任意の他の圧縮可能材料、またはこれらの組み合わせなどの実質的に圧縮可能な材料から形成され得る。いくつかの実施形態では、圧縮可能部材５７８は、例えば、螺旋型、圧縮、拡張、ばね座金、皿ばね、テーパー型、任意の他の種類のばね、または任意の他の好適な付勢部材などのばねを含み得る。針の遠位端部分５４２は、圧縮可能部材５７８が第１の厚さを有するときに第１の長さだけ、また圧縮可能部材５７８が第２の厚さを有するときに第２の長さだけ、ハブ５７０の遠位端表面５７５から遠位に延在する。第２の長さは、約９００ミクロン及び約１１００ミクロンであり得る。
【００７１】
いくつかの実施形態では、医療用注入器５１０上にかけられる所定の力（例えば、約０．５Ｎ〜約６Ｎの範囲、より具体的には約０．５Ｎ〜約２Ｎの範囲）に応答して圧縮可能部材５７８が受け得る最大の厚さの低減は、標的組織（例えば、眼組織）内への針５４０の遠位端５４２の最大の挿入深さに対応するように構成され得る。例えば、いくつかの実施形態では、圧縮可能部材５７８は、作動ロッド５２０の近位端部分５２２にかけられる約０．５Ｎ〜約６Ｎの範囲の力に応答して、約９００μｍ〜約１，２００μｍの最大の厚さの低減を経験するように構成され得る。他の実施形態では、圧縮可能部材５７８は、作動ロッド５２０の近位端部分５２２上にかけられる約０．５Ｎ〜約２Ｎの範囲の力に応答して、約９００μｍ〜約１，２００μｍの最大の厚さの低減を経験するように構成され得る。他の実施形態では、圧縮可能部材５７８は、約６Ｎ未満の範囲の力に応答して、約３００μｍの最大の厚さの低減を経験するように構成され得る。この変形及び／または厚さの低減は、ハブ５７０が薬剤容器５３０に対して約９００μｍ〜約１，２００μｍの距離だけ近位に移動することを可能にし、したがって、その同一または類似の距離だけハブの遠位端表面５７５から針５４０の遠位端５４２を露出させる。この様式で、針５４０の遠位端５４２が標的組織（例えば、眼組織）内に挿入され得る最大の深さ、ないしは針５４０の挿入深さが制御され得る。いくつかの実施形態では、本明細書に説明される通り、圧縮可能部材５７８の厚さと針５４０の挿入深さの比は、例えば、約０．５Ｎ〜約６Ｎの範囲（またはより具体的には、約０．５Ｎ〜約２Ｎの範囲）の所定の力が医療用注入器５１０上に印加されたときに、針５４０の遠位端５４２が標的組織（例えば、眼組織の脈絡膜上腔内またはその付近）内で所望の深さに挿入され得るように構成され得る。
【００７２】
圧縮可能部材５７８は、任意の形状またはサイズを有し得る。例えば、圧縮可能部材５７８は、ハブ５７０と薬剤容器５３０との間に配置された円形ディスク、長方形ディスク、正方形ディスク、環、複数の圧縮可能材料の部品、または任意の他の好適な形状もしくはサイズを含み得る。圧縮可能部材５７８は、任意の好適な機構によって薬剤容器５３０の遠位端表面に連結され得る。いくつかの実施形態では、圧縮可能部材５７８は、例えば、接着剤、熱溶接、溶融接着、ねじ、ナット、ボルト、リベット、任意の他の好適な連結機構、またはこれらの組み合わせを使用して薬剤容器５３０及びハブ５７０に連結され得る。他の実施形態では、アダプタ（例えば、ルアーアダプタ、カラーなど）または任意の他の部品が、ハブ５７０と薬剤容器５３０との間に配置され得、圧縮可能部材５７８を薬剤容器５３０に連結するように機能し得る。
【００７３】
本明細書に説明される通り、装置５００は、例えば、眼組織などの標的組織内への針５４０の遠位端５４２の挿入深さを制御するために使用され得る。この様式で、装置５００は、針５４０の遠位端５４２を標的組織内で所望の深さに移動させて（またはその移動を誘導して）、標的組織の標的場所（例えば、眼組織の脈絡膜上腔）への薬剤の送達を可能にするために使用され得る。例えば、いくつかの実施形態では、装置５００は、薬剤を眼の脈絡膜上腔に送達するように構成され得る。図１３は、第１の構成にあるハブ５７０及び圧縮可能部材５７８を含む装置５００の一部分を示す。第１の構成では、ハブ５７０の遠位端表面５７５は、眼の結膜Ｃ上に配置され、またそれと接触し得る。本明細書に説明される通り、ハブ５７０は、遠位端表面５７５が眼の結膜Ｃと実質的に流体密封の封止を形成するように構成されるように、剛性の材料から形成される。更に、第１の構成では、圧縮可能部材５７８は、圧縮されておらず、第１の厚さｔ１を有する。第１の厚さｔ１は、第１の構成において、針５４０の遠位端５４２がハブ５７０内に配置される（即ち、針５４０の遠位端５４２がハブ５７０の遠位端表面５７５を超えて突出しない）ようなものである。この様式で、例えば、ハブ５７０及び圧縮可能部材５７８は、使用前後の針５４０の遠位端５４２による思いがけない穿刺ないしは別の方法による突刺を防止するための安全機構として機能し得る。
【００７４】
第２の構成では、図１４に示される通り、矢印Ｆによって示される方向の力が、装置５００上、例えば、作動ロッド５２０の近位端部分５２２上にかけられ得る。別法として、力Ｆは、薬剤容器５３０に直接印加され得る。示される通り、力Ｆは、ハブ５７０の遠位端表面５７５に結膜Ｃを圧迫させ得る。ハブ５７０は結膜Ｃの硬さよりも実質的に大きい硬さ（例えば、ステンレス鋼の硬さに実質的に類似の硬さ）を有する実質的に剛性の部材であるため、力Ｆの印加は、ハブ５７０を実質的な変形を引き起こすことなく結膜Ｃを変形させる。力Ｆの大きさは、結膜Ｃ内へ更にハブ５７０の遠位端表面５７５を押し下げるには不十分であり得る。例えば、施術者は概して、眼に印加される手動の力を約０．５Ｎ〜約６Ｎの範囲（またはより具体的には約０．５Ｎ〜約２Ｎの範囲）に制限することを好むことが知られている。したがって、ハブ５７０及び圧縮可能部材５７８は、針５４０の所望の貫通を促進するために変形及び／またはこの範囲の力に応答するように構成され得る。具体的には、力Ｆは、圧縮可能材料５７８が第１の厚さｔ１から第２の厚さｔ２へのための厚さの低減を経験するように圧縮可能材料５７８を圧縮するのに十分であり得る。これは、薬剤容器５３０及び／または針５４０はハブ５７０に対して近位に移動することを可能にする。この近位の移動は、針５４０の遠位端５４２をも眼に対して近位に移動させ、それにより針５４０の遠位端５４２は結膜Ｃを穿孔し、眼の強膜Ｓ内に配置される。
【００７５】
図１５に示される第３の構成では、力Ｆは、圧縮可能部材の厚さが第３の厚さｔ３に低減するように維持され得る。この圧縮可能部材５７８の更なる厚さの低減は、遠位端５４２が眼の脈絡膜上腔ＳＣＳ（例えば、標的層）内に配置されるまで、但し眼（例えば、網膜Ｒ、硝子体、または他の層）内を更に穿孔しないで、針５４０の遠位端５４２が眼内に更に突出することを可能にする。デバイス５００が第３の構成にあるとき、薬剤は、手動で、またはその例が‘６８７出願に説明される注入補助アセンブリを使用して、脈絡膜上腔ＳＣＳ内に注入され得る。いくつかの実施形態では、圧縮可能部材５７８の厚さ及び／または圧縮率（さもなくば硬さ係数）は、圧縮可能材料５７８の厚さがｔ３未満の厚さに容易に低減され得ないように構成され得る。この様式で、圧縮可能部材５７８は、針５４２の遠位端５４２の挿入深さを、例えば、約９００μｍ〜約１，２００μｍの範囲になるように、制御及び／または制限し得る。この距離は、針５４０の遠位端５４２が眼の脈絡膜上腔ＳＣＳに挿入されることを可能にするのに十分であり得るが、脈絡膜上腔ＳＣＳを超えた網膜Ｒ内への針５４０の遠位端５４２のいかなる移動をも防止し得る。したがって、圧縮可能部材５７８はまた、針５４０の遠位先端５４２の挿入深さを所望の範囲に制御するための停止機構としても機能し得る。
【００７６】
例えば、いくつかの実施形態では、圧縮可能部材５７８は、変形率が非線形であるような材料（または材料の組み合わせ）から構築され得る。具体的には、変形率は、力Ｆが特定の閾値（例えば、６Ｎ）を超過したときに減少し得、それにより更なる変形を制限する。いくつかの実施形態では、例えば、圧縮可能部材５７８は、異なる材料の層から構築された複合物品であり得る。
【００７７】
ハブ５７０が実質的に堅い（及び非変形可能）ものとして上記に説明されてはいるが、いくつかの実施形態では、ハブ５７０は、結膜Ｃ及び強膜Ｓの硬さに対して中間的な硬さを有し得る。かかる実施形態では、力Ｆの印加は、ハブ５７０の遠位端表面５７５が強膜Ｓの近位になるまで、ハブ５７０に結膜Ｃを変形させ得る。ハブ５７０の硬さは強膜Ｓの堅さよりも小さいため、更なる力Ｆの印加は、強膜Ｓの実質的な変形を伴わずにハブ５７０の遠位端表面５７５を変形させるであろう。この様式で、ハブ５７０は、過剰な力の印加が眼の内部層への損傷、さもなくば眼の内部層の変形及び／または穿孔を引き起こすことを防止し得る。
【００７８】
圧縮可能部材５７８は、任意にその変形を制限するように構成されるものとして上記に説明されてはいるが、いくつかの実施形態では、装置は、標的組織内への針の遠位端の最大挿入深さを画定するために、圧縮可能部材の圧縮を停止ないしは別の方法で制限するための停止機構を含み得る。ここで図１６及び１７を参照すると、装置６００は、医療用注入器６１０、針６４０、ハブ６７０、圧縮可能部材６７８、及び停止機構６８０を含む。医療用注入器６１０は、薬剤容器６３０、及び作動装置（図示なし）を含む。医療用注入器６１０は、医療用注入器５１０に実質的に類似であり得、したがって本明細書に更に詳細には説明されない。
【００７９】
ハブ６７０及び圧縮可能部材６７８は、それぞれ、装置５００に関して説明されるハブ５７０及び圧縮可能部材５７８に実質的に類似であり得る。停止機構６８０は、バックストップ６８１とストッパー６８２のセットとを含む。薬剤容器６３０の遠位端部分は、バックストップ６８１が薬剤容器６３０と圧縮可能部材６７８との間に配置されるようにバックストップ６８１に連結される。バックストップ６８１は、例えば、金属またはプラスチックなどの実質的に剛性の材料から形成され得る。いくつかの実施形態では、バックストップ６８１は、例えば、接着剤、熱溶接、溶融接着、ねじ、ナット、ボルト、リベットなどを用いて薬剤容器６３０の遠位端部分及び／または圧縮可能部材に固定して連結され得る。いくつかの実施形態では、バックストップ６８１は、薬剤容器６３０と共にモノリシックに形成され得る。バックストップ６８１は、穴６８３を画定し、その中に針６４０の近位端６４３の少なくとも一部分が配置される。
【００８０】
ストッパー６８２は、ロッドさもなければ突起を含み得る。ストッパー６８２の各々の遠位端部分は、ハブ６７０に固定して連結される。例えば、ストッパー６８２の遠位端部分は、ハブ６７０によって画定される空洞内に配置されるか、ハブ６７０にねじ固定、スナップ嵌合、圧入、摩擦嵌合されるか、または任意の他の好適な連結機構を使用してハブ６７０に固定して連結される。いくつかの実施形態では、ストッパー６８２は、ハブ６７０とモノリシックに形成され得る。ストッパー６８２は、例えば、金属またはプラスチックなどの実質的に剛性の材料から形成され得る。ストッパー６８２の各々の少なくとも一部分は、ストッパー６８２が圧縮可能部材６７８を通って延在するように圧縮可能部材６７８内に画定される貫通孔内に配置される。したがって、ストッパー６８２は、圧縮可能部材６７８によって画定される貫通孔によって自由に摺動、移動、ないしは別の方法で移動する。ストッパー６８２の各々の近位端部分は、バックストップ６８１によって画定されるチャネル６８４のセットのうちの対応するチャネル内に配置され、それによりストッパー６８２の近位端部分はチャネル６８４内を自由に摺動する。いくつかの実施形態では、突起６８５が、ストッパー６８２の近位端部分上に配置され得る。突起６８５は、例えば、対応するチャネル６８４内に画定される溝またはノッチのセットと相互作用して、固定さもなくば所定の増分のチャネル６８４内での突起６８５の移動を可能にするように構成され得る。この様式で、突起６８５は、圧縮可能部材６７８が厚さの低減を経験し、ハブ６７０が固定の増分で薬剤容器６３０に対して近位に移動することを可能にし得る。更に、チャネル６８４は、ストッパー６８２の遠位端部分がチャネル６８５の後壁６８６と接触するまでストッパー６８２の近位端部分の移動を可能にするような所定の長さを有し得る。この様式で、チャネル６８４及び／またはバックストップ６８１は、薬剤容器６３０に対して近位にストッパー６８２の遠位端部分の移動を制限し、それにより針６４０の遠位端６４２がハブ６７０の遠位端表面６７５から出る最大長さを画定し得る。換言すれば、バックストップ６８１によって画定されるチャネル６８４の長さは、標的組織（例えば、眼組織）内での針６４０の遠位端６４２の最大挿入深さを画定するように構成され得る。
【００８１】
更に拡大すると、図１６は、第１の構成にある装置６００を示す。第１の構成では、ハブ６７０の遠位端表面６７５は、眼組織の結膜Ｃに接して配置され得る。更に、圧縮可能部材６７８は、圧縮されておらず、第１の厚さｔ４を画定する。針６４０の遠位端６４２は、ハブ６７０によって画定される第１の通路６７６内に、針６４０の遠位先端が第１の通路６７６内に配置され、ハブ６７０の遠位端表面６７５を超えて突出しないように配置される。針６４０の近位端６４３の少なくとも一部分は、バックストップ６８１によって画定される穴６８３内に配置され、圧縮可能部材６７８によって画定される第２の通路６７９を通過する。針６４０は、例えば、薬剤チャンバ６３０内に配置された薬剤などの物質を、例えば、脈絡膜上腔ＳＣＳなどの眼組織内の標的場所に送達するように構成された、それを通るルーメン６４１を画定する。ストッパー６８２の各々の近位端部分は、バックストップ６８１によって画定される対応するチャネル６８４内に、ストッパー６８２の近位端がチャネル６８４の後壁６８６の遠位にあるように配置される。
【００８２】
使用者は、図１７に示される通り、医療用注入器６１０上に矢印Ｆによって示される方向に力をかけて、装置を第２の構成にし得る。ハブ６７０の遠位端表面６７５は、本明細書に説明される通り、結膜に押し付けられ、結膜Ｃと実質的に流体密封の封止を形成し得る。しかしながら、ハブ６７０の更なる移動は、結膜Ｃ及び／または下部の眼組織によって防止される。力Ｆの大きさを維持まだ増大することは、医療用注入器６１０を、またそれにより薬剤容器６３０及び／または針６４０を、ハブ６７０に対して近位に移動させ得る。これは、針６４０の遠位端６４２に眼の結膜Ｃを通して強膜Ｓ内へ穿孔させる。これはまた、ストッパー６８２をチャネル６８４内でハブ６７０に対して近位に移動させる。力Ｆは、剛性バックストップ６８１と剛性ハブ６７０との間で圧縮可能部材６７８を圧縮する。図１７に示される通り、力Ｆは、後壁６８６がストッパー６８２の近位端と接触し、圧縮可能部材が第２の厚さｔ５に圧縮されるまで維持され得る。圧縮可能部材６７８の更なる厚さの低減は、後壁６８６とストッパー６８２の近位端との接触によって防止される。この様式で、停止機構６８０は、圧縮可能部材６７８が経験し得る最大の厚さの低減を画定し得、それにより針６４０の遠位端６４２が眼内に突出し得る最大距離、即ち、針６４０の遠位端６４２の最大挿入深さを画定し得る。例えば、停止機構６８０は、脈絡膜上腔ＳＣＳ内への針６４０の遠位端６４２の最大挿入深さ（例えば、約９００μｍ〜約１，２００μｍ）を制限し、眼の網膜Ｒ内への針６４０の遠位端６４２の挿入を防止するように構成され得る。
【００８３】
本明細書に説明される実施形態は、１つ以上の生体適合性材料で形成または構築され得る。好適な生体適合性材料の例としては、金属、ガラス、セラミック、またはポリマーが挙げられる。好適な金属の例としては、医薬品等級ステンレス鋼、金、チタン、ニッケル、鉄、白金、スズ、クロム、銅、及びこれらの合金が挙げられる。ポリマーは、生分解性または非生分解性であってもよい。好適な生分解性ポリマーの例としては、ポリラクチド、ポリグリコリド、ポリラクチド−コ−グリコリド（ＰＬＧＡ）、ポリ無水物、ポリオルソエステル、ポリエーテルエステル、ポリカプロラクトン、ポリエステルアミド、ポリ（酪酸）、ポリ（バレリアン酸）、ポリウレタン、ならびにこれらのコポリマー及び配合物が挙げられる。非生分解性ポリマーの例としては、ナイロン、ポリエステル、ポリカーボネート、エチレン酢酸ビニルと他のアシル置換酢酸セルロースのポリマー、非分解性ポリウレタン、ポリスチレン、ポリ塩化ビニル、ポリフッ化ビニル、ポリ（ビニルイミダゾール）、クロロスルホナートポリオレフィン、ポリエチレンオキシド、これらの配合物及びコポリマーが挙げられる。
【００８４】
本明細書に説明されるマイクロ針は、多様な方法によって製造され得る。例えば、いくつかの実施形態では、中空マイクロ針が、レーザーまたは類似の光エネルギー源を使用して製造される。１つの例では、マイクロカニューレが、所望のマイクロ針長さを表すようにレーザーを使用して切断されてもよい。レーザーはまた、単一または複数の先端開口を形状付けるために使用されてもよい。所望のマイクロ針構造を形状付けるために、単一のミクロンカニューレ上に単一または複数の切断が実施されてもよい。１つの例では、マイクロカニューレは、ステンレス鋼などの金属から作製されて、光スペクトルの赤外領域内（０．７〜３００μｍ）の波長を有するレーザーを使用して切断されてもよい。当業者に周知である金属電界研磨技術を使用して、更なる改良が実施されてもよい。別の実施形態では、マイクロ針長さ及び任意の斜角は、物理的研削プロセスによって形成され、それは例えば、金属カニューレを動く摩耗表面に接して研削することを含んでもよい。製造プロセスは、所望の正確なマイクロ針の先端の形状を形成するために精密研削、マイクロビーズジェット噴流、及び超音波洗浄を更に含んでもよい。
【００８５】
いくつかの実施形態では、本明細書に示され、説明される種類の可変径針（例えば、針２４０）は、深絞りプロセスによって製造され得る。このプロセスは、本明細書に説明される通り、可変径を有するモノリシックな針を生成するために使用され得る。更に、深絞りプロセスは、薄い壁厚さを有する針を生成し得る。
【００８６】
多様な眼の疾患及び障害が、本明細書に説明される方法及びデバイスによって治療されてもよい。眼の疾患の非限定的な例としては、ブドウ膜炎、緑内障、糖尿病性黄斑浮腫または網膜症、黄斑変性症、網膜芽腫、及び遺伝的疾患が挙げられる。本明細書に説明される方法は、例えば、眼の後区内の網脈絡膜組織、黄斑、及び視神経などの眼の後方領域に投与される必要がある薬物の局所送達に特に有用である。一実施形態では、本明細書に説明される送達方法及びデバイスは、遺伝子に基づく療法用途に使用されてもよい。例えば、本方法は、流体薬物製剤を脈絡膜上腔に投与して、選択されたＤＮＡ、ＲＮＡ、またはオリゴヌクレオチドを標的眼組織に送達してもよい。
【００８７】
マイクロ針は、眼または付近の組織内の特定の組織または領域に送達を標的するために使用され得る。種々の実施形態では、本方法は、特に、治療を必要とする強膜、脈絡膜、ブルッフ膜、網膜色素上皮、網膜下腔、網膜、黄斑、視神経乳頭、視神経、毛様体、線維柱帯網、房水、硝子体液、及び他の眼組織または付近の組織への薬物送達のために設計されてもよい。
【００８８】
本明細書に説明される本システム及びデバイスを使用して、多様な薬物が、眼組織への送達のために製剤化されてもよい。更に、本明細書に説明される送達デバイス及び／または方法のうちのいずれかは、本明細書に説明される薬物のうちのいずれかに関わる、それを含む、及び／またはそれを収容し得る。例えば、いくつかの実施形態では、薬剤容器１３０、３３０、５３０、６３０、または任意の他の薬剤容器は、本明細書に説明される薬物及び／または製剤のうちのいずれかを収容し得る。本明細書で使用するとき、用語「薬物」（または「薬剤」）は、任意の予防剤、治療剤、または診断剤（例えば、造影剤）を指す。薬物は、好適なタンパク質、ペプチド、及びこれらの断片から選択されてもよく、それらは、天然に存在するか、合成されるか、または組み換え技術によって生成され得る。眼組織への送達のための薬物の種類の代表的な例としては、抗体、抗ウイルス剤、化学療剤（例えば、トポイソメラーゼ阻害剤）、鎮痛剤、麻酔薬、アプタマー、抗ヒスタミン剤、抗炎症剤、及び抗新生物剤が挙げられる。一実施形態では、薬物は、トリアムシノロンまたはトリアムシノロンアセトニドである。
【００８９】
一実施形態において、本明細書に提供される方法及びデバイスを介して送達される「治療製剤」、薬剤、または薬物は、水溶液または懸濁液であり、有効量の薬物または治療剤、例えば、細胞懸濁液などを含む。いくつかの実施形態では、治療製剤は、流体薬物製剤である。「薬物製剤」は、１つ以上の当該技術分野において既知である薬学的に許容される賦形剤材料を典型的に含む、薬物の製剤である。用語「賦形剤」は、薬物の取り扱い、安定性、分散性、湿潤性、放出動態、及び／または注入を促進することを意図される、製剤の任意の非活性成分を指す。一実施形態では、賦形剤は、水または生理食塩水を含むか、またはそれからなり得る。
【００９０】
ブドウ膜炎（例えば、非感染性ブドウ膜炎）、ブドウ膜炎（例えば、非感染性ブドウ膜炎）に関連付けられる黄斑浮腫、ＲＶＯに関連付けられる黄斑浮腫、または滲出型ＡＭＤの治療のためにヒト対象の眼の脈絡膜上腔に送達される治療製剤は、液体薬物、好適な溶媒中に薬物もしくは療法を含む液体溶液、または液体懸濁液の形態であってもよい。液体懸濁液は、輸液用の好適な液体ビヒクル中に分散された微粒子またはナノ粒子を含んでもよい。種々の実施形態では、薬物は、液体ビヒクル中、微粒子もしくはナノ粒子中、またはビヒクル及び粒子の両方中に含まれる。薬物製剤は、脈絡膜上腔内に流れ込み、その中を流れ、またその周囲の後方眼組織内に流れ込むのに十分に流体である。一実施形態では、流体薬物製剤の粘度は、３７℃で約１ｃＰである。
【００９１】
一実施形態では、薬物製剤（例えば、流体薬物製剤）は、微粒子またはナノ粒子を含み、そのどちらも少なくとも１つの薬物を含む。望ましくは、微粒子またはナノ粒子は、脈絡膜上腔及び周囲の後方眼組織内への薬物の制御放出を提供する。本明細書で使用するとき、用語「微粒子」は、約１μｍ〜約１００μｍ、例えば、約１〜約２５μｍ、または約１μｍ〜約７μｍなどの数平均径を有するマイクロスフェア、マイクロカプセル、微粒子、及びビーズを包含する。「ナノ粒子」は、約１ｎｍ〜約１０００ｎｍの平均径を有する粒子である。微粒子は、一実施形態では、約３μｍ以下のＤ５０を有する。更なる実施形態では、Ｄ５０は、約２μｍである。別の実施形態では、薬物製剤中の粒子のＤ５０は、約２μｍ以下である。別の実施形態では、薬物製剤中の粒子のＤ５０は、約１０００ｎｍ以下である。一実施形態では、薬物製剤は、約１０μｍ以下のＤ９９を有する微粒子を含む。微粒子は、一実施形態では、約３μｍ以下のＤ５０を有する。更なる実施形態では、Ｄ５０は、約２μｍである。別の実施形態では、薬物製剤中の粒子のＤ５０は、約２μｍ以下である。別の実施形態では、薬物製剤中の粒子のＤ５０は、約１０００ｎｍ以下である。一実施形態では、薬物製剤は、約１０μｍ以下のＤ９９を有する微粒子を含む。微粒子は、一実施形態では、約３μｍ以下のＤ５０を有する。更なる実施形態では、Ｄ５０は、約２μｍである。別の実施形態では、薬物製剤中の粒子のＤ５０は、約２μｍ以下である。別の実施形態では、薬物製剤中の粒子のＤ５０は、約１００ｎｍ〜約１０００ｎｍである。一実施形態では、薬物製剤は、約１０００ｎｍ〜約１０μｍのＤ９９を有する微粒子を含む。微粒子は、一実施形態では、約１μｍ〜約５μｍ以下のＤ５０を有する。別の実施形態では、薬物製剤は、約１０μｍのＤ９９を有する粒子を含む。別の実施形態では、薬剤中の粒子のＤ９９は、約１０μｍ未満、または約９μｍ未満、または約７μｍ未満、または約３μｍ未満である。更なる実施形態では、微粒子またはナノ粒子は、抗炎症薬を含む。更なる実施形態では、抗炎症薬は、トリアムシノロンである。
【００９２】
微粒子及びナノ粒子は、球形であってもよく、またはなくてもよい。「マイクロカプセル」及び「ナノカプセル」は、別の材料のコアを取り囲む外側シェルを有する微粒子及びナノ粒子として定義される。コアは、液体、ゲル、固体、気体、またはこれらの組み合わせであり得る。場合により、マイクロカプセルまたはナノカプセルは、気体のコアを取り囲む外側シェルを有する「マイクロバブル」または「ナノバブル」であってもよく、この場合、薬物は、外側シェルの表面上、外側シェル自体の中、またはコアの中に配置される。（マイクロバブル及びナノバブル（ｎａｎｏｂｕｂｌｅ）は、診断用の当該技術分野において既知である音響振動に応答するか、またはマイクロバブルを破裂させて、そのペイロードを選択される眼組織部位に／中へ放出してもよい。）「マイクロスフェア」及び「ナノスフェア」は、固体スフェアであり得るか、多孔質であり、マトリックス材料もしくはシェル中の孔もしくは隙間によって形成されるスポンジ様もしくは蜂巣構造を含み得るか、またはマトリックス材料もしくはシェル中に複数の別個の隙間を含み得る。微粒子またはナノ粒子は、マトリックス材料を更に含んでもよい。シェルまたはマトリックス材料は、ポリマー、アミノ酸、サッカリド（ｓａｃｃｈａｒｒｉｄｅ）、またはマイクロカプセル化の技術分野において既知である他の材料であってもよい。
【００９３】
薬物含有微粒子またはナノ粒子は、水性または非水性液体ビヒクル中に懸濁されてもよい。液体ビヒクルは、薬学的に許容される水溶液であってもよく、任意に界面活性剤を更に含んでもよい。薬物自体の微粒子またはナノ粒子は、粒子からの薬物放出の動態を制御することが当該技術分野において既知である、例えば、ポリマー、多糖、界面活性剤などの賦形剤材料を含んでもよい。
【００９４】
一実施形態では、薬物製剤は、強膜内のコラーゲンまたはＧＡＧ繊維を分解するのに有効な薬剤を更に含み、これは眼組織内への薬物の貫通／放出を強化する場合がある。この薬剤は、例えば、ヒアルロニダーゼ、コラゲナーゼ、またはこれらの組み合わせなどの酵素であってもよい。この方法の変形では、酵素は、先行または後続の薬物の輸液とは別々のステップで眼組織に投与される。酵素及び薬物は、同一部位に投与される。
【００９５】
別の実施形態では、薬物製剤は、投与時に相変化を受けるものである。例えば、液体薬物製剤は、脈絡膜上腔を通じて脈絡膜上腔内に注入されてもよく、そこでそれは次にゲル化し、薬物が制御放出のためにゲルから拡散する。
【００９６】
一実施形態では、治療物質は、治療物質の移動を制限するため、及び／または製剤の粘度を増大させるために１つ以上のポリマー賦形剤と共に製剤化される。ポリマー賦形剤は、現場で粘性のゲル様材料として作用するように選択及び製剤化され、それにより、脈絡膜上腔の領域内に拡散され、薬物を均一に分配及び保持してもよい。一実施形態では、ポリマー賦形剤は、適切な粘度、流れ、及び溶解特性を提供するように選択及び製剤化される。例えば、一実施形態では、カルボキシメチルセルロースが脈絡膜上腔内にゲル様材料を形成するために使用される。一実施形態では、ポリマーの粘度は、疎水性部分の添加、高分子量ポリマーの選択などの会合特性を増大させるようなポリマーへの適切な化学的修飾によって、または適切な界面活性剤の製剤化によって強化される。
【００９７】
一実施形態では、治療製剤の溶解特性は、小ゲージ針を通じた送達と脈絡膜上腔内での局所化との両方を可能にするように、水溶性、分子量、及びポリマー賦形剤の濃度を適切な揺変性特性の範囲で調整することによって調節される。ポリマー賦形剤は、材料及び組み込まれた薬物の移動または溶解を更に制限するために、送達後に粘度が増大するように、または架橋結合するように製剤化されてもよい。
【００９８】
生理的に適合性であり、本明細書に説明される治療製剤におけるポリマー賦形剤としての使用ならびに本明細書に説明される方法及びデバイスを介した送達に好適である水溶性ポリマーとしては、限定されるものではないが、合成ポリマー、例えば、ポリビニルアルコール、ポリビニルピロリドン（ｐｏｌｙｖｉｎｙｌｐｙｒｏｌｌｉｄｏｎｅ）、ポリエチレングリコール、ポリエチレンオキシド、ポリヒドロキシエチルメタクリレート、ポリプロピレングリコール及びプロピレンオキシドなど、ならびに生物学的ポリマー、例えば、セルロース誘導体、キチン誘導体、アルギン酸塩、ゼラチン、デンプン誘導体、ヒアルロン酸、コンドロイチンスルフェート、デルマチンスルフェート、及び他のグリコソアミノグリカン（ｇｌｙｃｏｓｏａｍｉｎｏｇｌｙｃａｎ）など、ならびにかかるポリマーの混合物またはコポリマーが挙げられる。一実施形態では、ポリマー賦形剤は、ポリマーの濃度、分子量、水溶性、架橋結合、酵素不安定性、及び組織接着特性によって制御される速度を有する経時的な溶解を可能にするように選択される。
【００９９】
一実施形態では、本明細書に説明される方法及び／またはデバイスのうちの１つによって送達される治療製剤中に、粘度変性剤が存在する。更なる実施形態では、粘度変性剤は、ポリビニルアルコール、ポリビニルピロリドン、メチルセルロース、ヒドロキシプロピルセルロース、ヒドロキシエチルセルロース、ヒドロキシメチルセルロース、またはヒドロキシプロピルセルロースである。別の実施形態では、製剤は、ポリ（ヒドロキシメチルメタクリレート）、ポリ（Ｎ−ビニルピロリドン）、ポリビニルアルコールなどのゲル化剤、またはＣａｒｂｏｐｏｌなどのアクリル酸ポリマーを含む。
【０１００】
一実施形態では、治療製剤は、本明細書に説明される方法及びまたはデバイスのうちの１つを介してリポソーム製剤として送達される。
【０１０１】
リポソームは、多様な方法によって生成され得る。Ｂａｎｇｈａｍの手順（Ｊ．Ｍｏｌ．Ｂｉｏｌ．，Ｊ  Ｍｏｌ  Ｂｉｏｌ．１３（１）：２３８−５２，１９６５）は、一般的な多重ラメラ小胞（ＭＬＶ）を生成する。Ｌｅｎｋら（米国特許第４，５２２，８０３号、同第５，０３０，４５３号、及び同第５，１６９，６３７号）、Ｆｏｕｎｔａｉｎら（米国特許第４，５８８，５７８号）、及びＣｕｌｌｉｓら（米国特許第４，９７５，２８２号）は、それらの水性区画の各々において実質的に等しいラメラ間溶質分配を有する多重ラメラリポソームを生成するための方法を開示する。Ｐａｐｈａｄｊｏｐｏｕｌｏｓら、米国特許第４，２３５，８７１号は、逆相蒸発によるオリゴラメラリポソームの調製を開示する。本章中の特許参考文献の各々は、あらゆる目的のためにその全体が参照により本明細書に援用される。
【０１０２】
一実施形態では、リポソーム製剤は、ホソリピッド（ｐｈｏｓｏｌｉｐｉｄ）を含む。更なる実施形態では、リポソーム製剤は、コレステロールなどのステロールを含む。
【０１０３】
別の実施形態では、リポソーム製剤は、単一ラメラ小胞を含む。単一ラメラ小胞は、例えば、Ｃｕｌｌｉｓら（米国特許第５，００８，０５０号）及びＬｏｕｇｈｒｅｙら（米国特許第５，０５９，４２１号）の押出などの多数の技術によって、ＭＬＶから生成され得る。超音波処理及び均質化は、より大きいリポソームからより小さい単一ラメラリポソームを生成するために使用され得る（例えば、Ｐａｐｈａｄｊｏｐｏｕｌｏｓ  ｅｔ  ａｌ．，Ｂｉｏｃｈｉｍ．Ｂｉｏｐｈｙｓ．Ａｃｔａ．，１３５：６２４−６３８，１９６７；Ｄｅａｍｅｒ、米国特許第４，５１５，７３６号；及びＣｈａｐｍａｎ  ｅｔ  ａｌ．，Ｌｉｐｏｓｏｍｅ  Ｔｅｃｈｎｏｌ．，１９８４，ｐｐ．１−１８を参照）。リポソームを生成するためのこれら及び他の方法の概説は、文献Ｌｉｐｏｓｏｍｅｓ，Ｍａｒｃ  Ｏｓｔｒｏ，ｅｄ．，Ｍａｒｃｅｌ  Ｄｅｋｋｅｒ，Ｉｎｃ．，Ｎｅｗ  Ｙｏｒｋ，１９８３，Ｃｈａｐｔｅｒ  １に見出され得、その関連部分は参照により本明細書に援用される。同様に、Ｓｚｏｋａ，Ｊｒ．ら（１９８０，Ａｎｎ．Ｒｅｖ．Ｂｉｏｐｈｙｓ．Ｂｉｏｅｎｇ．，９：４６７）も参照されたい。本章中の参考文献の各々は、あらゆる目的のためにその全体が参照により本明細書に援用される。
【０１０４】
用語「抗体」は、ＩｇＧ、ＩｇＭ、ＩｇＡ、ＩｇＤ、及びＩｇＥなどの免疫学的結合剤を広義に指すことを意図される。抗体は、モノクローナルまたはポリクローナルであり得、一実施形態では、ヒト化抗体である。用語「抗体」はまた、抗原結合領域を有する任意の抗体様分子を指すためにも使用され、Ｆａｂ’、Ｆａｂ、Ｆ（ａｂ’）２、単一ドメイン抗体（ＤＡＢ）、Ｆｖ、ｓｃＦｖ（単鎖Ｆｖ）などの抗体断片、及びダイボディ、トリボディ、及びマルチボディなどの改変多価抗体断片を含む。種々の抗体系構築物及び断片を調製及び使用するための技術は、当該技術分野において周知である（例えば、参照により本明細書に援用される、Ａｎｔｉｂｏｄｉｅｓ：Ａ  Ｌａｂｏｒａｔｏｒｙ  Ｍａｎｕａｌ，Ｃｏｌｄ  Ｓｐｒｉｎｇ  Ｈａｒｂｏｒ  Ｌａｂｏｒａｔｏｒｙ，１９８８を参照）。
【０１０５】
特定の薬物及び薬物の種類の非限定的な例としては、β−アドレナリン受容体拮抗剤（例えば、カルテオロール、セタモロール、ベタキソロール、レボブノロール、メチプラノロール、チモロール）、縮瞳薬（例えば、ピロカルピン、カルバコール、フィゾスチグミン）、交感神経様作用薬（例えば、アドレナリン、ジピブリン）、炭酸脱水酵素阻害剤（例えば、アセタゾールアミド、ドルゾラミド）、トポイソメラーゼ阻害剤（例えば、トポテカン、イリノテカン、カンプトテシン、ラメラリンＤ、エトポシド、テニポシド、ドキソルビシン、ミトキサントロン、アムサクリン）、プロスタグランジン、抗菌及び抗真菌を含む抗微生物化合物（例えば、クロラムフェニコール、クロルテトラサイクリン、シプロフロキサシン、フレーセチン、フシジン酸、ゲンタマイシン、ネオマイシン、ノルフロキサシン、オフロキサシン、ポリミキシン、プロパミジン、テトラサイクリン、トブラマイシン、キノリン）、抗ウイルス化合物（例えば、アシクロビル、シドフォビル、イドクスウリジン、インターフェロン）、アルドース還元酵素阻害剤、抗炎症及び／または抗アレルギー化合物（例えば、ベタメタゾン、クロベタゾン、デキサメタゾン、フルオロメトロン、ヒドロコルチゾン、プレドニゾロンなどのステロイド化合物、及びアンタゾリン、ブロムフェナク、ジクロフェナク、インドメタシン、ロドキサミド、サプロフェン（ｓａｐｒｏｆｅｎ）、クロモグリク酸ナトリウムなどの非ステロイド化合物）、人工涙液／ドライアイ療法、局所麻酔薬（例えば、アメトカイン、リグノカイン、オキシブプロカイン、プロキシメタカイン）、シクロスポリン、ジクロフェナク、ウロガストロン及び成長因子、例えば、表皮性成長因子など、散瞳薬及び毛様筋調節薬、マイトマイシンＣ、ならびにコラゲナーゼ阻害剤及び加齢性黄斑変性症の治療、例えば、ペガグタニブ（ｐｅｇａｇｔａｎｉｂ）ナトリウム、ラニビズマブ、アフリバーセプト、及びベバシズマブなどが挙げられる。
【０１０６】
一実施形態では、薬物は、インテグリン拮抗薬、セレクチン拮抗薬、接着分子拮抗薬（例えば、細胞間接着分子（ＩＣＡＭ）−１、ＩＣＡＭ−２、ＩＣＡＭ−３、血小板内皮接着分子（ＰＣＡＭ）、血管細胞接着分子（ＶＣＡＭ））、白血球接着誘発サイトカインまたは成長因子拮抗薬（例えば、腫瘍壊死因子−α（ＴＮＦ−α）、インターロイキン−１β（ＩＬ−１β）、単球走化性タンパク質−１（ＭＣＰ−１）、または血管内皮成長因子（ＶＥＧＦ））である。いくつかの実施形態では、血管内皮成長因子（ＶＥＧＦ）阻害剤は、本明細書に説明されるマイクロ針のうちの１つを用いて投与される。いくつかの実施形態では、２つの薬物が本明細書に説明される方法によって送達される。化合物は、１つの製剤中で投与されてもよく、または２つの別々の製剤中で順次投与されてもよい。例えば、ＶＥＧＦ阻害剤とＶＥＧＦとの両方が提供される。いくつかの実施形態では、ＶＥＧＦ阻害剤は、例えば、ヒト化モノクローナル抗体などの抗体である。更なる実施形態では、ＶＥＧＦ抗体は、ベバシズマブである。別の実施形態では、ＶＥＧＦ阻害剤は、ラニビズマブ、アフリバーセプト、またはペガプタニブである。また他の実施形態では、本明細書に説明されるデバイス及び方法は、以下のＶＥＧＦ拮抗薬のうちの１つ以上を送達するために使用され得る：ＡＬ８３２６、２Ｃ３抗体、ＡＴ００１抗体、ＨｙＢＥＶ、ベバシズマブ（Ａｖａｓｔｉｎ）、ＡＮＧ３０７０、ＡＰＸ００３抗体、ＡＰＸ００４抗体、ポナチニブ（ＡＰ２４５３４）、ＢＤＭ−Ｅ、ＶＧＸ１００抗体（ＶＧＸ１００  ＣＩＲＣＡＤＩＡＮ）、ＶＧＸ２００（ｃ−ｆｏｓ誘発成長因子モノクローナル抗体）、ＶＧＸ３００、ＣＯＳＭＩＸ、ＤＬＸ９０３／１００８抗体、ＥＮＭＤ２０７６、Ｓｕｔｅｎｔ（スニチニブリンゴ酸塩）、ＩＮＤＵＳ８１５Ｃ、Ｒ８４抗体、ＫＤ０１９、ＮＭ３、抗ＶＥＧＦ剤または抗体と組み合わせた同種異形間葉前駆細胞、ＭＧＣＤ２６５、ＭＧ５１６、ＶＥＧＦ受容体キナーゼ阻害剤、ＭＰ０２６０、ＮＴ５０３、抗ＤＬＬ４／ＶＥＧＦ二重特異性抗体、ＰＡＮ９０８０６、Ｐａｌｏｍｉｄ５２９、ＢＤ０８０１抗体、ＸＶ６１５、ルシタニブ（ｌｕｃｉｔａｎｉｂ）（ＡＬ３８１０、Ｅ３８１０）、ＡＭＧ７０６（モテサニブ二リン酸）、ＡＡＶ２−ｓＦＬＴ０１、可溶性Ｆｌｔ１受容体、セジラニブ（Ｒｅｃｅｎｔｉｎ）、ＡＶ−９５１（チボザニブ、ＫＲＮ−９５１）、Ｓｔｉｖａｒｇａ（レゴラフェニブ）、ボラセルチブ（ＢＩ６７２７）、ＣＥＰ１１９８１、ＫＨ９０３、レンバチニブ（Ｅ７０８０）、テラメプロコル（ＥＭ１４２１）、ラニビズマブ（Ｌｕｃｅｎｔｉｓ）、Ｖｏｔｒｉｅｎｔ（パゾパニブ塩酸塩）、ＰＦ００３３７２１０、ＰＲＳ０５０、ＳＰ０１（クルクミン）、オロチン酸カルボキシアミドトリアゾール、ヒドロキシクロロキン、リニファニブ（ＡＢＴ８６９、ＲＧ３６３５）、Ｉｌｕｖｉｅｎ（フルオシノロンアセトニド）、ＡＬＧ１００１、ＡＧＮ１５０９９８、ＤＡＲＰｉｎ  ＭＰ０１１２、ＡＭＧ３８６、ポナチニブ（ＡＰ２４５３４）、ＡＶＡ１０１、Ｖａｒｇａｔｅｆ（ニンテダニブ）、ＢＭＳ６９０５１４、ＫＨ９０２、ゴルバチニブ（Ｅ７０５０）、Ａｆｉｎｉｔｏｒ（エベロリムス）、ドビチニブ乳酸塩（ＴＫＩ２５８、ＣＨＩＲ２５８）、ＯＲＡ１０１、ＯＲＡ１０２、アキシチニブ（Ｉｎｌｙｔａ、ＡＧ０１３７３６）、プリチデプシン（Ａｐｌｉｄｉｎ）、メシル酸レンバチニブ、ＰＴＣ２９９、アフリバーセプト（Ｚａｌｔｒａｐ、Ｅｙｌｅａ）、ペガプタニブナトリウム（Ｍａｃｕｇｅｎ、ＬＩ９０００１５）、Ｖｉｓｕｄｙｎｅ（ベルテポルフィン）、ブシラミン（リマチル、ラミン、ブリマーニ、ラミット、ブーミック（Ｂｏｏｍｉｑ））、Ｒ３抗体、ＡＴ００１／ｒ８４抗体、トロポニン（ＢＬＳ０５９７）、ＥＧ３３０６、バタラニブ（ＰＴＫ７８７）、Ｂｍａｂ１００、ＧＳＫ２１３６７７３、抗ＶＥＧＦＲ  Ａｌｔｅｒａｓｅ、アビラ、ＣＥＰ７０５５、ＣＬＴ００９、ＥＳＢＡ９０３、ＨｕＭａｘ−ＶＥＧＦ抗体、ＧＷ６５４６５２、ＨＭＰＬ０１０、ＧＥＭ２２０、ＨＹＢ６７６、ＪＮＪ１７０２９２５９、ＴＡＫ５９３、ＸｔｅｎｄＶＥＧＦ抗体、Ｎｏｖａ２１０１２、Ｎｏｖａ２１０１３、ＣＰ５６４９５９、スマート抗ＶＥＧＦ抗体、ＡＧ０２８２６２、ＡＧ１３９５８、ＣＶＸ２４１、ＳＵ１４８１３、ＰＲＳ０５５、ＰＧ５０１、ＰＧ５４５、ＰＴＩ１０１、ＴＧ１００９４８、ＩＣＳ２８３、ＸＬ６４７、エンザスタウリン塩酸塩（ＬＹ３１７６１５）、ＢＣ１９４、キノリン、ＣＯＴ６０１Ｍ０６．１、ＣＯＴ６０４Ｍ０６．２、マビオンＶＥＧＦ、抗ＶＥＧＦまたはＶＥＧＦ−Ｒ抗体に結合したＳＩＲ球、アパチニブ（ＹＮ９６８Ｄ１）、及びＡＬ３８１８。それに加えて、本明細書に開示されるマイクロ針デバイス及び方法を使用したＶＥＧＦ阻害剤またはＶＥＧＦ拮抗薬の送達は、本明細書に列挙される１つ以上の薬剤と、または当該技術分野において既知である他の薬剤と組み合わせられてもよい。
【０１０７】
一実施形態では、本明細書に開示されるデバイス及び方法を使用した眼の脈絡膜上腔へのＶＥＧＦ拮抗薬の送達は、白血病、再発性／難治性白血病、急性リンパ芽球性白血病、急性骨髄性（ｍｙｅｌｏｇｅｎｏｕｓ）白血病、再発性または難治性急性骨髄性（ｍｙｅｌｏｉｄ）白血病、アトピー性皮膚炎、尿路上皮の反復性または転移性上皮性悪性腫瘍、進行した尿路上皮癌、血液障害、骨髄線維症、脳腫瘍、グリア芽腫、神経膠腫、髄膜腫、癌、癌性髄膜炎（新生物性髄膜炎）、脈絡膜血管新生（ＣＮＶ）、中心窩下脈絡膜血管新生、慢性リンパ性白血病、慢性骨髄性（ｍｙｅｌｏｇｅｎｏｕｓ）白血病、難治性慢性骨髄性（ｍｙｅｌｏｇｅｎｏｕｓ）白血病、結腸癌、結腸直腸癌、変性神経疾患、神経変性疾患、糖尿病性黄斑浮腫、糖尿病性黄斑浮腫による視力障害、糖尿病性網膜症、ドライアイ症候群（乾燥した眼の炎症及び角膜組織の損傷）、子宮内膜癌、眼疾患（ｅｙｅ  ｄｉｓｅａｓｅ）、眼疾患（ｏｃｕｌａｒ  ｄｉｓｅａｓｅ）、眼血管新生、眼癌、神経線維腫症ＩＩ型、頭頸部癌、血液悪性腫瘍、カポジ肉腫、肝細胞癌、肺癌、黄斑変性症、加齢性黄斑変性症、滲出性加齢性黄斑変性症、新生血管（滲出型）加齢性黄斑変性症（ＡＭＤ））、中心窩下新生血管加齢性黄斑変性症、黄斑浮腫、網膜静脈分枝閉塞に関連付けられる黄斑浮腫、網膜静脈閉塞後の黄斑浮腫、網膜静脈閉塞（ＲＶＯ）を伴う黄斑浮腫、多発性骨髄腫、再発性または難治性多発性骨髄腫、多発性硬化症、近視、病的近視、神経内分泌腫瘍、カルチノイド腫瘍、神経内分泌腫瘍、非ホジキンリンパ腫、びまん性大細胞型Ｂ細胞リンパ腫、非小細胞肺癌、非扁平上皮非小細胞肺癌、非小細胞肺腺癌、扁平上皮非小細胞肺癌、角膜移植片拒絶、変形性関節炎、反復性症候性悪性腹水、末梢Ｔ細胞リンパ腫、アンドロゲン非依存性乾癬、肺線維症、突発性肺線維症、呼吸器疾患、網膜剥離、網膜障害、網膜色素変性、網膜静脈閉塞、網膜静脈分枝閉塞、網膜中心静脈閉塞、リウマチ性関節炎、肉腫、胞巣状軟部肉腫、軟組織肉腫、強皮症／全身性硬化症、固形腫瘍、難治性胚細胞腫瘍、甲状腺癌、分化型または髄様甲状腺癌、及びウェスト症候群（乳児痙攣）から選択される疾患または障害を治療、予防、及び／または改善するために使用される。
【０１０８】
特定の実施形態では、本明細書に開示されるデバイス及び方法を使用して脈絡膜上腔に送達される薬物は、ラパマイシン（シロリムス、Ｒａｐａｍｕｎｅ）である。一実施形態では、本明細書に開示されるデバイス（例えば、マイクロ針デバイス）及び方法は、腹部新生物、後天性免疫不全症厚遇、急性冠不全症候群、急性リンパ芽球性白血病、急性骨髄性白血病、急性非リンパ芽球性白血病、腺癌、腺腫、腺腫様食細胞腫、肛門直腸疾患、未分化星状細胞腫、未分化大細胞リンパ腫、未分化形質細胞腫、貧血、狭心症、異蛋白血症を伴う血管免疫芽球性リンパ節腫脹、血管筋脂肪腫、動脈閉塞性疾患、動脈硬化症、星状細胞腫、アテローム硬化症、自己免疫疾患、Ｂ細胞リンパ腫、血液凝固障害、血液タンパク質障害、骨癌、骨髄疾患、脳疾患、脳新生物、胸部ベオブラズマ（ｂｒｅａｓｔ  ｂｅｏｐｌａｓｍ）、気管支新生物、カルチノイド症候群、カルチノイド腫瘍、上皮性悪性腫瘍、扁平上皮癌、中枢神経系疾患、中枢神経系新生物、脈絡膜疾患、脈絡叢新生物、脈絡膜血管新生、脈絡膜炎、慢性リンパ性白血病、慢性骨髄性（ｍｙｅｌｏｉｄ）白血病、慢性骨髄単球性白血病、慢性骨髄増殖性疾患、慢性好中球白血病、透明細胞腎細胞癌、結腸疾患、結腸新生物、結腸直腸新生物、冠状動脈疾患、冠動脈疾患、冠動脈閉塞、冠動脈再狭窄、冠動脈狭窄、冠動脈血栓症、皮膚Ｔ細胞リンパ腫、糖尿病、消化器系新生物、ドライアイ症候群、耳疾患、浮腫、内分泌腺新生物、内分泌系疾患、子宮内膜新生物、子宮内膜間質腫瘍、ユーイング肉腫、発疹、眼新生物、線維症、濾胞性リンパ腫、胃腸疾患、胃腸新生物、生殖器新生物、グリア芽腫、神経膠腫、グリア芽腫、移植片対宿主疾患、血液疾患、血液新生物、出血性障害、止血障害、ホジキン病、ホジキンリンパ腫、同種消耗性疾患、免疫芽細胞性リンパ節症、免疫不全症候群、免疫増殖性障害、梗塞、炎症、腸疾患、腸新生物、局所貧血、腎癌、腎疾患、腎新生物、白血病、Ｂ細胞、白血病、リンパ系、肝癌、肝疾患、肺疾患、リンパ系疾患、リンパ芽球性リンパ腫、リンパ腫、黄斑変性症、黄斑浮腫、黒色腫、口腔新生物、多発性骨髄腫、骨髄異形成症候群、骨髄線維症、骨髄増殖性疾患、神経外胚葉性腫瘍、神経内分泌腫瘍、神経表皮腫、神経線維腫、腎臓癌、気道疾患、網膜変性、網膜疾患、網膜新生物、網膜芽腫、横紋筋肉腫、胸部新生物、ブドウ膜炎、血管疾患、ヴァルデンストレームマクログロブリン血症、及び滲出型黄斑変性症を含むがそれらに限定されない、広範な疾患または障害を治療、予防、及び／または改善するために、ラパマイシンと併せて使用される。それに加えて、本明細書に開示されるマイクロ針デバイス及び方法を使用したラパマイシンの送達は、本明細書に列挙される１つ以上の薬剤と、または当該技術分野において既知である他の薬剤と組み合わせられてもよい。
【０１０９】
一実施形態では、本明細書に開示されるマイクロ針デバイス及び方法を使用して、例えば、強膜または脈絡膜上腔などの眼組織に送達される薬物は、炎症を低減、阻害、予防、及び／または改善する。炎症を低減、阻害、予防、及び／または改善する薬物の例としては、１９ＡＶ作動薬、１９ＧＪ作動薬、２ＭＤアナログ、４ＳＣ１０１、４ＳＣ１０２、５７−５７、５−ＨＴ２受容体拮抗薬、６４Ｇ１２、Ａ８０４５９８、Ａ９６７０７９、ＡＡＤ２００４、ＡＢ１０１０、ＡＢ２２４０５０、アバタセプト、Ａｂｅｇｒｉｎ、Ａｂｅｖａｃ、ＡｂＧｎ１３４、ＡｂＧｎ１６８、Ａｂｋｉ、ＡＢＮ９１２、ＡＢＲ２１５０６２、ＡＢＲ２２４０５０、Ａｂｒａｍｍｕｎｅ、Ａｂｒｅｖａ、ＡＢＳ１５、ＡＢＳ４、ＡＢＳ６、ＡＢＴ１２２、ＡＢＴ３２５、ＡＢＴ４９４、ＡＢＴ８７４、ＡＢＴ９６３、ＡＢＸＩＬ８、ＡＢＸＲＢ２、ＡＣ４３０、Ａｃｃｅｎｅｔｒａ、Ａｃｄｅａｍ、ＡＣＥ７７２、Ａｃｅｂｉｄ、Ａｃｅｂｌｏｃ、アセクロフェナク、アセトアミノフェン、クロルゾキサゾン、セラペプターゼ、チザニジン塩酸塩、ベータデクス、Ａｃｅｃｌｏｇｅｓｉｃ  Ｐｌｕｓ、Ａｃｅｃｌｏｎ、Ａｃｅｃｌｏｒｅｎ、Ａｃｅｃｌｏｒｉｓｍ、アセクロナ（ａｃｅｃｒｏｎａ）、Ａｃｅｆｆｅｉｎ、アセメタシン、Ａｃｅｎａｃ、Ａｃｅｎｔｅｒｉｎｅ、Ａｃｅｔａｌ−ＳＰ、イブプロフェン、Ａｃｅｔｙｌ−Ｇ、アセチルサリチラートｄｌ−リジン、アセチルサリチル酸、Ａｃｉｃｏｔ、Ａｃｉｆｉｎｅ、Ａｃｉｋ、Ａｃｌｏｃｅｎ、Ａｃｌｏｆｌａｍ−Ｐ、Ａｃｌｏｍｏｒｅ、Ａｃｌｏｎ、Ａ−ＣＱ、ＡＣＳ１５、アクタリット、Ａｃｔｅｍｒａ、Ａｃｔｈｅｌｅａ  ｌｉｏｆｉｌｉｚａｄｏ、Ａｃｔｉｆａｓｔ、Ａｃｔｉｍａｂ−Ｂ、Ａｃｔｉｑｕｉｍ、Ａｃｔｉｒｉｎ、Ａｃｔｉｓ  ＰＬＵＳ、活性化白血球細胞接着分子抗体、Ａｃｕｌａｒ  Ｘ、ＡＤ４５２、アダリムマブ、ＡＤＡＭＴＳ５阻害剤、ＡＤＣ１００１、Ａｄｃｏ−Ｄｉｃｌｏｆｅｎａｃ、Ａｄｃｏ−Ｉｎｄｏｍｅｔｈａｃｉｎ、Ａｄｃｏ−Ｍｅｌｏｘｉｃａｍ、Ａｄｃｏ−Ｎａｐｒｏｘｅｎ、Ａｄｃｏ−Ｐｉｒｏｘｉｃａｍ、Ａｄｃｏｒｔ、Ａｄｃｏ−Ｓｕｌｉｎｄａｃ、アデノシントリホスフェートジナトリウム、アデノシンＡ２ａ受容体作動薬、Ａｄｉｍｏｄ、Ａｄｉｎｏｓ、Ａｄｉｏｃｔ、Ａｄｉｏｄｏｌ、Ａｄｉｐｏｐｌｕｓ、脂肪由来幹及び／または新生細胞、Ａｄｉｚｅｎ、Ａｄｐｅｐ、Ａｄｖａｃａｎ、Ａｄｖａｇｒａｆ、Ａｄｖｅｌ、Ａｄｗｉｆｌａｍ、ＡＥＢ０７１、Ａｅｎｔａｌ、Ａｆｅｎａｃ、Ａｆｆｅｎ  Ｐｌｕｓ、Ａｆｉａｎｃｅｎ、Ａｆｉｎｉｔｏｒ、Ａｆｌａｍｉｎ、Ａｆｌａｚａｃｏｒｔ、Ａｆｌｏｇｅｎ、Ａｆｌｏｘａｎ、ＡＦＭ１５、ＡＦＭ１６、ＡＦＭ１７、ＡＦＭ２３、Ａｆｐｒｅｄ−Ｄｅｘａ、ＡＦＸ２００、ＡＧ０１１、Ａｇａｆｅｎ、アガニルセン（ａｇａｎｉｒｓｅｎ）、ＡＧＩ１０９６、Ａｇｉｄｅｘ、ＡＧＳ０１０、Ａｇｕｄｏｌ、Ａ−Ｈｙｄｒｏｃｏｒｔ、ＡＩＫ１、ＡＩＮ４５７、Ａｉｒｔａｌ、ＡＩＴ１１０、ＡＪＭ３００、アジュレミン酸、ＡＫ１０６、ＡＬ−２４−２Ａ１、ＡＬ４−１Ａ１、Ａｌａ  Ｃｏｒｔ、Ａｌａｎｚ、アルブミン免疫グロブリン、ジプロピオン酸アルクロメタゾン、ＡＬＤ５１８、アルデスロイキン、Ａｌｄｏｄｅｒｍａ、アレファセプト、アレムツズマブ、Ａｌｅｑｕｅｌ、Ａｌｅｒｇｏｌｏｎ、Ａｌｅｒｇｏｓｏｎｅ、Ａｌｅｔｒａｘｏｎ、Ａｌｆｅｎａｃ、Ａｌｇａｓｏｎ、Ａｌｇｉｎ  ｖｅｋ  ｃｏａｔ、Ａｌｇｉｏｆｌｅｘ、Ａｌｇｉｒｅｘ、Ａｌｇｉｖｉｎ  Ｐｌｕｓ、アリカフォルセンナトリウム、Ａｌｉｎ、Ａｌｉｎｉａ、Ａｌｉｖｉｏｄｏｌ、Ａｌｉｖｉｏｓｉｎ、アルカリフォスファターゼ、ＡＬＫＳ６９３１、アラントイン、Ａｌｌｂｕｐｅｎ、Ａｌｌｍｏｌ、Ａｌｌｏｃｈｒｙｓｉｎｅ、同種異形内皮細胞、同種異形間葉前駆細胞、同種異形間葉幹細胞、アルミノプロフェン、アルファ１アンチトリプシン、アルファ７ニコチン性作動薬、アルファアミラーゼ、アルファキモトリプシン、アルファフェトプロテイン、アルファリノレン酸、アルファ−１−アンチトリプシン、アルファ２ベータ１インテグリン阻害剤、Ａｌｐｈａｃｏｒｔ、Ａｌｐｈａｆｅｎ、アルファ−ヘキシジン、アルファ−トリプシン、Ａｌｐｈｉｎｔｅｒｎ、Ａｌｐｉｎａｍｅｄ  ｍｏｂｉｌｉｔｙ  ｏｍｅｇａ３、Ａｌｐｏｘｅｎ、ＡＬ−Ｒｅｖ１、Ａｌｔｅｒａｓｅ、ＡＬＸ００６１、ＡＬＸ０７６１、ＡＬＸＮ１００７、ＡＬＸＮ１１０２、ＡＭ３８４０、ＡＭ３８７６、ＡＭＡＢ、ＡＭＡＰ１０２、Ａｍａｓｏｎ、Ａｍｂｅｎｅ、ＡｍｂｅｚｉｍＧ、アムシノニド、ＡＭＥ１３３ｖ、Ａｍｅｃｉｎ、Ａｍｅｌｏｔｅｋｓ、Ａ−Ｍｅｔｈａｐｒｅｄ、Ａｍｅｖｉｖｅ、ＡＭＧ１０８、ＡＭＧ１３９、ＡＭＧ１６２、ＡＭＧ１８１、ＡＭＧ１９１、ＡＭＧ２２０、ＡＭＧ６２３、ＡＭＧ６７４、ＡＭＧ７１４、ＡＭＧ７１９、ＡＭＧ７２９、ＡＭＧ８２７、Ａｍｉｄｏｌ、アミファンプリジンリン酸塩、Ａｍｉｆｅｎａｃ、Ａｍｉｍｅｔｈａｃｉｎ、塩酸アミプリロース、Ａｍｉｐｒｏｆｅｎ、Ａｍｍｏｐｈｏｓ、Ａｍｏｆｌａｍ、ＡＭＰ１１０、Ａｍｐｉｋｙｙ、Ａｍｐｉｏｎ、アンピロキシカム、アムトルメチングアシル、ＡＭＸ２５６、ＡＮ６４１５、ＡＮＡ００４、ＡＮＡ５０６、Ａｎａｂｕ、Ａｎａｃｅｎ、Ａｎａｆｌａｍ、Ａｎａｆｌｅｘ  ＡＣＩ、Ａｎａｉｄａ、アナキンラ、Ａｎａｌｇｅｎ  Ａｒｔｒｉｔｉｓ、Ａｎａｐａｎ、Ａｎａｐｒｏｘ、Ａｎａｖａｎ、Ａｎａｘ、Ａｎｃｏ、アンドロフラフィス、Ａｎｅｏｌ、Ａｎｅｒｇｉｘ、Ａｎｅｒｖａｘ．ＲＡ、Ａｎｆｌｅｎｅ、ＡＮＧ７９７、Ａｎｉｌｉｘｉｎ、Ａｎｍｅｒｕｓｈｉｎ、アネキシン１ペプチド、アネキシンＡ５、Ａｎｏｄｙｎｅ、Ａｎｓａｉｄ、Ａｎｓｐｉｒｉｎ、Ａｎｔａｒｅｎｅ、抗ＢＳＴ２抗体、抗Ｃ５ａＭＡｂ、抗ＩＬＴ７抗体、抗ＶＬＡ１抗体、抗アルファ１１抗体、抗ＣＤ４  ８０２−２、抗ＣＤ８６モノクローナル抗体、抗ケモカイン、抗ＤＣ−ＳＩＧＮ、抗ＨＭＧＢ−１  ＭＡｂ、抗ＩＬ−１８  Ｍａｂ、抗ＩＬ−１Ｒ  ＭＡｂ、抗ＩＬ−１Ｒ  ＭＡｂ、抗ＩＬ２３  ＢＲＩＳＴＯＬ、抗炎症ペプチド、抗インターロイキン１ベータ抗体、抗ＬＩＧＨＴ抗体、抗ＬＩＧＨＴ抗体、抗ＭＩＦ抗体、抗ＭＩＦ抗体、抗ｍｉＲ１８１ａ、抗酸化炎症調節剤、Ａｎｔｉｐｈｌａｍｉｎｅ、ＡｎｔｉＲＡＧＥ  ＭＡｂ、抗トロンビンＩＩＩ、抗ＴＩＲＣ−７  ＭＡｂ、Ａｎｕｓｏｌ−ＨＣ、Ａｎｙｆｅｎ、ＡＰ１０５、ＡＰ１０８９、ＡＰ１１８９、ＡＰ４０１、ＡＰ５０１、アパゾン（ａｐａｚｏｎｅ）、ＡＰＤ３３４、Ａｐｅｎｔａｃ、ＡＰＧ１０３、Ａｐｉｄｏｎｅ、メシル酸アプリモド、Ａｐｉｔａｃ、Ａｐｉｔｏｘｉｎ、Ａｐｉｚｅｌ、ＡＰＮ  阻害剤、ａｐｏ−Ａｚａｔｈｉｏｐｒｉｎｅ、Ａｐｏ−Ｄｅｘａｍｅｔｈａｓｏｎｅ、ＡｐｏＥ模倣薬、ＡｐｏＦａｓＬ、ａｐｏ−Ｉｎｄｏｍｅｔｈａｃｉｎ、ａｐｏ−メフェナミク、ａｐｏ−メトトレキサート、ａｐｏ−ナブメトン、Ａｐｏ−Ｎａｐｒｏ−ＮＡ、ａｐｏ−Ｎａｐｒｏｘｅｎ、アポニジン（ａｐｏｎｉｄｉｎ）、ａｐｏ−Ｐｈｅｎｙｌｂｕｔａｚｏｎｅ、ａｐｏ−Ｐｉｒｏｘｉｃａｍ、ａｐｏ−Ｓｕｌｉｎ、Ａｐｏ−Ｔｅｎｏｘｉｃａｍ、ａｐｏ−Ｔｉａｐｒｏｆｅｎｉｃ、Ａｐｒａｎａｘ、アプレミラスト、アプリコキシブ、Ａｐｒｏｆｅｎ、Ａｐｒｏｓｅ、Ａｐｒｏｘｅｎ、ＡＰＸ００１抗体、ＡＰＸ００７抗体、ＡＰＹ０２０１、ＡｑｖｏＤｅｘ、ＡＱＸ１０８、ＡＱＸ１１２５、ＡＱＸ１３１１３５、ＡＱＸ１４０、ＡＱＸ１５０、ＡＱＸ２００、ＡＱＸ３５６、ＡＱＸＭＮ１００、ＡＱＸＭＮ１０６、ＡＲＡ２９０、Ａｒａｖａ、Ａｒｃａｌｙｓｔ、Ａｒｃｏｘｉａ、Ａｒｅｃｈｉｎ、Ａｒｆｌｕｒ、ＡＲＧ０９８、ＡＲＧ３０１、アルギニンアエスチン、アルギニンデイミナーゼ（ペグ化）、ＡＲＧＸ１０９抗体、ＡＲＧＸ１１０、Ａｒｈｅｕｍａ、Ａｒｉｓｔｏｃｏｒｔ、Ａｒｉｓｔｏｓｐａｎ、Ａｒｋ−ＡＰ、ＡＲＮ４０２６、Ａｒｏｆｅｎ、Ａｒｏｆｆ  ＥＺ、Ａｒｏｌｅｆ、Ａｒｏｔａｌ、Ａｒｐｉｂｒｕ、Ａｒｐｉｍｕｎｅ、Ａｒｐｕ  Ｓｈｕａｎｇｘｉｎ、ＡＲＱ１０１、Ａｒｒｅｓｔｉｎ  ＳＰ、Ａｒｒｏｘ、ＡＲＲＹ１６２、ＡＲＲＹ３７１７９７、ＡＲＲＹ６１４、ＡＲＲＹ８７２、ＡＲＴ６２１、Ａｒｔａｍｉｎ、Ａｒｔｈｆｒｅｅ、Ａｒｔｈｏ  Ｔｅｃｈ、Ａｒｔｈｒｅｘｉｎ、Ａｒｔｈｒｉｓｐｒａｙ、Ａｒｔｈｒｏｔｅｃ、Ａｒｔｈｒｏｖａｓ、Ａｒｔｉｆｉｔ、Ａｒｔｉｇｏ、Ａｒｔｉｎ、Ａｒｔｉｎｏｒ、Ａｒｔｉｓｉｄ、Ａｒｔｏｆｌｅｘ、Ａｒｔｒｅｎ  Ｈｉｐｅｒｇｅｌ、Ａｒｔｒｉｄｏｌ、Ａｒｔｒｉｌａｓｅ、Ａｒｔｒｏｃａｐｔｉｎ、Ａｒｔｒｏｄｉｅｔ、Ａｒｔｒｏｆｅｎ、Ａｒｔｒｏｐａｎ、Ａｒｔｒｏｓｉｌ、Ａｒｔｒｏｓｉｌｅｎｅ、Ａｒｔｒｏｔｉｎ、Ａｒｔｒｏｘ、Ａｒｔｙｆｌａｍ、Ａｒｚｅｒｒａ、ＡＳ６０４８５０、ＡＳ６０５８５８、Ａｓａｃｏｌ、ＡＳＡ−Ｇｒｉｎｄｅｋｓ、Ａｓａｚｉｐａｍ、Ａｓｅｃｌｏ、ＡＳＦ１０９６、ＡＳＦ１０９６、ＡＳＫ８００７、ＡＳＫＰ１２４０、ＡＳＬＡＮ００３、Ａｓｍｏ  ＩＤ、Ａｓｏｎｅｐ、ＡＳＰ０１５Ｋ、ＡＳＰ２４０８、ＡＳＰ２４０９、Ａｓｐａｇｉｎ、Ａｓｐｅｏｌ、Ａｓｐｉｃａｍ、Ａｓｐｉｒｉｍｅｘ、アスピリン、ＡＳＴ１２０、アスタキサンチン、ＡｓｔｒｏＣｏｒｔ、Ａｓｚｅｓ、ＡＴ００２抗体、ＡＴ００７、ＡＴ００８抗体、ＡＴ００８抗体、ＡＴ０１０、ＡＴ１００１、アタシセプト、Ａｔａｓｐｉｎ、Ａｔｅｐａｄｅｎｅ、Ａｔｇａｍ、ＡＴＧ−Ｆｒｅｓｅｎｉｕｓ、Ａｔｈｒｏｆｅｎ、ＡＴＩ００３、アチプリモド、ＡＴＬ１２２２、ＡＴＮ１０３、ＡＴＮ１９２、ＡＴＲ１０７、Ａｔｒｉ、Ａｔｒｍｉｎ、���ｔｒｏｓａｂ抗体、ＡＴＸ３１０５、ＡＵ８０１、オーラノフィン、Ａｕｒｏｂｉｎ、Ａｕｒｏｐａｎ、Ａｕｒｏｔｈｉｏ、オーロチオプロール、自己脂肪由来新生細胞、Ａｕｔｏｎｅｃ、Ａｖａｎｄｉａ、ＡＶＥ９８９７、ＡＶＥ９９４０、Ａｖｅｌｏｘ、Ａｖｅｎｔ、ＡＶＩ３３７８、Ａｖｌｏｑｕｉｎ、ＡＶＰ１３５４６、ＡＶＰ１３７４８、ＡＶＰ２８２２５、ＡＶＸ００２、Ａｘｃｅｌ  Ｄｉｃｌｏｆｅｎａｃ、Ａｘｃｅｌ  Ｐａｐａｉｎ、Ａｘｅｎ、ＡＺ１７、ＡＺ１７５、Ａｚａｃｏｒｔｉｄ、ＡＺＡ−ＤＲ、Ａｚａｆｒｉｎｅ、Ａｚａｍｕｎ、Ａｚａｎｉｎ、Ａｚａｐ、Ａｚａｐｉｎ、Ａｚａｐｒｅｎ、Ａｚａｐｒｉｎ、Ａｚａｒａｍ、Ａｚａｓａｎ、ａｚａｔｈｉｏｐｒｉｎｅ、ＡＺＤ０２７５、ＡＺＤ０９０２、ＡＺＤ２３１５、ＡＺＤ５６７２、ＡＺＤ６７０３、ＡＺＤ７１４０、ＡＺＤ８３０９、ＡＺＤ８５６６、ＡＺＤ９０５６、Ａｚｅｔ、Ａｚｉｎｔｒｅｌ、アジスロマイシン、Ａｚ−ｏｄ、Ａｚｏｆｉｔ、Ａｚｏｌｉｄ、Ａｚｏｒａｎ、Ａｚｕｌｅｎｅ、Ａｚｕｌｆｉｄｉｎｅ、Ａｚｕｌｆｉｎ、Ｂ１拮抗薬、Ｂａｃｌｏｎｅｔ、ＢＡＦ３１２、ＢＡＦＦ阻害剤、Ｂａｇｅｓ、Ｂａｉｌｙ  Ｓ．Ｐ．、Ｂａｌｅｓｔｏｎ、Ｂａｌｓｏｌｏｎｅ、バミネルセプトアルファ、バルドキソロンメチル、バリシジニブ、Ｂａｒｏｔａｓｅ、Ｂａｓｅｃａｍ、バシリキシマブ、Ｂａｘｍｕｎｅ、Ｂａｘｏ、ＢＡＹ８６９７６６、ＢＢ２８２７、ＢＣＸ３４、ＢＣＸ４２０８、Ｂｅｃｆｉｎｅ、Ｂｅｃｌａｔｅ−Ｃ、Ｂｅｃｌａｔｅ−Ｎ、Ｂｅｃｌｏｌａｂ  Ｑ、ジプロピオン酸ベクロメタゾン、Ｂｅｃｌｏｒｈｉｎ、Ｂｅｃｍｅｔ−ＣＧ、Ｂｅｇｉｔａ、Ｂｅｇｔｉ、ベラタセプト、ベリムマブ、Ｂｅｌｏｓａｌｉｃ、Ｂｅｍｅｔｓｏｎ、Ｂｅｎ、Ｂｅｎｅｖａｔ、Ｂｅｎｅｘａｍ、Ｂｅｎｆｌｏｇｉｎ、Ｂｅｎｉｓａｎ、Ｂｅｎｌｙｓｔａ、Ｂｅｎｌｙｓｔａ、ベノリラート、Ｂｅｎｏｓｏｎ、ベノキサプロフェン、Ｂｅｎｔｏｌ、ベンジダミン塩酸塩、Ｂｅｎｚｙｍｉｎ、
Ｂｅｏｆｅｎａｃ、Ｂｅｒａｆｅｎ、Ｂｅｒｉｎｅｒｔ、Ｂｅｒｌｏｆｅｎ、Ｂｅｒｔａｎｅｌ、Ｂｅｓｔａｍｉｎｅ、Ｂｅｓｔｏｆｅｎ、Ｂｅｔａ  Ｎｉｃｉｐ、Ｂｅｔａｃｏｒｔ、Ｂｅｔａｃｏｒｔｅｎ  Ｇ、Ｂｅｔａｆｏａｍ、ベータ−グルカン、Ｂｅｔａｌａｒ、ベータ−Ｍ、Ｂｅｔａｍｅｄ、Ｂｅｔａｍｅｓｏｌ、ベタメタゾン、ジプロピオン酸ベタメタゾン、ベタメタゾンナトリウム、リン酸ベタメタゾンナトリウム、吉草酸ベタメタゾン、Ｂｅｔａｎｅ、Ｂｅｔａｎｅｘ、Ｂｅｔａｐａｎｔｈｅｎ、Ｂｅｔａｐａｒ、Ｂｅｔａｐｒｅｄ、Ｂｅｔａｓｏｎ、Ｂｅｔａｓｏｎａｔｅ、Ｂｅｔａｓｏｎｅ、Ｂｅｔａｔｒｉｎｔａ、Ｂｅｔａｖａｌ、Ｂｅｔａｚｏｎ、Ｂｅｔａｚｏｎｅ、Ｂｅｔｅｓｉｌ、Ｂｅｔｎｅｃｏｒｔ、Ｂｅｔｎｅｓｏｌ、Ｂｅｔｎｏｖａｔｅ、Ｂｅｘｔｒａ、ＢＦＰＣ１３、ＢＦＰＣ１８、ＢＦＰＣ２１、ＢＦＰＴ６８６４、ＢＧ１２、ＢＧ９９２４、ＢＩ６９５５００、ＢＩ６９５５０１、ＢＩＡ１２、Ｂｉｇ−Ｊｏｉｎｔ−Ｄ、ＢＩＩＢ０２３抗体、Ｂｉ−ｋｓｉｋａｍ、Ｂｉｎｇｏ、ＢｉｏＢｅｅ、Ｂｉｏ−Ｃａｒｔｉｌａｇｅ、Ｂｉｏ−Ｃ−Ｓｉｎｋｋｉ、Ｂｉｏｄｅｘｏｎｅ、Ｂｉｏｆｅｎａｃ、Ｂｉｏｒｅｕｃａｍ、Ｂｉｏｓｏｎｅ、Ｂｉｏｓｐｏｒｉｎ、ＢＩＲＢ７９６、Ｂｉｔｎｏｖａｌ、Ｂｉｔｖｉｏ、Ｂｉｖｉｇａｍ、ＢＫＴ１４０、ＢＫＴＰ４６、ＢＬ２０３０、ＢＬ３０３０、ＢＬ４０２０、ＢＬ６０４０、ＢＬ７０６０、ＢＬＩ１３００、ブリシビモド（ｂｌｉｓｉｂｉｍｏｄ）、Ｂｌｏｋｉｕｍ  Ｂ１２、Ｂｌｏｋｉｕｍ  Ｇｅｓｉｃ、Ｂｌｏｋｉｕｍ、ＢＭＳ０６６、ＢＭＳ３４５５４１、ＢＭＳ４７０５３９、ＢＭＳ５６１３９２、ＢＭＳ５６６４１９、ＢＭＳ５８２９４９、ＢＭＳ５８７１０１、ＢＭＳ８１７３９９、ＢＭＳ９３６５５７、ＢＭＳ９４５４２９、ＢＭＳ−Ａ、ＢＮ００６、ＢＮ００７、ＢＮＰ１６６、Ｂｏｎａｃｏｒｔ、Ｂｏｎａｓ、骨髄間質細胞抗原２抗体、Ｂｏｎｆｌｅｘ、Ｂｏｎｉｆｅｎ、Ｂｏｏｍｉｑ、Ｂｏｒｂｉｔ、Ｂｏｓｏｎｇ、ＢＲ０２００１、ＢＲ３−ＦＣ、ブラジキニンＢ１受容体拮抗薬、Ｂｒｅｄｉｎｉｎ、Ｂｒｅｘｅｃａｍ、Ｂｒｅｘｉｎ、Ｂｒｅｘｏｄｉｎ、ブリアキヌマブ、Ｂｒｉｍａｎｉ、ブリオバセプト、Ｂｒｉｓｔａｆｌａｍ、Ｂｒｉｔｔｅｎ、Ｂｒｏｂｅｎ、ブロダルマブ、Ｂｒｏｅｎ−Ｃ、ブロメライン、Ｂｒｏｍｅｌｉｎ、Ｂｒｏｎａｘ、Ｂｒｏｐａｉｎ、Ｂｒｏｓｉｒａｌ、Ｂｒｕａｃｅ、Ｂｒｕｆａｄｏｌ、Ｂｒｕｆｅｎ、Ｂｒｕｇｅｌ、Ｂｒｕｋｉｌ、Ｂｒｕｓｉｌ、ＢＴ０６１、ＢＴＩ９、ＢＴＫキナーゼ阻害剤、ＢＴＴ１０２３抗体、ＢＴＴ１５０７、ブシラミン、Ｂｕｃｉｌｌａｔｅ、Ｂｕｃｏ  Ｒｅｉｇｉｓ、ブコローム、Ｂｕｄｅｎｏｆａｌｋ、ブデソニド、Ｂｕｄｅｘ、Ｂｕｆｅｃｔ、Ｂｕｆｅｎｃｏｎ、Ｂｕｋｗａｎｇ  Ｋｅｔｏｐｒｏｆｅｎ、Ｂｕｎｉｄｅ、Ｂｕｎｏｆｅｎ、Ｂｕｓｉｌｖｅｘ、ブスルファン、Ｂｕｓｕｌｆｅｘ、Ｂｕｓｕｌｉｐｏ、Ｂｕｔａｒｔｒｏｌ、Ｂｕｔａｒｕｔ  Ｂ１２、Ｂｕｔａｓｏｎａ、Ｂｕｔａｚｏｌｉｄｉｎ、Ｂｕｔｅｓｏｎｅ、Ｂｕｔｉｄｉｏｎａ、ＢＶＸ１０、ＢＸＬ６２８、ＢＹＭ３３８、Ｂ−Ｚｏｎｅ、Ｃ１エステラーゼ阻害剤、Ｃ２４���、ｃ４４６２、ｃ５９９７、Ｃ５ａＱｂ、ｃ７１９８、ｃ９１０１、Ｃ９７０９、ｃ９７８７、ＣＡＢ１０１、カドヘリン１１抗体、カエルロマイシンＡ、ＣＡＬ２６３、Ｃａｌｃｏｒｔ、Ｃａｌｍａｔｅｌ、ＣＡＭ３００１、ラクダ抗体、Ｃａｍｌｏｘ、Ｃａｍｏｌａ、Ｃａｍｐａｔｈ、Ｃａｍｒｏｘ、Ｃａｍｔｅｎａｍ、カナキヌマブ、カンジダ・アルビカンス抗原、Ｃａｎｄｉｎ、カンナビジオール、ＣＡＰ１．１、ＣＡＰ１．２、ＣＡＰ２．１、ＣＡＰ２．２、ＣＡＰ３．１、ＣＡＰ３．２、Ｃａｒｅｒａｍ、Ｃａｒｉｍｕｎｅ、Ｃａｒｉｏｄｅｎｔ、Ｃａｒｔｉｆｉｘ、ＣａｒｔｉＪｏｉｎｔ、Ｃａｒｔｉｌａｇｏ、Ｃａｒｔｉｓａｆｅ−ＤＮ、Ｃａｒｔｉｓｈｉｎｅ、Ｃａｒｔｉｖｉｔ、Ｃａｒｔｒｉｌ−Ｓ、Ｃａｒｕｄｏｌ、ＣａｓｐａＣＩＤｅ、ＣａｓｐａＣＩＤｅ、Ｃａｓｙｎ、ＣＡＴ１００４、ＣＡＴ１９０２、ＣＡＴ２２００、Ｃａｔａｆｌａｍ、Ｃａｔｈｅｐｓｉｎ  Ｓ阻害剤、Ｃａｔｌｅｐ、ＣＢ０１１４、ＣＢ２作動薬、ＣＣ０４７８７６５、ＣＣ１０００４、ＣＣ１００１５、ＣＣ１０８８、ＣＣ１１０５０、ＣＣ１３０９７、ＣＣ１５９６５、ＣＣ１６０５７、ＣＣ２２０、ＣＣ２９２、ＣＣ４０１、ＣＣ５０４８、ＣＣ５０９、ＣＣ７０８５、ＣＣ９３０、ＣＣＲ１拮抗薬、ＣＣＲ６阻害剤、ＣＣＲ７拮抗薬、ＣＣＲＬ２拮抗薬、ＣＣＸ０２５、ＣＣＸ３５４、ＣＣＸ６３４、ＣＤジクロフェナク、ＣＤ１０２、ＣＤ１０３抗体、ＣＤ１０３抗体、ＣＤ１３７抗体、ＣＤ１６抗体、ＣＤ１８抗体、ＣＤ１９抗体、ＣＤ１ｄ抗体、ＣＤ２０抗体、ＣＤ２００Ｆｃ、ＣＤ２０９抗体、ＣＤ２４、ＣＤ３抗体、ＣＤ３０抗体、ＣＤ３２Ａ抗体、ＣＤ３２Ｂ抗体、ＣＤ４抗体、ＣＤ４０リガンド、ＣＤ４４抗体、ＣＤ６４抗体、ＣＤＣ８３９、ＣＤＣ９９８、ＣＤＩＭ４、ＣＤＩＭ９、ＣＤＫ９−阻害剤、ＣＤＰ１４６、ＣＤＰ３２３、ＣＤＰ４８４、ＣＤＰ６０３８、ＣＤＰ８７０、ＣＤＸ１１３５、ＣＤＸ３０１、ＣＥ２２４５３５、Ｃｅａｎｅｌ、Ｃｅｂｅｄｅｘ、Ｃｅｂｕｔｉｄ、Ｃｅｃｌｏｎａｃ、Ｃｅｅｘ、ＣＥＬ２０００、Ｃｅｌａｃｔ、Ｃｅｌｂｅｘｘ、Ｃｅｌｃｏｘ、Ｃｅｌｅｂｉｏｘ、Ｃｅｌｅｂｒｅｘ、Ｃｅｌｅｂｒｉｎ、Ｃｅｌｅｃｏｘ、セレコキシブ、Ｃｅｌｅｄｏｌ、Ｃｅｌｅｓｔｏｎｅ、Ｃｅｌｅｖｅｘ、Ｃｅｌｅｘ、ＣＥＬＧ４、細胞接着分子拮抗薬、ＣｅｌｌＣｅｐｔ、Ｃｅｌｌｍｕｎｅ、Ｃｅｌｏｓｔｉ、Ｃｅｌｏｘｉｂ、Ｃｅｌｐｒｏｔ、Ｃｅｌｕｄｅｘ、メシル酸セニクリビロック、センプラセル（ｃｅｎｐｌａｃｅｌ）−ｌ、ＣＥＰ１１００４、ＣＥＰ３７２４７、ＣＥＰ３７２４８、Ｃｅｐｈｙｒ、Ｃｅｐｒｏｆｅｎ、Ｃｅｒｔｉｃａｎ、セルトリズマブペゴル、Ｃｅｔｏｆｅｎｉｄ、Ｃｅｔｏｐｒｏｆｅｎｏ、塩化セチルピリジニウム、ＣＦ１０１、ＣＦ４０２、ＣＦ５０２、ＣＧ５７００８、ＣＧＥＮ１５００１、ＣＧＥＮ１５０２１、ＣＧＥＮ１５０５１、ＣＧＥＮ１５０９１、ＣＧＥＮ２５０１７、ＣＧＥＮ２５０６８、ＣＧＥＮ４０、ＣＧＥＮ５４、ＣＧＥＮ７６８、ＣＧＥＮ８５５、ＣＧＩ１７４６、ＣＧＩ５６０、ＣＧＩ６７６、Ｃｇｔｘ−ペプチド、ＣＨ１５０４、ＣＨ４０５１、ＣＨ４４４６、シャペロニン１０、ケモカインＣ−Ｃモ��ーフリガンド２、ケモカインＣ−Ｃモチーフリガンド２抗体、ケモカインＣ−Ｃモチーフリガンド５抗体、ケモカインＣ−Ｃモチーフ受容体２抗体、ケモカインＣ−Ｃモチーフ受容体４抗体、ケモカインＣ−Ｘ−Ｃモチーフリガンド１０抗体、ケモカインＣ−Ｘ−Ｃモチーフリガンド１２アプタマー、化学走性阻害剤、Ｃｈｉｌｌｍｅｔａｃｉｎ、キチナーゼ３−様１、Ｃｈｌｏｃｏｄｅｍｉｎ、Ｃｈｌｏｑｕｉｎ、クロロヘキシジングルコナート、リン酸クロロキン、トリサルチル酸コリンマグネシウム、コンドロイチンスルフェート、Ｃｈｏｎｄｒｏｓｃａｒｔ、ＣＨＲ３６２０、ＣＨＲ４４３２、ＣＨＲ５１５４、Ｃｈｒｙｓａｌｉｎ、Ｃｈｕａｎｘｉｎｌｉａｎ、Ｃｈｙｍａｐｒａ、Ｃｈｙｍｏｔａｓｅ、キモトリプシン、Ｃｈｙｔｍｕｔｒｉｐ、ＣＩ２０２、ＣＩ３０２、Ｃｉｃｌｏｄｅｒｍ−Ｃ、Ｃｉｃｌｏｐｒｅｎ、Ｃｉｃｐｏｒａｌ、Ｃｉｌａｍｉｎ、Ｃｉｍｚｉａ、シンコフェン、シンメタシン、シンノキシカム、Ｃｉｎｏｄｅｒｍ、Ｃｉｎｏｌｏｎｅ−Ｓ、Ｃｉｎｒｙｚｅ、Ｃｉｐｃｏｒｌｉｎ、シペマスタット、Ｃｉｐｏｌ−Ｎ、Ｃｉｐｒｉｄａｎｏｌ、Ｃｉｐｚｅｎ、Ｃｉｔａｘ  Ｆ、Ｃｉｔｏｇａｎ、Ｃｉｔｏｋｅｎ  Ｔ、Ｃｉｖａｍｉｄｅ、ＣＪ０４２７９４、ＣＪ１４８７７、ｃ−Ｋｉｔモノクローナル抗体、クラドリビン、Ｃｌａｆｅｎ、Ｃｌａｎｚａ、Ｃｌａｖｅｒｓａｌ、クラザキズマブ、Ｃｌｅａｒｏｉｄ、Ｃｌｅａｓｅ、Ｃｌｅｖｅｇｅｎ、Ｃｌｅｖｉａｎ、Ｃｌｉｄｏｌ、Ｃｌｉｎｄａｃ、Ｃｌｉｎｏｒｉｌ、Ｃｌｉｐｔｏｌ、Ｃｌｏｂｅｎａｔｅ、Ｃｌｏｂｅｑｕａｄ、酪酸クロベタゾール、クロベタゾールプロピオナート、Ｃｌｏｄｏｌ、ｃｌｏｆａｒａｂｉｎｅ、Ｃｌｏｆｅｎ、Ｃｌｏｆｅｎａｌ  ＬＰ、Ｃｌｏｌａｒ、Ｃｌｏｎａｃ、Ｃｌｏｎｇａｍｍａ、クロニキシンリジン、Ｃｌｏｔａｓｏｃｅ、Ｃｌｏｖａｃｏｒｔ、Ｃｌｏｖａｎａ、Ｃｌｏｘｉｎ、ＣＬＴ００１、ＣＬＴ００８、Ｃ−ＭＡＦ阻害剤、ＣＭＰＸ１０２３、Ｃｎａｃ、ＣＮＤＯ２０１、ＣＮＩ１４９３、ＣＮＴＯ１３６、ＣＮＴＯ１４８、ＣＮＴＯ１９５９、Ｃｏｂｅｆｅｎ、ＣｏＢｅｎＣｏＤｅｒｍ、Ｃｏｂｉｘ、Ｃｏｆｅｎａｃ、Ｃｏｆｅｎａｃ、ＣＯＧ２４１、ＣＯＬ１７９、コルヒチン、Ｃｏｌｃｈｉｃｕｍ  Ｄｉｓｐｅｒｔ、Ｃｏｌｃｈｉｍａｘ、Ｃｏｌｃｉｂｒａ、Ｃｏｌｅｄｅｓ  Ａ、Ｃｏｌｅｓｏｌ、Ｃｏｌｉｆｏａｍ、Ｃｏｌｉｒｅｓｔ、コラーゲン、タイプＶ、Ｃｏｍｃｏｒｔ、補体成分（３ｂ／４ｂ）受容体１、補体成分Ｃ１ｓ阻害剤、補体成分Ｃ３、補体因子５ａ受容体抗体、補体因子５ａ受容体抗体、補体因子Ｄ抗体、Ｃｏｎｄｒｏｓｕｌｆ、Ｃｏｎｄｒｏｔｅｃ、Ｃｏｎｄｒｏｔｈｉｎ、コネスタットアルファ、結合組織成長因子抗体、Ｃｏｏｌｐａｎ、Ｃｏｐａｘｏｎｅ、Ｃｏｐｉｒｏｎ、Ｃｏｒｄｅｆｌａ、Ｃｏｒｈｙｄｒｏｎ、Ｃｏｒｔ  Ｓ、Ｃｏｒｔａｎ、Ｃｏｒｔａｔｅ、Ｃｏｒｔ−Ｄｏｍｅ、Ｃｏｒｔｅｃｅｔｉｎｅ、Ｃｏｒｔｅｆ、Ｃｏｒｔｅｒｏｉｄ、Ｃｏｒｔｉｃａｐ、Ｃｏｒｔｉｃａｓ、Ｃｏｒｔｉｃ−ＤＳ、コルチコトロピン、Ｃｏｒｔｉｄｅｒｍ、Ｃｏｒｔｉｄｅｘ、Ｃｏｒｔｉｆｌａｍ、Ｃｏｒｔｉｎｅｔ  Ｍ、Ｃｏｒｔｉｎｉｌ、Ｃｏｒｔｉｐｙｒｅｎ  Ｂ、Ｃｏｒｔｉｒａｎ、Ｃｏｒｔｉｓ、Ｃｏｒｔｉｓｏｌｕ、酢酸コルチゾン、Ｃｏｒｔｉｖａｌ、Ｃｏｒｔｏｎｅ  ａｃｅｔａｔｅ、Ｃｏｒｔｏｐｉｎ、Ｃｏｒｔｏｒａｌ、Ｃｏｒｔｒｉｌ、Ｃｏｒｔｙｐｉｒｅｎ、Ｃｏｓａｍｉｎｅ、Ｃｏｓｏｎｅ、コシントロピン、ＣＯＴキナーゼ阻害剤、Ｃｏｔｉｌａｍ、Ｃｏｔｒｉｓｏｎｅ、Ｃｏｔｓｏｎ、Ｃｏｖｏｘ、Ｃｏｘ  Ｂ、ＣＯＸ−２／５−ＬＯ阻害剤、Ｃｏｘｅｔｏｎ、Ｃｏｘｆｌａｍ、Ｃｏｘｉｃａｍ、Ｃｏｘｉｔｏｒ、Ｃｏｘｔｒａｌ、Ｃｏｘｙｐａｒ、ＣＰ１９５５４３、ＣＰ４１２２４５、ＣＰ４２４１７４、ＣＰ４６１、ＣＰ６２９９３３、ＣＰ６９０５５０、ＣＰ７５１８７１、ＣＰＳＩ２３６４、Ｃ−ｑｕｉｎ、ＣＲ０３９、ＣＲ０７４、ＣＲ１０６、ＣＲＡ１０２、ＣＲＡＣチャネル阻害剤、ＣＲＡＣＭイオンチャネル阻害剤、Ｃｒａｔｉｓｏｎｅ、ＣＲＢ１５、ＣＲＣ４２７３、ＣＲＣ４３４２、Ｃ−反応性タンパク質２−メトキシエチルホスホロチオエートオリゴヌクレオチド、ＣｒｅａＶａｘ−ＲＡ、ＣＲＨ調節剤、Ｃｒｉｔｉｃ−ａｉｄ、Ｃｒｏｃａｍ、Ｃｒｏｈｎｓｖａｘ、クロモグリク酸（Ｃｒｏｍｏｇｌｙｃｉｃ  ａｃｉｄ）、クロモリンナトリウム、Ｃｒｏｎｏｃｏｒｔｅｒｏｉｄ、Ｃｒｏｎｏｄｉｃａｓｏｎｅ、ＣＲＴＸ８０３、ＣＲｘ１１９、ＣＲｘ１３９、ＣＲｘ１５０、ＣＳ５０２、ＣＳ６７０、ＣＳ７０６、ＣＳＦ１Ｒキナーゼ阻害剤、ＣＳＬ３２４、ＣＳＬ７１８、ＣＳＬ７４２、ＣＴ１１２、ＣＴ１５０１Ｒ、ＣＴ２００、ＣＴ２００８、ＣＴ２００９、
ＣＴ３、ＣＴ３３５、ＣＴ３４０、ＣＴ５３５７、ＣＴ６３７、ＣＴＰ０５、ＣＴＰ１０、ＣＴ−Ｐ１３、ＣＴＰ１７、Ｃｕｐｒｅｎｉｌ、Ｃｕｐｒｉｍｉｎｅ、Ｃｕｐｒｉｎｄｏ、Ｃｕｐｒｉｐｅｎ、Ｃｕｒａｑｕｉｎ、Ｃｕｔｆｅｎ、ＣＷＦ０８０８、ＣＷＰ２７１、ＣＸ１０２０、ＣＸ１０３０、ＣＸ１０４０、ＣＸ５０１１、Ｃｘ６１１、Ｃｘ６２１、Ｃｘ９１１、ＣＸＣケモカイン受容体４抗体、ＣＸＣＬ１３抗体、ＣＸＣＲ３拮抗薬、ＣＸＣＲ４拮抗薬、Ｃｙａｔｈｕｓ  １１０４  Ｂ、Ｃｙｃｌｏ−２、Ｃｙｃｌｏｃｏｒｔ、シクロオキシゲナーゼ−２阻害剤、シクロフォスファミド、Ｃｙｃｌｏｒｉｎｅ、Ｃｙｃｌｏｓｐｏｒｉｎ  Ａプロドラッグ、ＣｙｃｌｏｓｐｏｒｉｎアナログＡ、シクロスポリン、Ｃｙｒｅｖｉａ、Ｃｙｒｉｎ  ＣＬＡＲＩＳ、ＣＹＴ００７ＴＮＦＱｂ、ＣＹＴ０１３ＩＬ１ｂＱｂ、ＣＹＴ０１５ＩＬ１７Ｑｂ、ＣＹＴ０２０ＴＮＦＱｂ、ＣＹＴ１０７、ＣＹＴ３８７、ＣＹＴ９９００７、サイトカイン阻害剤、Ｃｙｔｏｐａｎ、Ｃｙｔｏｒｅｇ、ＣＺＣ２４８３２、Ｄ１９２７、Ｄ９４２１Ｃ、ダクリズマブ、ダナゾール、Ｄａｎｉｌａｓｅ、Ｄａｎｔｅｓ、Ｄａｎｚｅｎ、ｄａｐｓｏｎｅ、Ｄａｓｅ−Ｄ、Ｄａｙｐｒｏ、Ｄａｙｐｒｏ  Ａｌｔａ、Ｄａｙｒｕｎ、Ｄａｚｅｎ、ＤＢ２９５、ＤＢＴＰ２、Ｄ−Ｃｏｒｔ、ＤＤ１、ＤＤ３、ＤＥ０９６、ＤＥ０９８、Ｄｅｂｉｏ０４０６、Ｄｅｂｉｏ０５１２、Ｄｅｂｉｏ０６１５、Ｄｅｂｉｏ０６１８、Ｄｅｂｉｏ１０３６、Ｄｅｃａｄｅｒｍ、Ｄｅｃａｄｒａｌｅ、Ｄｅｃａｄｒｏｎ、Ｄｅｃａｄｒｏｎａｌ、Ｄｅｃａｌｏｎ、Ｄｅｃａｎ、Ｄｅｃａｓｏｎ、Ｄｅｃｄａｎ、Ｄｅｃｉｌｏｎｅ、Ｄｅｃｌｏｐｈｅｎ、Ｄｅｃｏｐｅｎ、Ｄｅｃｏｒｅｘ、Ｄｅｃｏｒｔｅｎ、Ｄｅｄｅｍａ  、Ｄｅｄｒｏｎ、Ｄｅｅｘａ、Ｄｅｆｃｏｒｔ、Ｄｅ−ｆｌａｍ、Ｄｅｆｌａｍａｔ、Ｄｅｆｌａｎ、Ｄｅｆｌａｎｉｌ、Ｄｅｆｌａｒｅｎ、Ｄｅｆｌａｚ、ｄｅｆｌａｚａｃｏｒｔ、Ｄｅｆｎａｃ、Ｄｅｆｎａｌｏｎｅ、Ｄｅｆｎｉｌ、Ｄｅｆｏｓａｌｉｃ、Ｄｅｆｓｕｒｅ、Ｄｅｆｚａ、Ｄｅｈｙｄｒｏｃｏｒｔｉｓｏｎ、Ｄｅｋｏｒｔ、Ｄｅｌａｇｉｌ、デリカセリチブ（ｄｅｌｃａｓｅｒｔｉｂ）、デルミチド（ｄｅｌｍｉｔｉｄｅ）、Ｄｅｌｐｈｉｃｏｒｔ、Ｄｅｌｔａｃｏｒｓｏｌｏｎｅ、Ｄｅｌｔａｃｏｒｔｒｉｌ、Ｄｅｌｔａｆｌｕｏｒｅｎｅ、Ｄｅｌｔａｓｏｌｏｎｅ、Ｄｅｌｔａｓｏｎｅ、Ｄｅｌｔａｓｔａｂ、Ｄｅｌｔｏｎｉｎ、Ｄｅｍａｒｉｎ、Ｄｅｍｉｓｏｎｅ、Ｄｅｎｅｂｏｌａ、デニロイキンジフチトクス、デノスマブ、Ｄｅｎｚｏ、Ｄｅｐｏｃｏｒｔｉｎ、Ｄｅｐｏ−ｍｅｄｒｏｌ、Ｄｅｐｏｍｅｔｈｏｔｒｅｘａｔｅ、Ｄｅｐｏｐｒｅｄ、Ｄｅｐｏｓｅｔ、Ｄｅｐｙｒｉｎ、Ｄｅｒｉｎａｓｅ、Ｄｅｒｍｏｌ、Ｄｅｒｍｏｌａｒ、Ｄｅｒｍｏｎａｔｅ、Ｄｅｒｍｏｓｏｎｅ、Ｄｅｒｓｏｎｅ、Ｄｅｓｋｅｔｏ、デソニド、酢酸デソキシコルチコステロン、Ｄｅｓｗｏｎ、Ｄｅｘａ、Ｄｅｘａｂｅｎｅ、Ｄｅｘａｃｉｐ、Ｄｅｘａｃｏｒｔ、Ｄｅｘａｃｏｒｔｉｓｏｎｅ、Ｄｅｘａｃｏｔｉｓｉｌ、Ｄｅｘａｄｉｃ、Ｄｅｘａｄｒｉｎ、Ｄｅｘａｄｒｏｎ、Ｄｅｘａｆａｒ、Ｄｅｘａｈｉｌ、Ｄｅｘａｌａｂ、Ｄｅｘａｌａｆ、Ｄｅｘａｌｅｔ、Ｄｅｘａｌｇｅｎ、Ｄｅｘａｌｌｉｏｎ、Ｄｅｘａｌｏｃａｌ、Ｄｅｘａｌｏｎｅ、Ｄｅｘａ−Ｍ、Ｄｅｘａｍｅｃｏｒｔｉｎ、Ｄｅｘａｍｅｄ、Ｄｅｘａｍｅｄｉｓ、Ｄｅｘａｍｅｒａｌ、Ｄｅｘａｍｅｔａ、デキサメタゾン、酢酸デキサメタゾン、パルミチン酸デキサメタゾン、リン酸デキサメタゾン、デキサメタゾンナトリウムメタスルホベンゾアート、リン酸デキサメタゾンナトリウム、Ｄｅｘａｍｉｎｅ、Ｄｅｘａｐａｎｔｈｅｎ、Ｄｅｘａ−Ｓ、Ｄｅｘａｓｏｎ、Ｄｅｘａｔａｂ、Ｄｅｘａｔｏｐｉｃ、Ｄｅｘａｖａｌ、Ｄｅｘａｖｅｎ、Ｄｅｘａｚｏｌｉｄｉｎ、Ｄｅｘａｚｏｎａ、Ｄｅｘａｚｏｎｅ、Ｄｅｘｃｏｒ、Ｄｅｘｉｂｕ、デクスイブプロフェン、Ｄｅｘｉｃｏ、Ｄｅｘｉｆｅｎ、Ｄｅｘｉｍｕｎｅ、デクスケトプロフェン、デクスケトプロフェントロメタモール、Ｄｅｘｍａｒｋ、Ｄｅｘｏｍｅｔ、Ｄｅｘｏｎ  Ｉ、Ｄｅｘｏｎａｌｉｎ、Ｄｅｘｏｎｅｘ、Ｄｅｘｏｎｙ、Ｄｅｘｏｐｔｉｆｅｎ、Ｄｅｘｐｉｎ、Ｄｅｘｔａｎ−Ｐｌｕｓ、デキストラン硫酸、Ｄｅｚａｃｏｒ、Ｄｆｚ、ジアセレイン、Ｄｉａｎｎｅｘｉｎ、Ｄｉａｓｔｏｎｅ、Ｄｉｃａｒｏｌ、Ｄｉｃａｓｏｎｅ、Ｄｉｃｋｎｏｌ、Ｄｉｃｌｏ、Ｄｉｃｌｏｂｏｎ、Ｄｉｃｌｏｂｏｎｓｅ、Ｄｉｃｌｏｂｏｎｚｏｘ、Ｄｉｃｌｏｆａｓｔ、Ｄｉｃｌｏｆｅｎ、ジクロフェナク、ジクロフェナクベータ−ジメチルアミノエタノール、ジクロフェナクデアノール、ジクロフェナクジエチルアミン、ジクロフェナクエポラミン、ジクロフェナクカリウム、ジクロフェナクレジネート、ジクロフェナクナトリウム、Ｄｉｃｌｏｇｅｎ  ＡＧＩＯ、Ｄｉｃｌｏｇｅｎ  Ｐｌｕｓ、Ｄｉｃｌｏｋｉｍ、Ｄｉｃｌｏｍｅｄ、Ｄｉｃｌｏ−ＮＡ、Ｄｉｃｌｏｎａｃ、Ｄｉｃｌｏｒａｍｉｎ、Ｄｉｃｌｏｒａｎ、Ｄｉｃｌｏｒｅｕｍ、Ｄｉｃｌｏｒｉｓｍ、Ｄｉｃｌｏｔｅｃ、Ｄｉｃｌｏｖｉｔ、Ｄｉｃｌｏｗａｌ、Ｄｉｃｌｏｚｅｍ、Ｄｉｃｏ  Ｐ、Ｄｉｃｏｆｅｎ、Ｄｉｃｏｌｉｖ、Ｄｉｃｏｒｓｏｎｅ、Ｄｉｃｒｏｎ、Ｄｉｃｓｅｒ、Ｄｉｆｅｎａ、Ｄｉｆｆｕｔａｂ、ジフルニサル、ジルマピモド、Ｄｉｌｏｒａ、ジメチルスルホン、Ｄｉｎａｃ、Ｄ−Ｉｎｄｏｍｅｔｈａｃｉｎ、Ｄｉｏｘａｆｌｅｘ  Ｐｒｏｔｅｃｔ、Ｄｉｐａｇｅｓｉｃ、Ｄｉｐｅｎｏｐｅｎ、Ｄｉｐｅｘｉｎ、Ｄｉｐｒｏ  ＡＳ、Ｄｉｐｒｏｂｅｔａ、Ｄｉｐｒｏｂｅｔａｓｏｎｅ、Ｄｉｐｒｏｋｌｅｎａｔ、Ｄｉｐｒｏｍｅｔ、Ｄｉｐｒｏｎｏｖａ、Ｄｉｐｒｏｓｏｎｅ、Ｄｉｐｒｏｖａｔｅ、Ｄｉｐｒｏｘｅｎ、Ｄｉｓａｒｍｉｎ、Ｄｉｓｅｒ、Ｄｉｓｏｐａｉｎ、Ｄｉｓｐａｉｎ、Ｄｉｓｐｅｒｃａｍ、Ｄｉｓｔａｍｉｎｅ、Ｄｉｚｏｘ、ＤＬＴ３０３、ＤＬＴ４０４、ＤＭ１９９、ＤＭ９９、ＤＭＩ９５２３、ｄｎａＪＰ１、ＤＮＸ０２０７０、ＤＮＸ０４０４２、ＤＮＸ２０００、ＤＮＸ４０００、ドコサノール、Ｄｏｃｚ−６、Ｄｏｌａｍｉｄｅ、Ｄｏｌａｒｅｎ、Ｄｏｌｃｈｉｓ、Ｄｏｌｅｘ、Ｄｏｌｆｌａｍ、Ｄｏｌｆｒｅ、Ｄｏｌｇｉｔ、Ｄｏｌｍａｘ、Ｄｏｌｍｉｎａ、Ｄｏｌｏ  Ｋｅｔａｚｏｎ、Ｄｏｌｏｂｅｓｔ、Ｄｏｌｏｂｉｄ、Ｄｏｌｏｃ、Ｄｏｌｏｃａｍ、Ｄｏｌｏｃａｒｔｉｇｅｎ、Ｄｏｌｏｆｉｔ、Ｄｏｌｏｋｉｎｄ���Ｄｏｌｏｍｅｄ、Ｄｏｌｏｎａｃ、Ｄｏｌｏｎｅｘ、Ｄｏｌｏｔｒｅｎ、Ｄｏｌｏｚｅｎ、Ｄｏｌｑｕｉｎｅ、Ｄｏｍ０１００、Ｄｏｍ０４００、Ｄｏｍ０８００、Ｄｏｍｅｔ、Ｄｏｍｅｔｏｎ、Ｄｏｍｉｎａｄｏｌ、Ｄｏｎｇｉｐａｐ、Ｄｏｎｉｃａ、Ｄｏｎｔｉｓａｎｉｎ、ドラマピモド、Ｄｏｒｉｘｉｎａ  Ｒｅｌａｘ、Ｄｏｒｍｅｌｏｘ、Ｄｏｒｚｉｎｅ  Ｐｌｕｓ、Ｄｏｘａｔａｒ、Ｄｏｘｔｒａｎ、ＤＰ  ＮＥＣ、ＤＰ４５７７、ＤＰ５０、ＤＰ６２２１、Ｄ−Ｐｅｎａｍｉｎｅ、ＤＰＩＶ／ＡＰＮ阻害剤、ＤＲ１阻害剤、ＤＲ４阻害剤、ＤＲＡ１６１、ＤＲＡ１６２、Ｄｒｅｎｅｘ、ＤＲＦ４８４８、ＤＲＬ１５７２５、Ｄｒｏｓｓａｄｉｎ、ＤＳＰ、Ｄｕｅｘｉｓ、Ｄｕｏ−Ｄｅｃａｄｒｏｎ、Ｄｕｏｆｌｅｘ、Ｄｕｏｎａｓｅ、ＤＶ１０７９、ＤＶ１１７９、ＤＷＪ４２５、ＤＷＰ４２２、Ｄｙｍｏｌ、ＤＹＮ１５、Ｄｙｎａｐａｒ、Ｄｙｓｍｅｎ、Ｅ５０９０、Ｅ６０７０、Ｅａｓｙ  Ｄａｙｚ、Ｅｂｅｔｒｅｘａｔ、ＥＢＩ００７、ＥＣ０２８６、ＥＣ０５６５、ＥＣ０７４６、Ｅｃａｘ、ムラサキバレンギ抽出物、ＥＣ−Ｎａｐｒｏｓｙｎ、Ｅｃｏｎａｃ、Ｅｃｏｓｐｒｉｎ  ３００、Ｅｃｏｓｐｒｉｎ  ３００、Ｅｃｒｉｄｏｘａｎ、エクリズマブ、Ｅｄｅｃａｍ、エファリズマブ、Ｅｆｃｏｒｔｅｓｏｌ、Ｅｆｆｉｇｅｌ、Ｅｆｌａｇｅｎ、Ｅｆｒｉｄｏｌ、ＥＧＦＲ抗体、ＥＧＳ２１、ｅＩＦ５Ａ１  ｓｉＲＮＡ、Ｅｋａｒｚｉｎ、エラフィン、Ｅｌｄｏｆｌａｍ、Ｅｌｉｄｅｌ、Ｅｌｉｆｌａｍ、Ｅｌｉｓｏｎｅ、Ｅｌｍｅｓ、Ｅｌｍｅｔａｃｉｎ、ＥＬＮＤ００１、ＥＬＮＤ００４、エロカルシトール、Ｅｌｏｃｏｍ、エルシブコル（ｅｌｓｉｂｕｃｏｌ）、Ｅｍａｎｚｅｎ、Ｅｍｃｏｒｔ、Ｅｍｉｆｅｎ、Ｅｍｉｆｅｎａｃ、エモルファゾン、Ｅｍｐｙｎａｓｅ、エムリカサン、Ｅｍｔｏｒ、Ｅｎａｂｌｅ、Ｅｎｂｒｅｌ、Ｅｎｃｅｉｄ、ＥｎｃｏｒＳｔａｔ、Ｅｎｃｏｒｔｏｌｏｎ、Ｅｎｃｏｒｔｏｎ、Ｅｎｄａｓｅ、Ｅｎｄｏｇｅｓｉｃ、Ｅｎｄｏｘａｎ、Ｅｎｋｏｒｔｅｎ、Ｅｎｓｅｒａ、Ｅｎｔｏｃｏｒｔ、Ｅｎｚｙｌａｎ、Ｅｐａｎｏｖａ、Ｅｐａｒａｎｇ、Ｅｐａｔｅｃ、Ｅｐｉｃｏｔｉｌ、表皮性成長因子受容体２抗体、表皮性成長因子受容体抗体、Ｅｐｉｄｉｘｏｎｅ、Ｅｐｉｄｒｏｎ、Ｅｐｉｋｌｉｎ、ＥＰＰＡ１、エプラツズマブ、ＥｑｕｉＯ、Ｅｒａｃ、Ｅｒａｚｏｎ、ＥＲＢ０４１、ＥＲＢ１９６、Ｅｒｄｏｎ、ＥｒｙＤｅｘ、大腸菌エンテロトキシンＢサブユニット、Ｅｓｃｉｎ、Ｅ−セレクチン拮抗薬、Ｅｓｆｅｎａｃ、ＥＳＮ６０３、エソナリモド、Ｅｓｐｒｏｆｅｎ、エステロール、Ｅｓｔｏｐｅｉｎ、エストロゲン受容体ベータ作動薬、エタネルセプト、エタラシズマブ、ＥＴＣ００１、エタノールプロポリス抽出物、ＥＴＩ５１１、エチプレドノールジクロアセテート、Ｅｔｏｄｉｎ、Ｅｔｏｄｉｎｅ、Ｅｔｏｄｏｌ、エトドラク、Ｅｔｏｄｙ、エトフェナメート、Ｅｔｏｌ  Ｆｏｒｔ、Ｅｔｏｌａｃ、Ｅｔｏｐｉｎ、エトリコキシブ、Ｅｔｏｒｉｘ、Ｅｔｏｓａｆｅ、Ｅｔｏｖａ、Ｅｔｏｚｏｘ、Ｅｔｕｒａ、Ｅｕｃｏｂ、Ｅｕｆａｎｓ、真核生物翻訳開始因子５Ａオリゴヌクレオチド、Ｅｕｎａｃ、Ｅｕｒｏｃｏｘ、Ｅｕｒｏｇｅｓｉｃ、エベロリムス、Ｅｖｉｎｏｐｏｎ、ＥＶＴ４０１、Ｅｘａｆｌａｍ、ＥＸＥＬ９９５３、Ｅｘｉｃｏｒｔ、Ｅｘｐｅｎ、Ｅｘｔｒａ  Ｆｅｖｅｒｌｅｔ、Ｅｘｔｒａｐａｎ、Ｅｘｔｒａｕｍａ、Ｅｘｕｄａｓｅ、Ｆ１６、Ｆ９９１、Ｆａｌｃａｍ、Ｆａｌｃｏｌ、Ｆａｌｚｙ、Ｆａｒｂｏｖｉｌ、Ｆａｒｃｏｍｅｔｈａｃｉｎ、Ｆａｒｎｅｒａｔｅ、Ｆａｒｎｅｚｏｎｅ、Ｆａｒｎｅｚｏｎｅ、Ｆａｒｏｔｒｉｎ、ｆａｓ抗体、Ｆａｓｔｆｌａｍ、ＦａｓＴＲＡＣＫ、Ｆａｓｔｕｍ、Ｆａｕｌｄｍｅｔｒｏ、ＦｃガンマＲＩＡ抗体、ＦＥ３０１、Ｆｅｂｒｏｆｅｎ、Ｆｅｂｒｏｆｉｄ、フェルビナク、Ｆｅｌｄｅｎｅ、Ｆｅｌｄｅｘ、Ｆｅｌｏｒａｎ、Ｆｅｌｘｉｃａｍ、Ｆｅｎａｃ、Ｆｅｎａｃｏｐ、Ｆｅｎａｄｏｌ、Ｆｅｎａｆｌａｎ、Ｆｅｎａｍｉｃ、Ｆｅｎａｒｅｎ、Ｆｅｎａｔｏｎ、Ｆｅｎｂｉｄ、ｆｅｎｂｕｆｅｎ、Ｆｅｎｇｓｈｉ  Ｇｕｔｏｎｇ、Ｆｅｎｉｃｏｒｔ、Ｆｅｎｏｐｉｎｅ、フェノプロフェンカルシウム、Ｆｅｎｏｐｒｏｎ、Ｆｅｎｒｉｓ、Ｆｅｎｓｕｐｐ、Ｆｅｎｘｉｃａｍ、フェプラジノール、Ｆｅｒｏｖｉｓｃ、Ｆｅｖｅｒｌｅｔ、フェザキヌマブ、ＦＧ３０１９、ＦＨＴ４０１、ＦＨＴＣＴ４、ＦＩＤ１１４６５７、フィギツムマブ、Ｆｉｌｅｘｉ、フィルグラスチム、Ｆｉｌｌａｓｅ、Ｆｉｎａｌ、Ｆｉｎｄｏｘｉｎ、塩酸フィンゴリモド、フィラテグラスト、Ｆｉｒｄａｐｓｅ、Ｆｉｓｉｏｄａｒ、Ｆｉｖａｓａ、ＦＫ７７８、Ｆｌａｃｏｘｔｏ、
Ｆｌａｄａｌｇｉｎ、Ｆｌａｇｏｎ、Ｆｌａｍａｒ、Ｆｌａｍｃｉｄ、Ｆｌａｍｆｏｒｔ、Ｆｌａｍｉｄｅ、Ｆｌａｍｉｎａｓｅ、Ｆｌａｍｉｒｅｘ  Ｇｅｓｉｃ、Ｆｌａｎｉｄ、Ｆｌａｎｚｅｎ、Ｆｌａｒｅｎ、Ｆｌａｒｅｎ、Ｆｌａｓｈ  Ａｃｔ、フラボノイド抗炎症性分子、Ｆｌｅｂｏｇａｍｍａ  ＤＩＦ、Ｆｌｅｎａｃ、Ｆｌｅｘ、Ｆｌｅｘａｆｅｎ  ４００、Ｆｌｅｘｉ、Ｆｌｅｘｉｄｏｌ、Ｆｌｅｘｉｕｍ、Ｆｌｅｘｏｎ、Ｆｌｅｘｏｎｏ、Ｆｌｏｇｅｎｅ、Ｆｌｏｇｉａｔｒｉｎ  Ｂ１２、Ｆｌｏｇｏｍｉｎ、Ｆｌｏｇｏｒａｌ、Ｆｌｏｇｏｓａｎ、Ｆｌｏｇｏｔｅｒ、Ｆｌｏ−Ｐｒｅｄ、Ｆｌｏｓｔｅｒｏｎ、Ｆｌｏｔｒｉｐ  Ｆｏｒｔｅ、Ｆｌｔ３阻害剤、フルアステロン、Ｆｌｕｃａｍ、
Ｆｌｕｃｉｎａｒ、酢酸フルドロコルチゾン、フルフェナム酸アルミニウム、フルメタゾン、Ｆｌｕｍｉｄｏｎ、フルニキシン、フルオシノロン、フルオシノロンアセトニド、フルオシノニド、フルオコルトロン、Ｆｌｕｏｎｉｄ、フルオロメトロン、Ｆｌｕｒ、フルルビプロフェン、Ｆｌｕｒｉｂｅｃ、Ｆｌｕｒｏｍｅｔｈｏｌｏｎｅ、Ｆｌｕｔａｌ、フルチカゾン、プロピオン酸フルチカゾン、Ｆｌｕｔｉｚｏｎｅ、Ｆｌｕｚｏｎｅ、ＦＭ１０１抗体、ｆｍｓ関連チロシンキナーゼ１抗体、Ｆｏｌｉｔｒａｘ、フォントリズマブ、蟻酸、Ｆｏｒｔｅｃｏｒｔｉｎ、Ｆｏｓｐｅｇ、フォスタマチニブジナトリウム、ＦＰ１０６９、ＦＰ１３ＸＸ、ＦＰＡ００８、ＦＰＡ０３１、ＦＰＴ０２５、ＦＲ１０４、ＦＲ１６７６５３、Ｆｒａｍｅｂｉｎ、Ｆｒｉｍｅ、Ｆｒｏｂｅｎ、Ｆｒｏｌｉｘ、ＦＲＯＵＮＴ阻害剤、Ｆｕｂｉｆｅｎ  ＰＡＰ、Ｆｕｃｏｌｅイブプロフェン、Ｆｕｌａｍｏｔｏｌ、Ｆｕｌｐｅｎ、Ｆｕｎｇｉｆｉｎ、Ｆｕｒｏｔａｌｇｉｎ、フシジン酸ナトリウム、ＦＸ００２、ＦＸ１４１Ｌ、ＦＸ２０１、ＦＸ３００、ＦＸ８７Ｌ、ガレクチン調節剤、ガリウムマルトレート、Ｇａｍｉｍｕｎｅ  Ｎ、Ｇａｍｍａｇａｒｄ、Ｇａｍｍａ−Ｉ．Ｖ．、ＧａｍｍａＱｕｉｎ、Ｇａｍｍａ−Ｖｅｎｉｎ、Ｇａｍｕｎｅｘ、Ｇａｒｚｅｎ、Ｇａｓｐｉｒｉｎ、Ｇａｔｔｅｘ、ＧＢＲ５００、ＧＢＲ５００抗体、ＧＢＴ００９、Ｇ−ＣＳＦ、ＧＥＤ０３０１、ＧＥＤ０４１４、Ｇｅｆｅｎｅｃ、Ｇｅｌｏｆｅｎ、Ｇｅｎｅｐｒｉｌ、Ｇｅｎｇｒａｆ、Ｇｅｎｉｍｕｎｅ、Ｇｅｎｉｑｕｉｎ、Ｇｅｎｏｔｒｏｐｉｎ、Ｇｅｎｚ２９１５５、Ｇｅｒｂｉｎ、Ｇｅｒｂｉｎ、ゲボキズマブ、ＧＦ０１５６４６００、Ｇｉｌｅｎｉａ、Ｇｉｌｅｎｙａ、ギビノスタット、ＧＬ００５０、ＧＬ２０４５、酢酸グラチラマー、Ｇｌｏｂｕｌｉｎ、Ｇｌｏｒｔｈｏ  Ｆｏｒｔｅ、Ｇｌｏｖａｌｏｘ、Ｇｌｏｖｅｎｉｎ−Ｉ、ＧＬＰＧ０２５９、ＧＬＰＧ０５５５、ＧＬＰＧ０６３４、ＧＬＰＧ０７７８、ＧＬＰＧ０９７４、Ｇｌｕｃｏ、Ｇｌｕｃｏｃｅｒｉｎ、グルコサミン、塩酸グルコサミン、硫酸グルコサミン、Ｇｌｕｃｏｔｉｎ、Ｇｌｕｄｅｘ、Ｇｌｕｔｉｌａｇｅ、ＧＬＹ０７９、ＧＬＹ１４５、Ｇｌｙｃａｎｉｃ、Ｇｌｙｃｅｆｏｒｔ  ｕｐ、Ｇｌｙｇｅｓｉｃ、Ｇｌｙｓｏｐｅｐ、ＧＭＣＳＦ抗体、ＧＭＩ１０１０、ＧＭＩ１０１１、ＧＭＩ１０４３、ＧＭＲ３２１、ＧＮ４００１、Ｇｏａｎｎａ  Ｓａｌｖｅ、Ｇｏｆｌｅｘ、金チオリンゴ酸ナトリウム、ゴリムマブ、ＧＰ２０１３、ＧＰＣＲ調節剤、ＧＰＲ１５拮抗薬、ＧＰＲ１８３拮抗薬、ＧＰＲ３２拮抗薬、ＧＰＲ８３拮抗薬、Ｇタンパク質結合受容体拮抗薬、Ｇｒａｃｅｐｔｏｒ、Ｇｒａｆｔａｃ、顆粒球コロニー刺激因子抗体、顆粒球コマクロファージコロニー刺激因子抗体、Ｇｒａｖｘ、ＧＲＣ４０３９、Ｇｒｅｌｙｓｅ、ＧＳ１０１、ＧＳ９９７３、ＧＳＣ１００、ＧＳＫ１６０５７８６、ＧＳＫ１８２７７７１、ＧＳＫ２１３６５２５、ＧＳＫ２９４１２６６、ＧＳＫ３１５２３４、ＧＳＫ６８１３２３、ＧＴ１４６、ＧＴ４４２、Ｇｕｃｉｘｉａｏｔｏｎｇ、Ｇｕｆｉｓｅｒａ、Ｇｕｐｉｓｏｎｅ、塩酸グスペリムス、ＧＷ２７４１５０、ＧＷ３３３３、ＧＷ４０��３８１、ＧＷ８５６５５３、ＧＷＢ７８、ＧＸＰ０４、Ｇｙｎｅｓｔｒｅｌ、Ｈａｌｏａｒｔ、酢酸ハロプレドン、Ｈａｌｏｘｉｎ、ＨＡＮＡＬＬ、Ｈａｎａｌｌ  Ｓｏｌｕｄａｃｏｒｔｉｎ、Ｈａｖｉｓｃｏ、Ｈａｗｏｎ  Ｂｕｃｉｌｌａｍｉｎ、ＨＢ８０２、ＨＣ３１４９６、ＨＣＱ  ２００、ＨＤ１０４、ＨＤ２０３、ＨＤ２０５、ＨＤＡＣ阻害剤、ＨＥ２５００、ＨＥ３１７７、ＨＥ３４１３、Ｈｅｃｏｒｉａ、Ｈｅｃｔｏｍｉｔａｃｉｎ、Ｈｅｆａｓｏｌｏｎ、Ｈｅｌｅｎ、Ｈｅｌｅｎｉｌ、ＨｅｍａＭａｘ、Ｈｅｍａｔｏｍ、造血幹細胞、Ｈｅｍａｔｒｏｌ、Ｈｅｍｎｅｒ、Ｈｅｍｒｉｌ、ｈｅｐａｒｉｎｏｉｄ、Ｈｅｐｔａｘ、ＨＥＲ２抗体、Ｈｅｒｐｏｎｉｌ、ｈＥＳＣ由来樹状細胞、ｈＥＳＣ由来造血幹細胞、Ｈｅｓｐｅｒｃｏｒｂｉｎ、Ｈｅｘａｃｏｒｔｏｎ、Ｈｅｘａｄｒｏｌ、ヘキセチジン、Ｈｅｘｏｄｅｒｍ、Ｈｅｘｏｄｅｒｍ  Ｓａｌｉｃ、ＨＦ０２２０、ＨＦ１０２０、ＨＦＴ−４０１、ｈＧ−ＣＳＦＲ  ＥＤ  Ｆｃ、Ｈｉｂｅｒｎａ、高移動度群ボックス１抗体、Ｈｉｌｏｎｅｅｄ、Ｈｉｎｏｃａｍ、ｈｉｒｕｄｉｎ、Ｈｉｒｕｄｏｉｄ、Ｈｉｓｏｎ、Ｈｉｓｔａｍｉｎｅ  Ｈ４受容体拮抗薬、Ｈｉｔｅｎｅｒｃｅｐｔ、Ｈｉｚｅｎｔｒａ、ＨＬ０３６、ＨＬ１６１、ＨＭＰＬ００１、ＨＭＰＬ００４、ＨＭＰＬ００４、ＨＭＰＬ０１１、ＨＭＰＬ３４２、ＨＭＰＬ６９２、ミツバチ毒、Ｈｏｎｇｑｉａｎｇ、Ｈｏｔｅｍｉｎ、ＨＰＨ１１６、ＨＴＩ１０１、ＨｕＣＡＬ抗体、ヒト脂肪間葉幹細胞、抗ＭＨＣクラスＩＩモノクローナル抗体、ヒト免疫グロブリン、ヒトプラセンタ組織加水分解物、ＨｕＭａｘＣＤ４、ＨｕＭａｘ−ＴＡＣ、Ｈｕｍｅｔｏｎｅ、Ｈｕｍｉｃａｄｅ、Ｈｕｍｉｒａ、Ｈｕｏｎｓ  Ｂｅｔａｍｅｔｈａｓｏｎｅ  ｓｏｄｉｕｍ  ｐｈｏｓｐｈａｔｅ、Ｈｕｏｎｓ  ｄｅｘａｍｅｔｈａｓｏｎｅ  ｓｏｄｉｕｍ  ｐｈｏｓｐｈａｔｅ、Ｈｕｏｎｓ  Ｐｉｒｏｘｉｃａｍ、Ｈｕｏｎｓ  Ｔａｌｎｉｆｌｕｍａｔｅ、Ｈｕｒｏｆｅｎ、Ｈｕｒｕｍａ、Ｈｕｖａｐ、ＨｕＺＡＦ、ＨＸ０２、Ｈｙａｌｏｇｅｌ、ヒアルロン酸ナトリウム、ヒアルロン酸、ヒアルロニダーゼ、Ｈｙａｒｏｎ、Ｈｙｃｏｃｉｎ、Ｈｙｃｏｒｔ、Ｈｙ−Ｃｏｒｔｉｓｏｎｅ、ヒドロコルチゾン、酢酸ヒドロコルチゾン、酪酸ヒドロコルチゾン、ヘミコハク酸ヒドロコルチゾン、リン酸ヒドロコルチゾンナトリウム、コハク酸ヒドロコルチゾンナトリウム、Ｈｙｄｒｏｃｏｒｔｉｓｔａｂ、Ｈｙｄｒｏｃｏｒｔｏｎｅ、Ｈｙｄｒｏｌｉｎ、Ｈｙｄｒｏｑｕｉｎｅ、Ｈｙｄｒｏ−Ｒｘ、Ｈｙｄｒｏｓｏｎｅ  ＨＩＫＭＡ、ヒドロキシクロロキン、硫酸ヒドロキシクロロキン、Ｈｙｌａｓｅ  Ｄｅｓｓａｕ、ＨｙＭＥＸ、Ｈｙｐｅｎ、ＨｙＱ、Ｈｙｓｏｎａｔｅ、ＨＺＮ６０２、Ｉ．Ｍ．７５、ＩＡＰ阻害剤、Ｉｂａｌｇｉｎ、Ｉｂａｌｇｉｎ、Ｉｂｅｘ、ｉｂｒｕｔｉｎｉｂ、ＩＢｓｏｌｖＭＩＲ、Ｉｂｕ、Ｉｂｕｃｏｎ、Ｉｂｕｄｏｌｏｒ、Ｉｂｕｆｅｎ、Ｉｂｕｆｌａｍ、Ｉｂｕｆｌｅｘ、Ｉｂｕｇｅｓｉｃ、Ｉｂｕ−Ｈｅｐａ、Ｉｂｕｋｉｍ、Ｉｂｕｍａｌ、Ｉｂｕｎａｌ、Ｉｂｕｐｅｎｔａｌ、Ｉｂｕｐｒｉｌ、Ｉｂｕｐｒｏｆ、イブプロフェン、Ｉｂｕｓｃｅｎｔ、Ｉｂｕｓｏｆｔ、Ｉｂｕｓｕｋｉ  Ｐｅｎｊ��ｏｎｇ、Ｉｂｕｓｕｓｐｅｎ、Ｉｂｕｔａｒｄ、Ｉｂｕｔｏｐ、Ｉｂｕｔｏｐ、Ｉｂｕｔｒｅｘ、ＩＣ４８７８９２、イクタモール、ＩＣＲＡＣ遮断薬、ＩＤＥＣ１３１、ＩＤＥＣＣＥ９．１、Ｉｄｅｓ、Ｉｄｉｃｉｎ、Ｉｄｉｚｏｎｅ、ＩＤＮ６５５６、Ｉｄｏｍｅｔｈｉｎｅ、ＩＤＲ１、Ｉｄｙｌ  ＳＲ、Ｉｆｅｎ、イグラチモド、ＩＫ６００２、ＩＫＫ−ベータ阻害剤、ＩＬ１７拮抗薬、ＩＬ−１７阻害剤、ＩＬ−１７ＲＣ、ＩＬ１８、ＩＬ１Ｈｙ１、ＩＬ１Ｒ１、ＩＬ−２３  Ａｄｎｅｃｔｉｎ、ＩＬ２３阻害剤、ＩＬ２３受容体拮抗薬、ＩＬ−３１  ｍＡｂ、ＩＬ−６阻害剤、ＩＬ６Ｑｂ、Ｉｌａｃｏｘ、Ｉｌａｒｉｓ、イロデカキン（ｉｌｏｄｅｃａｋｉｎ）、ＩＬＶ０９４、ＩＬＶ０９５、Ｉｍａｘｅｔｉｌ、ＩＭＤ０５６０、ＩＭＤ２５６０、Ｉｍｅｓｅｌ  Ｐｌｕｓ、Ｉｍｉｎｏｒａｌ、Ｉｍｍｏｄｉｎ、ＩＭＭＵ１０３、ＩＭＭＵ１０６、Ｉｍｍｕｃｅｐｔ、Ｉｍｍｕｆｉｎｅ、Ｉｍｍｕｎｅｘシロップ、免疫グロブリン、免疫グロブリンＧ、Ｉｍｍｕｎｏｐｒｉｎ、ＩｍｍｕｎｏＲｅｌ、Ｉｍｍｕｒｉｎ、ＩＭＯ８４００、ＩＭＰ７３１抗体、Ｉｍｐｌａｎｔａ、Ｉｍｕｎｏｃｅｌｌ、Ｉｍｕｒａｎ、Ｉｍｕｒｅｋ、Ｉｍｕｓａｆｅ、Ｉｍｕｓｐｏｒｉｎ、Ｉｍｕｔｒｅｘ、ＩＮ０７０１、Ｉｎａｌ、ＩＮＣＢ０３９１１０、ＩＮＣＢ１８４２４、ＩＮＣＢ２８０５０、ＩＮＣＢ３２８４、ＩＮＣＢ３３４４、Ｉｎｄｅｘｏｎ、Ｉｎｄｉｃ、Ｉｎｄｏ、Ｉｎｄｏ−Ａ、Ｉｎｄｏｂｉｄ、Ｉｎｄｏ−Ｂｒｏｓ、Ｉｎｄｏｃａｆ、Ｉｎｄｏｃａｒｓｉｌ、Ｉｎｄｏｃｉｄ、Ｉｎｄｏｃｉｎ、Ｉｎｄｏｍｅｈｏｔｐａｓ、Ｉｎｄｏｍｅｎ、Ｉｎｄｏｍｅｔ、Ｉｎｄｏｍｅｔａｃｉｎ、インドメタシン、Ｉｎｄｏｍｅｔｈａｓｏｎｅ、Ｉｎｄｏｍｅｔｉｎ、Ｉｎｄｏｍｉｎ、Ｉｎｄｏｐａｌ、Ｉｎｄｏｒｏｎ、Ｉｎｄｏｔｒｏｘｉｎ、ＩＮＤＵＳ８３０、ＩＮＤＵＳ８３０３０、Ｉｎｆｌａｄａｓｅ、Ｉｎｆｌａｍａｃ、インフラマソーム阻害剤、Ｉｎｆｌａｖｉｓ、Ｉｎｆｌａｘｅｎ、Ｉｎｆｌｅｃｔｒａ、インフリキシマブ、Ｉｎｇａｌｉｐｔ、Ｉｎｉｃｏｘ  ｄｐ、Ｉｎｍｅｃｉｎ、Ｉｎｍｕｎｏａｒｔｒｏ、Ｉｎｎａｍｉｔ、ＩｎｎｏＤ０６００６、ＩＮＯ７９９７、Ｉｎｏｃｉｎ、Ｉｎｏｔｅｎ、Ｉｎｏｖａｎ、Ｉｎｐｒａ、Ｉｎｓｉｄｅ  Ｐａｐ、Ｉｎｓｉｄｅｒ−Ｐ、Ｉｎｓｔａｃｙｌ、Ｉｎｓｔｒａｃｏｏｌ、Ｉｎｔａｆｅｎａｃ、Ｉｎｔａｆｌａｍ、Ｉｎｔｅｂａｎ、Ｉｎｔｅｂａｎ  Ｓｐａｎｓｕｌｅ、インテグリン、アルファ１抗体、インテグリン、アルファ２抗体、Ｉｎｔｅｎｕｒｓｅ、インターフェロンアルファ、インターフェロンベータ−１ａ、インターフェロンガンマ、インターフェロンガンマ抗体、Ｉｎｔｅｒｋｉｎｇ、インターロイキン１  Ｈｙ１、インターロイキン１抗体、インターロイキン１受容体抗体、インターロイキン１、ベータ抗体、インターロイキン１０、インターロイキン１０抗体、インターロイキン１２、インターロイキン１２抗体、インターロイキン１３抗体、インターロイキン１５抗体、インターロイキン１７抗体、インターロイキン１７受容体Ｃ、インターロイキン１８、インターロイキン１８結合タンパク質、インターロイキン１８抗体、インターロイキン２���容体、アルファ抗体、インターロイキン２０抗体、インターロイキン２１  ｍＡｂ、インターロイキン２３アプタマー、インターロイキン３１抗体、インターロイキン３４、インターロイキン６阻害剤、インターロイキン６抗体、インターロイキン６受容体抗体、インターロイキン７、インターロイキン７受容体抗体、インターロイキン８、インターロイキン８抗体、インターロイキン−１８抗体、Ｉｎｔｉｄｒｏｌ、Ｉｎｔｒａｄｅｘ、Ｉｎｔｒａｇａｍ  Ｐ、Ｉｎｔｒａｇｅｓｉｃ、Ｉｎｔｒａｇｌｏｂｉｎ  Ｆ、Ｉｎｔｒａｔｅｃｔ、Ｉｎｚｅｌ、Ｉｏｍａｂ  Ｂ、ＩＯＲ−Ｔ３、ＩＰ７５１、ＩＰＨ２２０１、ＩＰＨ２３０１、ＩＰＨ２４、ＩＰＨ３３、ＩＰＩ１４５、Ｉｐｏｃｏｒｔ、ＩＰＰ２０１００７、Ｉ−Ｐｒｏｆｅｎ、Ｉｐｒｏｘ、Ｉｐｓｏｎ、Ｉｐｕｔｏｎ、ＩＲＡＫ４阻害剤、Ｉｒｅｍｏｄ、Ｉｒｔｏｎｐｙｓｏｎ、ＩＲＸ３、ＩＲＸ５１８３、ＩＳＡ２４７、ＩＳＩＳ１０４８３８、ＩＳＩＳ２３０２、ＩＳＩＳＣＲＰＲｘ、Ｉｓｍａｆｒｏｎ、ＩｓｏＱＣ阻害剤、Ｉｓｏｘ、ＩＴＦ２３５７、Ｉｖｅｅｇａｍ  ＥＮ、Ｉｖｅｐｒｅｄ、ＩＶＩＧ−ＳＮ、ＩＷ００１、Ｉｚｉｌｏｘ、Ｊ６０７Ｙ、Ｊ７７５Ｙ、ＪＡＫ阻害剤、ＪＡＫ３阻害剤、ＪＡＫ３キナーゼ阻害剤、ＪＩ３２９２、ＪＩ４１３５、Ｊｉｎａｎ  Ｌｉｄａ、ＪＮＪ１０３２９６７０、ＪＮＪ１８００３４１４、ＪＮＪ２６５２８３９８、ＪＮＪ２７３９０４６７、ＪＮＪ２８８３８０１７、ＪＮＪ３１００１９５８、ＪＮＪ３８５１８１６８、ＪＮＪ３９７５８９７９、ＪＮＪ４０３４６５２７、ＪＮＪ７７７７１２０、ＪＮＴ−Ｐｌｕｓ、Ｊｏｆｌａｍ、Ｊｏｉｎｔ  Ｇｌｕｃｏｓａｍｉｎ、Ｊｏｉｎｔｅｃ、Ｊｏｉｎｔｓｔｅｍ、Ｊｏｉｎｕｐ、ＪＰＥ１３７５、ＪＳＭ１０２９２、ＪＳＭ７７１７、ＪＳＭ８７５７、ＪＴＥ０５１、ＪＴＥ０５２、ＪＴＥ５２２、ＪＴＥ６０７、Ｊｕｓｇｏ、Ｋ４１２、Ｋ８３２、Ｋａｆｌａｍ、ＫＡＨＲ１０１、ＫＡＨＲ１０２、ＫＡＩ９８０３、Ｋａｌｙｍｉｎ、Ｋａｍ  Ｐｒｅｄｓｏｌ、Ｋａｍｅｔｏｎ、ＫＡＮＡｂ０７１、Ｋａｐｐａｐｒｏｃｔ、ＫＡＲ２５８１、ＫＡＲ３０００、ＫＡＲ３１６６、ＫＡＲ４０００、ＫＡＲ４１３９、ＫＡＲ４１４１、ＫＢ００２、ＫＢ００３、ＫＤ７３３２、ＫＥ２９８、ケリキシマ
ブ、Ｋｅｍａｎａｔ、Ｋｅｍｒｏｘ、Ｋｅｎａｃｏｒｔ、Ｋｅｎａｌｏｇ、Ｋｅｎａｘｉｒ、Ｋｅｎｋｅｔｓｕ  Ｖｅｎｏｇｌｏｂｕｌｉｎ−ＩＨ、Ｋｅｐｌａｔ、Ｋｅｔａｌｇｉｐａｎ、Ｋｅｔｏ  Ｐｉｎｅ、Ｋｅｔｏ、Ｋｅｔｏｂｏｓ、Ｋｅｔｏｆａｎ、Ｋｅｔｏｆｅｎ、Ｋｅｔｏｌｇａｎ、Ｋｅｔｏｎａｌ、Ｋｅｔｏｐｌｕｓ  Ｋａｔａ  Ｐｌａｓｍａ、ケトプロフェン、Ｋｅｔｏｒｅｓ、Ｋｅｔｏｒｉｎ、ケトロラク、ケトロラクトロメタミン、Ｋｅｔｏｓｅｌｅｃｔ、Ｋｅｔｏｔｏｐ、Ｋｅｔｏｖａｉｌ、Ｋｅｔｒｉｃｉｎ、Ｋｅｔｒｏｃ、Ｋｅｔｕｍ、Ｋｅｙｉ、Ｋｅｙｖｅｎ、ＫＦ２４３４５、Ｋ−Ｆｅｎａｃ、Ｋ−Ｆｅｎａｋ、Ｋ−Ｇｅｓｉｃ、Ｋｉｆａｄｅｎｅ、Ｋｉｌｃｏｒｔ、Ｋｉｌｄｒｏｌ、ＫＩＭ１２７、Ｋｉｍｏｔａｂ、キナーゼ阻害剤４ＳＣ、キナーゼＮ、Ｋｉｎｃｏｒｔ、Ｋｉｎｄｏｒａｓｅ、Ｋｉｎｅｒｅｔ、Ｋｉｎｅｔｏ、Ｋｉｔａｄｏｌ、Ｋｉｔｅｘ、Ｋｉｔｏｌａｃ、ＫＬＫ１阻害剤、Ｋｌｏｆｅｎ−Ｌ、Ｋｌｏｔａｒｅｎ、ＫＬＳ−４０ｏｒ、ＫＬＳ−４０ｒａ、ＫＭ２７７、Ｋｎａｖｏｎ、Ｋｏｄｏｌｏ  ｏｒａｂａｓｅ、Ｋｏｈａｋｕｓａｎｉｎ、Ｋｏｉｄｅ、Ｋｏｉｄｅｘａ、Ｋｏｌｂｅｔ、Ｋｏｎａｃ、Ｋｏｎｄｒｏ、Ｋｏｎｄｒｏｍｉｎ、Ｋｏｎｓｈｉｅｎ、Ｋｏｎｔａｂ、Ｋｏｒｄｅｘａ、Ｋｏｓａ、Ｋｏｔａｓｅ、ＫＰＥ０６００１、ＫＲＰ１０７、ＫＲＰ２０３、ＫＲＸ２１１、ＫＲＸ２５２、ＫＳＢ３０２、Ｋ−Ｓｅｐ、Ｋｖ１．３遮断薬、Ｋｖ１．３  ４ＳＣ、Ｋｖ１．３阻害剤、ＫＶＫ７０２、Ｋｙｎｏｌ、Ｌ１５６６０２、Ｌａｂｉｚｏｎｅ、Ｌａｂｏｈｙｄｒｏ、Ｌａｂｏｐｅｎ、Ｌａｃｏｘａ、Ｌａｍｉｎ、Ｌａｍｉｔ、Ｌａｎｆｅｔｉｌ、ラキニミド、酢酸ララゾチド、ＬＡＳ１８６３２３、ＬＡＳ１８７２４７、ＬＡＳ４１００２、Ｌａｔｉｃｏｒｔ、ＬＢＥＣ０１０１、ＬＣＰ３３０１、ＬＣＰ−Ｓｉｒｏ、ＬＣＰ−Ｔａｃｒｏ、ＬＣｓＡ、ＬＤＰ３９２、Ｌｅａｐ−Ｓ、Ｌｅｄｅｒｃｏｒｔ、Ｌｅｄｅｒｆｅｎ、Ｌｅｄｅｒｌｏｎ、Ｌｅｄｅｒｓｐａｎ、Ｌｅｆｅｎｉｎｅ、レフルノミド、Ｌｅｆｌｕｘ、Ｌｅｆｎｏ、Ｌｅｆｒａ、Ｌｅｆｔｏｓｅ、Ｌｅｆｕｍｉｄｅ、Ｌｅｆｕｎｏｄｉｎ、Ｌｅｆｖａ、レナリドミド、レネルセプト、ＬｅｎｔｉＲＡ、ＬＥＯ１５５２０、Ｌｅｏｄａｓｅ、Ｌｅｕｋｉｎｅ、白血球機能関連抗原−１拮抗薬、白血球免疫グロブリン様受容体、サブファミリーＡメンバー４抗体、Ｌｅｕｋｏｔｈｅｒａ、酢酸リュープロリド、レブアルブテロール、レボメントール、ＬＦＡ−１拮抗薬、ＬＦＡ４５１、ＬＦＡ７０３、ＬＦＡ８７８、ＬＧ１０６、ＬＧ２６７阻害剤、ＬＧ６８８阻害剤、ＬＧＤ５５５２、Ｌｉ  Ｌｉｆｅ、ＬｉｄａＭａｎｔｌｅ、Ｌｉｄｅｘ、リドカイン、塩酸リドカイン、塩酸リグノカイン、ＬＩＭ０７２３、ＬＩＭ５３１０、Ｌｉｍｅｔｈａｓｏｎ、Ｌｉｍｕｓ、Ｌｉｍｕｓｔｉｎ、Ｌｉｎｄａｃ、Ｌｉｎｆｏｎｅｘ、Ｌｉｎｏｌａ  ａｃｕｔｅ、Ｌｉｐｃｙ、ｌｉｓｏｆｙｌｌｉｎｅ、Ｌｉｓｔｒａｎ、Ｌｉｖｅｒ  Ｘ受容体調節剤、Ｌｉｚａｋ、ＬＪＰ１２０７、ＬＪＰ９２０、Ｌｏｂａｆｅｎ、Ｌｏｂｕ、Ｌｏｃａｆｌｕｏ、Ｌｏｃａｌｙｎ、Ｌｏｃａｓｅｐｔｉｌ−Ｎｅｏ、Ｌｏｃｐｒｅｎ、Ｌｏｄｉｎｅ、Ｌｏｄｏｔｒａ、Ｌｏｆｅｄｉｃ、Ｌｏｆｌａｍ、Ｌｏｆｎａｃ、Ｌｏｌｃａｍ、Ｌｏｎａｃ、ロナゾラクカルシウム、Ｌｏｐｒｏｆｅｎ、Ｌｏｒａｃｏｒｔ、Ｌｏｒｃａｍ、Ｌｏｒｆｅｎａｍｉｎ、Ｌｏｒｉｎｄｅｎ  Ｌｏｔｉｏ、Ｌｏｒｎｃｒａｔ、ロルノキシカム、Ｌｏｒｏｘ、ロスマピモド（ｌｏｓｍａｐｉｍｏｄ）、エタボン酸ロテプレドノール、Ｌｏｔｅｐｒｅｄｎｏｌ、Ｌｏｔｉｒａｃ、低分子マンネンタケ多糖類、Ｌｏｘａｆｅｎ、Ｌｏｘｆｅｎｉｎｅ、Ｌｏｘｉｃａｍ、Ｌｏｘｏｆｅｎ、Ｌｏｘｏｎａｌ、Ｌｏｘｏｎｉｎ、ロキソプロフェンナトリウム、Ｌｏｘｏｒｏｎ、ＬＰ１８３Ａ１、ＬＰ１８３Ａ２、ＬＰ２０４Ａ１、ＬＰＣＮ１０１９、ＬＴ１９４２、ＬＴ１９６４、ＬＴＮＳ１０１、ＬＴＮＳ１０３、ＬＴＮＳ１０６、ＬＴＮＳ１０８、ＬＴＳ１１１５、ＬＴＺＭＰ００１、Ｌｕｂｏｒ、ルミラコキシブ、Ｌｕｍｉｔｅｃｔ、ＬＸ２３１１、ＬＸ２９３１、ＬＸ２９３２、ＬＹ２１２７３９９、ＬＹ２１８９１０２、ＬＹ２４３９８２１、ＬＹ２９４００２、ＬＹ３００９１０４、ＬＹ３０９８８７、ＬＹ３３３０１３、リンパ球活性化遺伝子３抗体、Ｌｙｍｐｈｏｇｌｏｂｕｌｉｎｅ、Ｌｙｓｅｒ、リジンアスピリン、Ｌｙｓｏｂａｃｔ、Ｌｙｓｏｆｌａｍ、リゾチーム塩酸塩、Ｍ３０００、Ｍ８３４、Ｍ９２３、ｍＡｂ  ｈＧ−ＣＳＦ、ＭＡＢＰ１、マクロファージ遊走阻害因子抗体、Ｍａｉｔｏｎｇｎａ、マジャミル・プロロンガタム（Ｍａｊａｍｉｌ  ｐｒｏｌｏｎｇａｔｕｍ）、主要組織適合性複合体クラスＩＩ  ＤＲ抗体、主要組織適合性複合体クラスＩＩ抗体、Ｍａｌｉｄｅｎｓ、Ｍａｌｉｖａｌ、マンナン結合レクチン、マンナン結合レクチン関連セリンプロテアーゼ２抗体、ＭａｐＫａｐキナーゼ２阻害剤、マラビロク、Ｍａｒｌｅｘ、マシチニブ、Ｍａｓｏ、ＭＡＳＰ２  抗体、ＭＡＴ３０４、マトリックス金属プロテアーゼ阻害剤、マブリリムマブ、Ｍａｘｉｆｌａｍ、Ｍａｘｉｌａｓｅ、Ｍａｘｉｍｕｓ、Ｍａｘｉｓｏｎａ、Ｍａｘｉｕｓ、Ｍａｘｐｒｏ、Ｍａｘｒｅｌ、Ｍａｘｓｕｌｉｄ、Ｍａｘｙ１２、Ｍａｘｙ３０、ＭＡＸＹ４、Ｍａｘｙ７３５、Ｍａｘｙ７４０、Ｍａｙｆｅｎａｍｉｃ、ＭＢ１１０４０、ＭＢＰＹ００３ｂ、ＭＣＡＦ５３５２Ａ、ＭｃＣａｍ、ＭｃＲｏｆｙ、ＭＣＳ１８、ＭＤ７０７、ＭＤＡＭ、ＭＤｃｏｒｔ、ＭＤＲ０６１５５、ＭＤＴ０１２、Ｍｅｂｉｃａｍ、Ｍｅｂｕｔｏｎ、メクロフェナム酸ナトリウム、Ｍｅｃｌｏｐｈｅｎ、Ｍｅｃｏｘ、Ｍｅｄａｃｏｍｂ、Ｍｅｄａｆｅｎ、Ｍｅｄａｍｏｌ、Ｍｅｄｅｓｏｎｅ、ＭＥＤＩ２０７０、ＭＥＤＩ５１１７、ＭＥＤＩ５４１、ＭＥＤＩ５５２、ＭＥＤＩ５７１、Ｍｅｄｉｃｏｘ、Ｍｅｄｉｆｅｎ、Ｍｅｄｉｓｏｌｕ、Ｍｅｄｉｘｏｎ、Ｍｅｄｎｉｓｏｌ、Ｍｅｄｒｏｌ、Ｍｅｄｒｏｌｏｎ、酢酸メドロキシプロゲステロン、Ｍｅｆａｌｇｉｎ、メフェナム酸、Ｍｅｆｅｎｉｘ、Ｍｅｆｅｎｔａｎ、Ｍｅｆｌｅｎ、Ｍｅｆｎｅｔｒａ  ｆｏｒｔｅ、Ｍｅｆｔａｇｅｓｉｃ−ＤＴ、Ｍｅｆｔａｌ、巨核球成長発達因子、Ｍｅｇａｓｐａｓ、Ｍｅｇａｓｔｅｒ、酢酸メゲストロール、Ｍｅｉｔｅ、Ｍｅｋｓｕｎ、Ｍｅｌｂｒｅｘ、Ｍｅｌｃａｍ、Ｍｅｌｃａｍ、Ｍｅｌｆｌａｍ、Ｍｅｌｉｃ、Ｍｅｌｉｃａ、Ｍｅｌｉｘ、Ｍｅｌｏｃａｍ、Ｍｅｌｏｃｏｘ、Ｍｅｌ−Ｏｎｅ、Ｍｅｌｏｐｒｏｌ、Ｍｅｌｏｓｔｅｒａｌ、Ｍｅｌｏｘ、Ｍｅｌｏｘａｎ、Ｍｅｌｏｘｃａｍ、Ｍｅｌｏｘｉｃ、Ｍｅｌｏｘｉｃａｍ、Ｍｅｌｏｘｉｆｅｎ、Ｍｅｌｏｘｉｎ、Ｍｅｌｏｘｉｖ、Ｍｅｌｐｒｅｄ、Ｍｅｌｐｒｏｓ、Ｍｅｌｕｒｊｉｎ、Ｍｅｎａｍｉｎ、Ｍｅｎｉｓｏｎｅ、Ｍｅｎｔｈｏｍｋｅｔｏ、Ｍｅｎｔｈｏｎｅｕｒｉｎ、Ｍｅｎｔｏｃｉｎ、Ｍｅｐａ、Ｍｅｐｈａｒｅｎ、メプレドニゾン、Ｍｅｐｒｅｓｓｏ、Ｍｅｐｓｏｌｏｎｅ、メルカプトプリン、Ｍｅｒｖａｎ、Ｍｅｓａｄｏｒｏｎ、メサラミン、Ｍｅｓａｓａｌ、Ｍｅｓａｔｅｃ、間葉前駆細胞、間葉幹細胞、Ｍｅｓｉｐｏｌ、Ｍｅｓｒｅｎ、Ｍｅｓｕｌａｎ、Ｍｅｓｕｌｉｄ、Ｍｅｔａｃｉｎ、Ｍｅｔａｄａｘａｎ、Ｍｅｔａｆｌｅｘ、Ｍｅｔａｌｃａｐｔａｓｅ、金属酵素阻害剤、Ｍｅｔａｐｒｅｄ、Ｍｅｔａｘ、Ｍｅｔａｚ、Ｍｅｔｅｄ、Ｍｅｔｅｄｉｃ、Ｍｅｔｈａｃｉｎ、Ｍｅｔｈａｄｅｒｍ、Ｍｅｔｈａｓｏｎｅ、Ｍｅｔｈｏｔｒａｘ、メトトレキサート、メトトレキサートナトリウム、Ｍｅｔｈｐｒｅｄ、酢酸メチルプレドニゾロン、サリチル酸メチル、メチルスルホニルメタン、Ｍｅｔｈｙｌｏｎ、Ｍｅｔｈｙｌｐｒｅｄ、メチルプレドニゾロン、酢酸メチルプレドニゾロン、コハク酸メチルプレドニゾロンナトリウム、コハク酸メチルプレドニゾロン、メチルプレドニゾロン、Ｍｅｔｈｙｓｏｌ、Ｍｅｔｉｎｄｏｌ、Ｍｅｔｏａｒｔ、Ｍｅｔｏｊｅｃｔ、Ｍｅｔｏｌａｔｅ、Ｍｅｔｏｒａｌ、Ｍｅｔｏｓｙｎ、Ｍｅｔｏｔａｂ、Ｍｅｔｒａｃｉｎ、Ｍｅｔｒｅｘ、メトロニダゾール、Ｍｅｔｙｐｒｅｄ、Ｍｅｖａｍｏｘ、Ｍｅｖｅｄａｌ、Ｍｅｖｉｌｏｘ、Ｍｅｖｉｎ  ＳＲ、Ｍｅｘｉｌａｌ、Ｍｅｘｐｈａｒｍ、Ｍｅｘｔ、Ｍｅｘｔｒａｎ、ＭＦ２８０、Ｍ−ＦａｓＬ、ＭＨＣクラスＩＩベータ鎖ペプチド、Ｍｉｃａｒ、Ｍｉｃｌｏｆｅｎ、Ｍｉｃｌｏｆｅｎａｃ、Ｍｉｃｏｆｅｎｏｌａｔｏ  Ｍｏｆｅｔｉｌ、Ｍｉｃｏｓｏｎｅ、Ｍｉｃｒｏｄａｓｅ、ミクロＲＮＡ  １８１ａ−２  オリゴヌクレオチド、ＭＩＦ阻害剤、ＭＩＦＱｂ、ＭＩＫＡ−Ｋｅｔｏｐｒｏｆｅｎ、Ｍｉｋａｍｅｔａｎ、ミロジスチム、Ｍｉｌｔａｘ、Ｍｉｎａｆｅｎ、Ｍｉｎａｌｆｅｎ、Ｍｉｎａｌｆｅｎｅ、Ｍｉｎｅｓｕｌｉｎ、Ｍｉｎｏｃｏｒｔ、Ｍｉｏｆｌｅｘ、Ｍｉｏｌｏｘ、Ｍｉｐｒｏｆｅｎ、Ｍｉｒｉｄａｃｉｎ、Ｍｉｒｌｏｋｓ、Ｍｉｓｏｃｌｏ、Ｍｉｓｏｆｅｎａｃ、ＭＩＳＴＢ０３、ＭＩＳＴＢ０４、Ｍｉｔｉｌｏｒ、ミゾリビン、ＭＫ０３５９、ＭＫ０８１２、ＭＫ０８７３、ＭＫ２阻害剤、ＭＫ５０、ＭＫ８４５７、ＭＫ８８０８、ＭＫＣ２０４、ＭＬＮ０００２、ＭＬＮ０４１５、ＭＬＮ１２０２、ＭＬＮ２７３、ＭＬＮ３１２６、ＭＬＮ３７０１、ＭＬＮ３８９７、ＭＬＮＭ００２、ＭＭ０９３、ＭＭ７ＸＸ、ＭＮ８００１、Ｍｏｂｉｃ、Ｍｏｂｉｃａｍ、Ｍｏｂｉｃｏｘ、Ｍｏｂｉｆｅｎ  Ｐｌｕｓ、Ｍｏｂｉｌａｔ、Ｍｏｂｉｔｉｌ、Ｍｏｃｏｘ、Ｍｏｄｉｇｒａｆ、Ｍｏｄｒａｓｏｎｅ、Ｍｏｄｕｌｉｎ、Ｍｏｆｅｃｅｐｔ、Ｍｏｆｅｔｙｌ、モフェゾラクナトリウム、Ｍｏｆｉｌｅｔ、Ｍｏｌａｃｅ、モルグラモスチム、Ｍｏｌｓｌｉ��ｅ、Ｍｏｍｅｋｉｎ、Ｍｏｍｅｎ  Ｇｅｌｅ、Ｍｏｍｅｎｔ  １００、Ｍｏｍｅｓｏｎｅ、Ｍｏｍｅｓｕｎ、Ｍｏｍｅｔａｍｅｄ、モメタゾン、フロ酸モメタゾン、Ｍｏｎｉｍａｔｅ、モノナトリウムアルファ−ルミノール、Ｍｏｐｉｋ、ＭＯＲ１０３、ＭＯＲ１０４、ＭＯＲ１０５、ＭＯＲ２０８抗体、ＭＯＲＡｂ０２２、Ｍｏｒｉｃａｍ、モルニフルメート、Ｍｏｓｕｏｌｉｔ、Ｍｏｔｏｒａｌ、Ｍｏｖａｘｉｎ、Ｍｏｖｅｒ、Ｍｏｖｅｘ、Ｍｏｖｉｘ、Ｍｏｖｏｘｉｃａｍ、Ｍｏｘ  Ｆｏｒｔｅ、Ｍｏｘｅｎ、塩酸モキシフロキサシン、Ｍｏｚｏｂｉｌ、ＭＰ、ＭＰ０２１０、ＭＰ０２７０、ＭＰ１０００、ＭＰ１０３１、ＭＰ１９６、ＭＰ４３５、ＭＰＡ、ｍＰＧＥＳ−１阻害剤、ＭＰＳＳ、ＭＲＸ７ＥＡＴ、ＭＳＬ、ＭＴ２０３、ＭＴ２０４、ｍＴＯＲ阻害剤、ＭＴＲＸ１０１１Ａ、Ｍｕｃｏｌａｓｅ、Ｍｕｌｔｉｃｏｒｔ、ＭｕｌｔｉＳｔｅｍ、ムラミダーゼ、ムラミダーゼ、塩酸ムラミダーゼ、ムロモナブ−ＣＤ３、Ｍｕｓｌａｘ、Ｍｕｓｐｉｎｉｌ、Ｍｕｔａｚｅ、Ｍｕｖｅｒａ、ＭＸ６８、Ｍｙｃｅｐｔ、Ｍｙｃｏｃｅｌｌ、Ｍｙｃｏｃｅｐｔ、Ｍｙｃｏｆｅｎｏｌａｔｍｏｆｅｔｉｌ  Ａｃｔａｖｉｓ、Ｍｙｃｏｆｅｔ、Ｍｙｃｏｆｉｔ、Ｍｙｃｏｌａｔｅ、Ｍｙｃｏｌｄｏｓａ、Ｍｙｃｏｍｕｎ、Ｍｙｃｏｎｏｌ、ミコフェノール酸モフェチル、ミコフェノール酸ナトリウム、ミコフェノール酸、Ｍｙｃｏｔｉｌ、骨髄性（ｍｙｅｌｏｉｄ）  前駆細胞、Ｍｙｆｅｎａｘ、Ｍｙｆｅｔｉｌ、Ｍｙｆｏｒｔｉｃ、Ｍｙｇｒａｆｔ、Ｍｙｏｃｈｒｙｓｉｎｅ、Ｍｙｏｃｒｉｓｉｎ、Ｍｙｐｒｏｄｏｌ、Ｍｙｓｏｎｅ、ｎａｂ−Ｃｙｃｌｏｓｐｏｒｉｎｅ、Ｎａｂｅｎｔａｃ、ナビキシモルス、Ｎａｂｔｏｎ、Ｎａｂｕｃｏ、Ｎａｂｕｃｏｘ、Ｎａｂｕｆｌａｍ、Ｎａｂｕｍｅｔ、ナブメトン、Ｎａｂｕｔｏｎ、
Ｎａｃ  Ｐｌｕｓ、Ｎａｃｔａ、Ｎａｃｔｏｎ、Ｎａｄｉｕｍ、Ｎａｋｌｏｆｅｎ  ＳＲ、ＮＡＬ１２０７、ＮＡＬ１２１６、ＮＡＬ１２１９、ＮＡＬ１２６８、ＮＡＬ８２０２、Ｎａｌｆｏｎ、Ｎａｌｇｅｓｉｎ  Ｓ、ナミルマブ（ｎａｍｉｌｕｍａｂ）、Ｎａｍｓａｆｅ、ナンドロロン、Ｎａｎｏｃｏｒｔ、Ｎａｎｏｇａｍ、Ｎａｎｏｓｏｍａｌ  Ｔａｃｒｏｌｉｍｕｓ、Ｎａｐａｇｅｌｎ、Ｎａｐｉｌａｃ、Ｎａｐｒｅｌａｎ、Ｎａｐｒｏ、Ｎａｐｒｏｄｉｌ、Ｎａｐｒｏｎａｘ、Ｎａｐｒｏｐａｌ、Ｎａｐｒｏｓｏｎ、
Ｎａｐｒｏｓｙｎ、Ｎａｐｒｏｖａｌ、Ｎａｐｒｏｘ、ナプロキセン、ナプロキセンナトリウム、Ｎａｐｒｏｘｉｎ、Ｎａｐｒｏｚｅｎ、Ｎａｒｂｏｎ、Ｎａｒｅｘｓｉｎ、Ｎａｒｉｌ、Ｎａｓｉｄａ、ナタリズマブ、Ｎａｘｄｏｍ、Ｎａｘｅｎ、Ｎａｘｉｎ、Ｎａｚｏｖｅｌ、ＮＣ２３００、ＮＤ０７、ＮＤＣ０１３５２、Ｎｅｂｕｍｅｔｏｎｅ、ＮｅｃＬｉｐＧＣＳＦ、Ｎｅｃｓｕｌｉｄｅ、Ｎｅｃｓｕｎｉｍ、Ｎｅｌｓｉｄ−Ｓ、Ｎｅｏ  Ｃｌｏｂｅｎａｔｅ、Ｎｅｏ  Ｓｗｉｆｌｏｘ  ＦＣ、Ｎｅｏｃｏｆｌａｎ、Ｎｅｏ−Ｄｒｏｌ、Ｎｅｏ−Ｅｂｌｉｍｏｎ、Ｎｅｏ−Ｈｙｄｒｏ、Ｎｅｏｐｌａｎｔａ、Ｎｅｏｐｏｒｉｎｅ、Ｎｅｏｐｒｅｏｌ、Ｎｅｏｐｒｏｘ、Ｎｅｏｒａｌ、Ｎｅｏｔｒｅｘａｔｅ、Ｎｅｏｚｅｎ、Ｎｅｐｒａ、Ｎｅｓｔａｃｏｒｔ、Ｎｅｕｍｅｇａ、Ｎｅｕｐｏｇｅｎ、Ｎｅｕｐｒｅｘ、Ｎｅｕｒｏｆｅｎａｃ、Ｎｅｕｒｏｇｅｓｉｃ、Ｎｅｕｒｏｌａｂ、Ｎｅｕｒｏｔｅｒａｄｏｌ、Ｎｅｕｒｏｘｉｃａｍ、Ｎｅｕｔａｌｉｎ、ニュートラツマブ（ｎｅｕｔｒａｚｕｍａｂ）、Ｎｅｕｚｙｍ、Ｎｅｗ  Ｐａｎａｚｏｘ、Ｎｅｗｆｅｎｓｔｏｐ、ＮｅｗＧａｍ、Ｎｅｗｍａｆｅｎ、Ｎｅｗｍａｔａｌ、Ｎｅｗｓｉｃａｍ、ＮＥＸ１２８５、ｓＦｃＲＩＩＢ、Ｎｅｘｔｏｍａｂ、ＮＦ−ｋａｐｐａＢ阻害剤、ＮＦ−ｋＢ阻害剤、ＮＧＤ２０００１、ＮＨＰ５５４Ｂ、ＮＨＰ５５４Ｐ、ＮＩ０１０１抗体、ＮＩ０４０１、ＮＩ０５０１抗体、ＮＩ０７０１、ＮＩ０７１、ＮＩ１２０１抗体、ＮＩ１４０１、Ｎｉｃｉｐ、Ｎｉｃｏｎａｓ、Ｎｉｃｏｏｌ、ＮｉＣｏｒｄ、Ｎｉｃｏｘ、Ｎｉｆｌｕｍａｔｅ、Ｎｉｇａｚ、Ｎｉｋａｍ、Ｎｉｌｉｔｉｓ、Ｎｉｍａｃｅ、Ｎｉｍａｉｄ、Ｎｉｍａｒｋ−Ｐ、Ｎｉｍａｚ、Ｎｉｍｃｅｔ  Ｊｕｉｃｙ、Ｎｉｍｅ、Ｎｉｍｅｄ、Ｎｉｍｅｐａｓｔ、ニメスリド、Ｎｉｍｅｓｕｌｉｘ、Ｎｉｍｅｓｕｌｏｎ、Ｎｉｍｉｃａ  Ｐｌｕｓ、Ｎｉｍｋｕｌ、Ｎｉｍｌｉｎ、Ｎｉｍｎａｔ、Ｎｉｍｏｄｏｌ、Ｎｉｍｐｉｄａｓｅ、Ｎｉｍｓａｉｄ−Ｓ、Ｎｉｍｓｅｒ、Ｎｉｍｓｙ−ＳＰ、Ｎｉｍｕｐｅｐ、Ｎｉｍｕｓｏｌ、Ｎｉｍｕｔａｌ、Ｎｉｍｕｗｉｎ、Ｎｉｍｖｏｎ−Ｓ、Ｎｉｎｃｏｒｔ、Ｎｉｏｆｅｎ、Ｎｉｐａｎ、Ｎｉｐｅｎｔ、Ｎｉｓｅ、Ｎｉｓｏｌｏｎｅ、Ｎｉｓｏｐｒｅｄ、Ｎｉｓｏｐｒｅｘ、Ｎｉｓｕｌｉｄ、ニタゾキサニド、Ｎｉｔｃｏｎ、一酸化窒素、Ｎｉｚｈｖｉｓａｌ  Ｂ、Ｎｉｚｏｎ、ＮＬ、ＮＭＲ１９４７、ＮＮ８２０９、ＮＮ８２１０、ＮＮ８２２６、ＮＮ８５５５、ＮＮ８７６５、ＮＮ８８２８、ＮＮＣ０１４１０００００１００、ＮＮＣ０５１８６９、Ｎｏａｋ、Ｎｏｄｅｖｅｘ、Ｎｏｄｉａ、Ｎｏｆｅｎａｃ、Ｎｏｆｌａｇｍａ、Ｎｏｆｌａｍ、Ｎｏｆｌａｍｅｎ、Ｎｏｆｌｕｘ、非抗菌性テトラサイクリン、Ｎｏｎｐｉｒｏｎ、Ｎｏｐａｉｎ、Ｎｏｒｍｆｅｒｏｎ、Ｎｏｔｐｅｌ、Ｎｏｔｒｉｔｉｓ、Ｎｏｖａｃｏｒｔ、Ｎｏｖａｇｅｎｔ、Ｎｏｖａｒｉｎ、Ｎｏｖｉｇｅｓｉｃ、ＮＯＸＡ１２、ＮＯＸＤ１９、Ｎｏｘｅｎ、Ｎｏｘｏｎ、ＮＰＩ１３０２ａ−３、ＮＰＩ１３４２、ＮＰＩ１３８７、ＮＰＩ１３９０、ＮＰＲＣＳ１、ＮＰＲＣＳ２、ＮＰＲＣＳ３、ＮＰＲＣＳ４、ＮＰＲＣＳ５、ＮＰＲＣＳ６、ＮＰＳ３、ＮＰＳ４、ｎＰＴ���ｅｒｙ、ＮＵ３４５０、核因子ＮＦ−カッパ−Ｂ  ｐ６５サブユニットオリゴヌクレオチド、Ｎｕｃｏｒｔ、Ｎｕｌｏｊｉｘ、Ｎｕｍｅｄ−Ｐｌｕｓ、Ｎｕｒｏｋｉｎｄ  Ｏｒｔｈｏ、Ｎｕｓｏｎｅ−Ｈ、Ｎｕｔｒｉｋｅｍｉａ、Ｎｕｖｉｏｎ、ＮＶ０７アルファ、ＮＸ００１、Ｎｙｃｌｏｂａｔｅ、Ｎｙｏｘ、Ｎｙｓａ、Ｏｂａｒｃｏｒｔ、ＯＣ００２４１７、ＯＣ２２８６、オカラツズマブ、ＯＣＴＳＧ８１５、Ｏｅｄｅｍａｓｅ、Ｏｅｄｅｍａｓｅ−Ｄ、オファツムマブ、Ｏｆｇｙｌ−Ｏ、Ｏｆｖｉｓｔａ、ＯＨＲ１１８、ＯＫｉ、Ｏｋｉｆｅｎ、Ｏｋｓａｍｅｎ、Ｏｌａｉ、オロキズマブ、Ｏｍｅｐｒｏｓｅ  Ｅ、Ｏｍｎａｃｏｒｔｉｌ、Ｏｍｎｅｅｄ、Ｏｍｎｉｃｌｏｒ、Ｏｍｎｉｇｅｌ、Ｏｍｎｉｗｅｌ、ｏｎｅｒｃｅｐｔ、ＯＮＯ４０５７、ＯＮＳ１２１０、ＯＮＳ１２２０、Ｏｎｔａｃ  Ｐｌｕｓ、Ｏｎｔａｋ、ＯＮＸ０９１４、ＯＰＣ６５３５、オペバカン、ＯＰＮ１０１、ＯＰＮ２０１、ＯＰＮ３０２、ＯＰＮ３０５、ＯＰＮ４０１、オプレルベキン、ＯＰＴ６６、Ｏｐｔｉｆｅｒ、Ｏｐｔｉｆｌｕｒ、ＯｐｔｉＭＩＲＡ、Ｏｒａｂａｓｅ  Ｈｃａ、Ｏｒａｄｅｘｏｎ、Ｏｒａｆｌｅｘ、ＯｒａｌＦｅｎａｃ、Ｏｒａｌｏｇ、Ｏｒａｌｐｒｅｄ、Ｏｒａ−ｓｅｄ、Ｏｒａｓｏｎｅ、ｏｒＢｅｃ、Ｏｒｂｏｎｅ  ｆｏｒｔｅ、Ｏｒｃｌ、ＯＲＥ１０００２、ＯＲＥ１０００２、Ｏｒｅｎｃｉａ、Ｏｒｇ２１４００７、Ｏｒｇ２１７９９３、Ｏｒｇ２１９５１７、Ｏｒｇ２２３１１９、Ｏｒｇ３７６６３、Ｏｒｇ３９１４１、Ｏｒｇ４８７６２、Ｏｒｇ４８７７５、Ｏｒｇａｄｒｏｎｅ、Ｏｒｍｏｘｅｎ、Ｏｒｏｆｅｎ  Ｐｌｕｓ、Ｏｒｏｍｙｌａｓｅ  Ｂｉｏｇａｒａｎ、Ｏｒｔｈａｌ  Ｆｏｒｔｅ、Ｏｒｔｈｏ  Ｆｌｅｘ、Ｏｒｔｈｏｃｌｏｎｅ  ＯＫＴ３、Ｏｒｔｈｏｆｅｎ、Ｏｒｔｈｏｆｌａｍ、Ｏｒｔｈｏｇｅｓｉｃ、Ｏｒｔｈｏｇｌｕ、Ｏｒｔｈｏ−ＩＩ、Ｏｒｔｈｏｍａｃ、Ｏｒｔｈｏ−Ｐｌｕｓ、Ｏｒｔｉｎｉｍｓ、Ｏｒｔｏｆｅｎ、Ｏｒｕｄｉｓ、Ｏｒｕｖａｉｌ、ＯＳ２、Ｏｓｃａｒｔ、Ｏｓｍｅｔｏｎｅ、Ｏｓｐａｉｎ、Ｏｓｓｉｌｉｆｅ、Ｏｓｔｅｌｏｘ、Ｏｓｔｅｌｕｃ、Ｏｓｔｅｏｃｅｒｉｎ、オステオポンチン、Ｏｓｔｅｒａｌ、オテリキシズマブ、Ｏｔｉｐａｘ、Ｏｕ  Ｎｉｎｇ、ＯｖａＳａｖｅ、ＯＸ４０リガンド抗体、Ｏｘａ、Ｏｘａｇｅｓｉｃ  ＣＢ、Ｏｘａｌｇｉｎ  ＤＰ、オキサプロジン、ＯＸＣＱ、Ｏｘｅｎｏ、Ｏｘｉｂ  ＭＤ、Ｏｘｉｂｕｔ、Ｏｘｉｃａｍ、Ｏｘｉｋｌｏｒｉｎ、Ｏｘｉｍａｌ、Ｏｘｙｎａｌ、オキシフェンブタゾン、Ｏｘｙｐｈｅｎｂｕｔａｚｏｎｅ、オゾラリズマブ、Ｐ１３ペプチド、Ｐ１６３９、Ｐ２１、Ｐ２Ｘ７拮抗薬、ｐ３８アルファ阻害剤、ｐ３８拮抗薬、ｐ３８ＭＡＰキナーゼ阻害剤、ｐ３８アルファＭＡＰキナーゼ阻害剤、Ｐ７ペプチド、Ｐ７１７０、Ｐ９７９、ＰＡ４０１、ＰＡ５１７、Ｐａｂｉ−デキサメタゾン、ＰＡＣ、ＰＡＣ１０６４９、パクリタキセル、Ｐａｉｎｏｘａｍ、Ｐａｌｄｏｎ、Ｐａｌｉｍａ、パマピモド、Ｐａｍａｔａｓｅ、Ｐａｎａｆｃｏｒｔ、Ｐａｎａｆｃｏｒｔｅｌｏｎｅ、Ｐａｎｅｗｉｎ、ＰａｎＧｒａｆ、Ｐａｎｉｍｕｎ  Ｂｉｏｒａｌ、Ｐａｎｍｅｓｏｎｅ、Ｐａｎｏｄｉｎ  ＳＲ、Ｐａｎｓｌａｙ、Ｐａｎｚｅｍ、Ｐａｎｚｅｍ  ＮＣＤ、ＰＡＰ１、パパイン、Ｐａｐｉｒｚｉｎ、Ｐａｐｐｅｎ  Ｋ  Ｐａｐ、Ｐａｐｔｉｎｉｍ−Ｄ、パキニモド（ｐａｑｕｉｎｉｍｏｄ）、ＰＡＲ２拮抗薬、Ｐａｒａｃｅｔａｍｏｌ、Ｐａｒａｄｉｃ、Ｐａｒａｆｅｎ  ＴＡＪ、Ｐａｒａｍｉｄｉｎ、Ｐａｒａｎａｃ、Ｐａｒａｐａｒ、Ｐａｒｃｉ、パレコキシブ、Ｐａｒｉｘａｍ、Ｐａｒｒｙ−Ｓ、Ｐａｒｔａｊｅｃｔ  Ｂｕｓｕｌｆａｎ、パテクリズマブ、Ｐａｘｃｅｅｄ、ＰＢＩ００３２、ＰＢＩ１１０１、ＰＢＩ１３０８、ＰＢＩ１３９３、ＰＢＩ１６０７、ＰＢＩ１７３７、ＰＢＩ２８５６、ＰＢＩ４４１９、ＰＢＩ４４１９、Ｐ−Ｃａｍ、ＰＣＩ３１５２３、ＰＣＩ３２７６５、ＰＣＩ３４０５１、ＰＣＩ４５２６１、ＰＣＩ４５２９２、ＰＣＩ４５３０８、ＰＤ３６０３２４、ＰＤ３６０３２４、ＰＤＡ００１、ＰＤＥ４阻害剤、ＰＤＥ−ＩＶ阻害剤、ＰＤＬ２４１抗体、ＰＤＬ２５２、Ｐｅｄｉａｐｒｅｄ、Ｐｅｆｒｅｅ、ペガカリスチム（ｐｅｇａｃａｒｉｓｔｉｍ）、Ｐｅｇａｎｉｘ、Ｐｅｇ−インターロイキン１２、ペグスネルセプト、Ｐｅｇｓｕｎｅｒｃｅｐｔ、ペグ化アルギニンデイミナーゼ、ペルデシン、ペルビプロフェン、Ｐｅｎａｃｌｅ、ペニシラミン、Ｐｅｎｏｓｔｏｐ、Ｐｅｎｔａｌｇｉｎ、Ｐｅｎｔａｓａ、Ｐｅｎｔａｕｄ、ペントスタチン、Ｐｅｏｎ、Ｐｅｐｄａｓｅ、Ｐｅｐｓｅｒ、Ｐｅｐｔｉｒａｓｅ、Ｐｅｐｚｅｎ、Ｐｅｐｚｏｌ、Ｐｅｒｃｕｔａｌｇｉｎｅ、Ｐｅｒｉｏｃｈｉｐ、ペルオキシソーム増殖剤活性化受容体ガンマ調節剤、Ｐｅｔｉｚｅｎｅ、ＰＦ００３４４６００、ＰＦ０４１７１３２７、ＰＦ０４２３６９２１、ＰＦ０４３０８５１５、ＰＦ０５２３０９０５、ＰＦ０５２８０５８６、ＰＦ２５１８０２、ＰＦ３４７５９５２、ＰＦ３４９１３９０、ＰＦ３６４４０２２、ＰＦ４６２９９９１、ＰＦ４８５６８８０、ＰＦ５２１２３６７、ＰＦ５２３０８９６、ＰＦ５４７６５９、ＰＦ７５５６１６、ＰＦ９１８４、ＰＧ２７、ＰＧ５６２、ＰＧ７６０５６４、ＰＧ８３９５、ＰＧＥ３９３５１９９、ＰＧＥ５２７６６７、ＰＨ５、ＰＨ７９７８０４、ＰＨＡ４０８、Ｐｈａｒｍａｎｉａｇａメフェナム酸、Ｐｈａｒｍａｎｉａｇａ  Ｍｅｌｏｘｉｃａｍ、Ｐｈｅｌｄｉｎ、Ｐｈｅｎｏｃｅｐｔ、フェニルブタゾン、ＰＨＹ７０２、ＰＩ３Ｋデルタ阻害剤、ＰＩ３Ｋガンマ／デルタ阻害剤、ＰＩ３Ｋ阻害剤、Ｐｉｃａｌｍ、ピドチモド、ピケトプロフェン、Ｐｉｌｅｌｉｆｅ、Ｐｉｌｏｐｉｌ、Ｐｉｌｏｖａｔｅ、ピメクロリムス、Ｐｉｐｅｔｈａｎｅｎ、Ｐｉｒａｃｔａｍ、Ｐｉｒｅｘｙｌ、Ｐｉｒｏｂｅｔ、Ｐｉｒｏｃ、Ｐｉｒｏｃａｍ、Ｐｉｒｏｆｅｌ、Ｐｉｒｏｇｅｌ、Ｐｉｒｏｍｅｄ、Ｐｉｒｏｓｏｌ、Ｐｉｒｏｘ、Ｐｉｒｏｘｅｎ、Ｐｉｒｏｘｉｃａｍ、ピロキシカムベータデクス、Ｐｉｒｏｘｉｆａｒ、Ｐｉｒｏｘｉｌ、Ｐｉｒｏｘｉｍ、Ｐｉｘｉｍ、Ｐｉｘｙｋｉｎｅ、ＰＫＣシータ阻害剤、ＰＬ３１００、ＰＬ５１００ジクロフェナク、プラセンタポリペプチド、Ｐｌａｑｕｅｎｉｌ、プレリキサフォル（ｐｌｅｒｉｘａｆｏｒ）、Ｐｌｏｃｆｅｎ、ＰＬＲ１４、ＰＬＲ１８、Ｐｌｕｔｉｎ、ＰＬＸ３３９７、ＰＬＸ５６２２、ＰＬＸ６４７、ＰＬＸ−ＢＭＴ、ｐｍｓ−  Ｄｉｃｌｏｆｅｎａｃ、ｐｍｓ−Ｉｂｕｐｒｏｆｅｎ、ｐｍｓ−Ｌｅｆｌｕｎｏｍｉｄｅ、ｐｍｓ−Ｍｅｌｏｘｉｃａｍ、ｐｍｓ−Ｐｉｒｏｘｉｃａｍ、ｐｍｓ−Ｐｒｅｄｎｉｓｏｌｏｎｅ、ｐｍｓ−Ｓｕｌｆａｓａｌａｚｉｎｅ、ｐｍｓ−Ｔｉａｐｒｏｆｅｎｉｃ、ＰＭＸ５３、ＰＮ０６１５、ＰＮ１００、ＰＮ９５１、ポドフィロックス、ＰＯＬ６３２６、Ｐｏｌｃｏｒｔｏｌｏｎ、Ｐｏｌｙｄｅｒｍ、Ｐｏｌｙｇａｍ  Ｓ／Ｄ、Ｐｏｌｙｐｈｌｏｇｉｎ、Ｐｏｎｃｉｆ、Ｐｏｎｓｔａｎ、Ｐｏｎｓｔｉｌ  Ｆｏｒｔｅ、Ｐｏｒｉｎｅ−Ａ  Ｎｅｏｒａｌ、Ｐｏｔａｂａ、アミノ安息香酸カリウム、Ｐｏｔｅｎｃｏｒｔ、Ｐｏｖｉｄｏｎｅ、ポビドンヨード、プラルナカサン（ｐｒａｌｎａｃａｓａｎ）、Ｐｒａｎｄｉｎ、Ｐｒｅｂｅｌ、Ｐｒｅｃｏｄｉｌ、Ｐｒｅｃｏｒｔｉｓｙｌ  Ｆｏｒｔｅ、Ｐｒｅｃｏｒｔｙｌ、Ｐｒｅｄｆｏａｍ、Ｐｒｅｄｉｃｏｒｔ、Ｐｒｅｄｉｃｏｒｔｅｎ、Ｐｒｅｄｉｌａｂ、Ｐｒｅｄｉｌｏｎｅ、Ｐｒｅｄｍｅｔｉｌ、Ｐｒｅｄｍｉｘ、Ｐｒｅｄｎａ、Ｐｒｅｄｎｅｓｏｌ、Ｐｒｅｄｎｉ、プレドニカルベート、Ｐｒｅｄｎｉｃｏｒｔ、Ｐｒｅｄｎｉｄｉｂ、Ｐｒｅｄｎｉｆａｒｍａ、Ｐｒｅｄｎｉｌａｓｃａ、プレドニゾロン、酢酸プレドニゾロン、プレドニゾロンリン酸ナトリウム、コハク酸プレドニゾロンナトリウム、コハク酸プレドニゾロンナトリウム、プレドニゾン、酢酸プレドニゾン、Ｐｒｅｄｎｉｔｏｐ、Ｐｒｅｄｎｏｌ−Ｌ、Ｐｒｅｄｎｏｘ、Ｐｒｅｄｏｎｅ、Ｐｒｅｄｏｎｅｍａ、Ｐｒｅｄｓｏｌ、Ｐｒｅｄｓｏｌｏｎｅ、Ｐｒｅｄｓｏｎｅ、Ｐｒｅｄｖａｌ、Ｐｒｅｆｌａｍ、Ｐｒｅｌｏｎ、Ｐｒｅｎａｘｏｌ、Ｐｒｅｎｏｌｏｎｅ、Ｐｒｅｓｅｒｖｅｘ、Ｐｒｅｓｅｒｖｉｎ、Ｐｒｅｓｏｌ、Ｐｒｅｓｏｎ、Ｐｒｅｘｉｇｅ、Ｐｒｉｌｉｘｉｍａｂ、Ｐｒｉｍａｃｏｒｔ、Ｐｒｉｍｍｕｎｏ、Ｐｒｉｍｏｆｅｎａｃ、プリナベレル（ｐｒｉｎａｂｅｒｅｌ）、Ｐｒｉｖｉｇｅｎ、Ｐｒｉｘａｍ、Ｐｒｏｂｕｘｉｌ、Ｐｒｏｃａｒｎｅ、Ｐｒｏｃｈｙｍａｌ、Ｐｒｏｃｉｄｅｒ−ＥＦ、Ｐｒｏｃｔｏｃｉｒ、Ｐｒｏｄａｓｅ、Ｐｒｏｄｅｌ  Ｂ、Ｐｒｏｄｅｎｔ、Ｐｒｏｄｅｎｔ  Ｖｅｒｄｅ、Ｐｒｏｅｐａ、
Ｐｒｏｆｅｃｏｍ、Ｐｒｏｆｅｎａｃ  Ｌ、Ｐｒｏｆｅｎｉｄ、Ｐｒｏｆｅｎｏｌ、Ｐｒｏｆｌａｍ、Ｐｒｏｆｌｅｘ、Ｐｒｏｇｅｓｉｃ  Ｚ、プログルメタシン、マレイン酸プログルメタシン、Ｐｒｏｇｒａｆ、Ｐｒｏｌａｓｅ、Ｐｒｏｌｉｘａｎ、塩酸プロメタジン、Ｐｒｏｍｏｓｔｅｍ、Ｐｒｏｍｕｎｅ、ＰｒｏｎａＢ、プロナーゼ、Ｐｒｏｎａｔ、
Ｐｒｏｎｇｓ、Ｐｒｏｎｉｓｏｎ、Ｐｒｏｎｔｏｆｌａｍ、Ｐｒｏｐａｄｅｒｍ−Ｌ、Ｐｒｏｐｏｄｅｚａｓ、Ｐｒｏｐｏｌｉｓｏｌ、Ｐｒｏｐｏｎｏｌ、ニコチン酸プロピル、Ｐｒｏｓｔａｌｏｃ、Ｐｒｏｓｔａｐｏｌ、Ｐｒｏｔａｃｉｎ、Ｐｒｏｔａｓｅ、プロテアーゼ阻害剤、Ｐｒｏｔｅｃｔａｎ、プロテイナーゼ活性化受容体２阻害剤、Ｐｒｏｔｏｆｅｎ、Ｐｒｏｔｒｉｎ、Ｐｒｏｘａｌｙｏｃ、Ｐｒｏｘｉｄｏｌ、Ｐｒｏｘｉｇｅｌ、Ｐｒｏｘｉｌ、Ｐｒｏｘｙｍ、Ｐｒｏｚｙｍ、ＰＲＴ０６２０７０、ＰＲＴ２６０７、ＰＲＴＸ１００、ＰＲＴＸ２００、ＰＲＸ１０６、ＰＲＸ１６７７００、Ｐｒｙｓｏｌｏｎｅ、ＰＳ０３１２９１、ＰＳ３７５１７９、ＰＳ３８６１１３、ＰＳ５４０４４６、ＰＳ６０８５０４、ＰＳ８２６９５７、ＰＳ８７３２６６、Ｐｓｏｒｉｄ、ＰＴ、ＰＴ１７、ＰＴＬ１０１、Ｐ−伝達因子ペプチド、ＰＴＸ３、Ｐｕｌｍｉｎｉｑ、Ｐｕｌｓｏｎｉｄ、Ｐｕｒａｚｅｎ、Ｐｕｒｓｉｎ、ＰＶＳ４０２００、ＰＸ１０１、ＰＸ１０６４９１、ＰＸ１１４、ＰＸＳ２０００、ＰＸＳ２０７６、ＰＹＭ６０００１、Ｐｙｒａｌｖｅｘ、Ｐｙｒａｎｉｍ、ピラジノブタゾン（ｐｙｒａｚｉｎｏｂｕｔａｚｏｎｅ）、Ｐｙｒｅｎｏｌ、Ｐｙｒｉｃａｍ、Ｐｙｒｏｄｅｘ、Ｐｙｒｏｘｉ−Ｋｉｄ、ＱＡＸ５７６、Ｑｉａｎｂｏｂｉｙａｎ、ＱＰＩ１００２、ＱＲ４４０、ｑＴ３、Ｑｕｉａｃｏｒｔ、Ｑｕｉｄｏｆｉｌ、Ｒ１０７ｓ、Ｒ１２５２２４、Ｒ１２９５、Ｒ１３２８１１、Ｒ１４８７、Ｒ１５０３、Ｒ１５２４、Ｒ１６２８、Ｒ３３３、Ｒ３４８、Ｒ５４８、Ｒ７２７７、Ｒ７８８、ｒａｂｅｘｉｍｏｄ、Ｒａｄｉｘ  Ｉｓａｔｉｄｉｓ、Ｒａｄｏｆｅｎ、Ｒａｉｐｅｃｋ、Ｒａｍｂａｚｏｌｅ、Ｒａｎｄａｚｉｍａ、Ｒａｐａｃａｎ、Ｒａｐａｍｕｎｅ、Ｒａｐｔｉｖａ、Ｒａｖａｘ、Ｒａｙｏｓ、ＲＤＥＡ１１９、ＲＤＥＡ４３６、ＲＤＰ５８、Ｒｅａｃｔｉｎｅ、Ｒｅｂｉｆ、ＲＥＣ２００、Ｒｅｃａｒｔｉｘ−ＤＮ、高度糖化最終産物抗体のための受容体、Ｒｅｃｌａｓｔ、Ｒｅｃｌｏｆｅｎ、組み換えＨＳＡ−ＴＩＭＰ−２、組み換えヒトアルカリフォスファターゼ、組み換えインターフェロンガンマ、組み換えヒトアルカリフォスファターゼ、Ｒｅｃｏｎｉｌ、Ｒｅｃｔａｇｅｌ  ＨＣ、Ｒｅｃｔｉｃｉｎ、Ｒｅｃｔｏ  Ｍｅｎａｄｅｒｍ、Ｒｅｃｔｏｓ、Ｒｅｄｉｐｒｅｄ、Ｒｅｄｏｌｅｔ、Ｒｅｆａｓｔｉｎ、Ｒｅｇｅｎｉｃａ、ＲＥＧＮ８８、Ｒｅｌａｆｅｎ、Ｒｅｌａｘｉｂ、Ｒｅｌｅｖ、Ｒｅｌｅｘ、Ｒｅｌｉｆｅｎ、Ｒｅｌｉｆｅｘ、Ｒｅｌｉｔｃｈ、Ｒｅｍａｔｏｆ、レメステムセル（ｒｅｍｅｓｔｅｍｃｅｌ）−ｌ、Ｒｅｍｅｓｕｌｉｄｕｍ、Ｒｅｍｉｃａｄｅ，、Ｒｅｍｓｉｍａ、Ｒｅｍｓｉｍａ、Ｒｅｍｓｉｍａ、ＲｅＮ１８６９、Ｒｅｎａｃｅｐｔ、Ｒｅｎｆｏｒ、Ｒｅｎｏｄａｐｔ、Ｒｅｎｏｄａｐｔ−Ｓ、Ｒｅｎｔａ、Ｒｅｏｓａｎ、Ｒｅｐａｒｅ−ＡＲ、Ｒｅｐａｒｉｌｅｘｉｎ、レパリキシン（ｒｅｐａｒｉｘｉｎ）、Ｒｅｐｅｒｔａｘｉｎ、Ｒｅｐｉｓｐｒｉｎ、Ｒｅｓｏｃｈｉｎ、Ｒｅｓｏｌ、レゾルビンＥ１、Ｒｅｓｕｒｇｉｌ、Ｒｅ−スズコロイド、Ｒｅｔｏｚ、Ｒｅｕｍａｃａｐ、Ｒｅｕｍａｃｏｎ、Ｒｅｕｍａｄｏｌｏｒ、Ｒｅｕｍａｄｏｒ、Ｒｅｕｍａｎｉｓａｌ、Ｒｅｕｍａｚｉｎ、Ｒｅｕｍｅｌ、Ｒｅｕｍｏｔｅｃ、Ｒｅｕｑｕｉｎｏｌ、レバミラスト、Ｒｅｖａｓｃｏｒ、Ｒｅｖｉｒｏｃ、Ｒｅｖｌｉｍｉｄ、Ｒｅｖｍｏｋｓｉｋａｍ、Ｒｅｗａｌｋ、Ｒｅｘａｌｇａｎ、ＲＧ２０７７、ＲＧ３４２１、ＲＧ４９３４抗体、ＲＧ７４１６、ＲＧ７６２４、Ｒｈｅｉｌａ、Ｒｈｅｏｍａ、Ｒｈｅｐｒｏｘ、Ｒｈｅｕｄｅｎｏｌｏｎｅ、Ｒｈｅｕｆｅｎ、Ｒｈｅｕｇｅｓｉｃ、Ｒｈｅｕｍａｃｉｄ、Ｒｈｅｕｍａｃｏｒｔ、Ｒｈｅｕｍａｔｒｅｘ、Ｒｈｅｕｍｅｓｓｅｒ、Ｒｈｅｕｍｉｄ、Ｒｈｅｕｍｏｎ、Ｒｈｅｕｍｏｘ、Ｒｈｅｕｏｘｉｂ、Ｒｈｅｗｌｉｎ、Ｒｈｕｃｉｎ、ＲｈｕＤｅｘ、Ｒｈｕｌｅｆ、Ｒｉｂｏｘ、Ｒｉｂｕｎａｌ、Ｒｉｄａｕｒａ、リファキシミン、リロナセプト、リマカリブ、Ｒｉｍａｓｅ、Ｒｉｍａｔｅ、Ｒｉｍａｔｉｌ、Ｒｉｍｅｓｉｄ、リセドロネートナトリウム、Ｒｉｔａｍｉｎｅ、Ｒｉｔｏ、Ｒｉｔｕｘａｎ、リツキシマブ、ＲＮＳ６０、ＲＯ１１３８４５２、Ｒｏ３１３９４８、ＲＯ３２４４７９４、ＲＯ５３１００７４、Ｒｏｂ８０３、Ｒｏｃａｍｉｘ、Ｒｏｃａｓ、Ｒｏｆｅｂ、ロフェコキシブ、Ｒｏｆｅｅ、Ｒｏｆｅｗａｌ、Ｒｏｆｉｃｉｐ  Ｐｌｕｓ、Ｒｏｊｅｐｅｎ、Ｒｏｋａｍ、Ｒｏｌｏｄｉｑｕｉｍ、Ｒｏｍａｃｏｘ  Ｆｏｒｔ、Ｒｏｍａｔｉｍ、ロマザリト、Ｒｏｎａｂｅｎ、ロナカレレト（ｒｏｎａｃａｌｅｒｅｔ）、Ｒｏｎｏｘｃｉｎ、ＲＯＲガンマＴ拮抗薬、ＲＯＲガンマｔ逆作動薬、Ｒｏｓｅｃｉｎ、ロシグリタゾン、ロスマリン酸、Ｒｏｔａｎ、Ｒｏｔｅｃ、Ｒｏｔｈａｃｉｎ、Ｒｏｘａｍ、Ｒｏｘｉｂ、Ｒｏｘｉｃａｍ、Ｒｏｘｏｐｒｏ、Ｒｏｘｙｇｉｎ  ＤＴ、ＲＰ５４７４５、ＲＰＩ７８、ＲＰＩ７８Ｍ、ＲＰＩ７８ＭＮ、ＲＰＩＭＮ、ＲＱ０００００００７、ＲＱ０００００００８、ＲＴＡ４０２、Ｒ−Ｔｙｆｌａｍ、Ｒｕｂｉｃａｌｍ、Ｒｕｂｉｆｅｎ、Ｒｕｍａ  ｐａｐ、Ｒｕｍａｌｅｆ、Ｒｕｍｉｄｏｌ、Ｒｕｍｉｆｅｎ、Ｒｕｎｏｍｅｘ、酢酸ルサラチド（ｒｕｓａｌａｔｉｄｅ  ａｃｅｔａｔｅ）、ルキソリチニブ、ＲＷＪ４４５３８０、ＲＸ１０００１、Ｒｙｃｌｏｓｅｒ  ＭＲ、Ｒｙｄｏｌ、Ｓ１Ｐ受容体作動薬、Ｓ１Ｐ受容体調節剤、Ｓ１Ｐ１作動薬、Ｓ１Ｐ１受容体作動薬、Ｓ２４７４、Ｓ３０１３、ＳＡ２３７、ＳＡ６５４１、Ｓａａｚ、Ｓ−アデノシル−Ｌ−メチオニン−スルフェート−ｐ−トルエンスルホナート、Ｓａｌａ、Ｓａｌａｚｉｄｉｎ、Ｓａｌａｚｉｎｅ、Ｓａｌａｚｏｐｙｒｉｎ、Ｓａｌｃｏｎ、Ｓａｌｉｃａｍ、サルサレート、Ｓａｍｅｒｏｎ、ＳＡＮ３００、Ｓａｎａｖｅｎ、Ｓａｎｄｉｍｍｕｎ、Ｓａｎｄｏｇｌｏｂｕｌｉｎ、Ｓａｎｅｘｏｎ、ＳａｎｇＣｙａ、ＳＡＲ１５３１９１、ＳＡＲ３０２５０３、ＳＡＲ４７９７４６、Ｓａｒａｐｅｐ、サルグラモスチム、Ｓａｔｉｖｅｘ、Ｓａｖａｎｔａｃ、Ｓａｖｅ、Ｓａｘｉｚｏｎ、Ｓａｚｏ、ＳＢ１５７８、ＳＢ２１０３９６、ＳＢ２１７９６９、ＳＢ２４２２３５、ＳＢ２７３００５、ＳＢ２８１８３２、ＳＢ６８３６９８、ＳＢ７５１６８９、ＳＢＩ０８７、ＳＣ０８００３６、ＳＣ１２２６７、ＳＣ４０９、Ｓｃａｆｌａｍ、ＳＣＤケトプロフェン、ＳＣＩＯ３２３、ＳＣＩＯ４６９、ＳＤ−１５、ＳＤ２８１、ＳＤＰ０５１抗体、Ｓｄ−ｒｘＲＮＡ、セクキヌマブ、Ｓｅｄａｓｅ、Ｓｅｄｉｌａｘ、Ｓｅｆｄｅｎｅ、Ｓｅｉｚｙｍｅ、ＳＥＬ１１３、Ｓｅｌａｄｉｎ、Ｓｅｌｅｃｏｘ、セレクチンＰリガンド抗体、グルココルチコイド受容体作動薬、Ｓｅｌｅｃｔｏｆｅｎ、Ｓｅｌｅｋｔｉｎｅ、ＳｅｌＫ１抗体、Ｓｅｌｏｘｘ、Ｓｅｌｓｐｏｔ、Ｓｅｌｚｅｎ、Ｓｅｌｚｅｎｔａ、Ｓｅｌｚｅｎｔｒｙ、セマピモド、塩酸セマピモド、セミパラチド（ｓｅｍｐａｒａｔｉｄｅ）、Ｓｅｍｐａｒａｔｉｄｅ、Ｓｅｎａｆｅｎ、Ｓｅｎｄｉｐｅｎ、Ｓｅｎｔｅｒｌｉｃ、ＳＥＰ１１９２４９、Ｓｅｐｄａｓｅ、Ｓｅｐｔｉｒｏｓｅ、Ｓｅｒａｃｔｉｌ、Ｓｅｒａｆｅｎ−Ｐ、Ｓｅｒａｓｅ、Ｓｅｒａｔｉｄ  Ｄ、Ｓｅｒａｔｉｏｐｅｐｔｉｄａｓｅ、Ｓｅｒａｔｏ−Ｍ、Ｓｅｒａｔｏｍａ  Ｆｏｒｔｅ、Ｓｅｒａｚｙｍｅ、Ｓｅｒｅｚｏｎ、Ｓｅｒｏ、Ｓｅｒｏｄａｓｅ、Ｓｅｒｐｉｃａｍ、Ｓｅｒｒａ、セラペプターゼ、Ｓｅｒｒａｔｉｎ、Ｓｅｒｒａｔｉｏｐｅｐｔｉｄａｓｅ、Ｓｅｒｒａｚｙｍｅ、Ｓｅｒｖｉｓｏｎｅ、Ｓｅｖｅｎ  Ｅ  Ｐ、ＳＧＩ１２５２、ＳＧＮ３０、ＳＧＮ７０、ＳＧＸ２０３、サメ軟骨抽出物、Ｓｈｅｒｉｌ、Ｓｈｉｅｌｄ、Ｓｈｉｆａｚｅｎ、Ｓｈｉｆａｚｅｎ−Ｆｏｒｔ、Ｓｈｉｎｃｏｒｔ、Ｓｈｉｎｃｏｒｔ、Ｓｈｉｏｓｏｌ、ＳｈＫ１８６、Ｓｈｕａｎｇｈｕａｎｇｘｉａｏｙａｎ、ＳＩ６１５、ＳＩ６３６、Ｓｉｇｍａｓｐｏｒｉｎ、Ｓｉｇｍａｓｐｏｒｉｎ、ＳＩＭ９１６、Ｓｉｍｐｏｎｅ、Ｓｉｍｕｌｅｃｔ、Ｓｉｎａｃｏｒｔ、Ｓｉｎａｌｇｉａ、Ｓｉｎａｐｏｌ、Ｓｉｎａｔｒｏｌ、Ｓｉｎｓｉａ、シポニモド（ｓｉｐｏｎｉｍｏｄ）、Ｓｉｒｏｌｉｍ、シロリムス、Ｓｉｒｏｐａｎ、Ｓｉｒｏｔａ、Ｓｉｒｏｖａ、シルクマブ、Ｓｉｓｔａｌ  Ｆｏｒｔｅ、ＳＫＦ１０５６８５、ＳＫＦ１０５８０９、ＳＫＦ１０６６１５、ＳＫＦ８６００２、Ｓｋｉｎａｌａｒ、Ｓｋｙｎｉｍ、Ｓｋｙｔｒｉｐ、ＳＬＡＭファミリーメンバー７抗体、Ｓｌｏ−ｉｎｄｏ、ＳＭ１０１、ＳＭ２０１抗体、ＳＭ４０１、ＳＭＡＤファミリーメンバー７オリゴヌクレオチド、スマート  抗ＩＬ−１２  抗体、ＳＭＰ１１４、ＳＮＯ０３０９０８、ＳＮＯ０７０１３１、金チオリンゴ酸ナトリウム、コンドロイチン硫酸ナトリウム、ナトリウムデオキシリボヌクレオチド、ナトリウムグアレネート、ナトリウムナプロキセン、サリチル酸ナトリウム、Ｓｏｄｉｘｅｎ、Ｓｏｆｅｏ、Ｓｏｌｅｔｏｎ、Ｓｏｌｈｉｄｒｏｌ、Ｓｏｌｉｃａｍ、Ｓｏｌｉｋｙ、Ｓｏｌｉｒｉｓ、Ｓｏｌ−Ｍｅｌｃｏｒｔ、Ｓｏｌｏｍｅｔ、Ｓｏｌｏｎｄｏ、Ｓｏｌｏｎｅ、Ｓｏｌｕ−Ｃｏｒｔ、Ｓｏｌｕ−Ｃｏｒｔｅｆ、Ｓｏｌｕ−Ｄｅｃｏｒｔｉｎ  Ｈ、Ｓｏｌｕｆｅｎ、Ｓｏｌｕ−Ｋｅｔ、Ｓｏｌｕｍａｒｋ、Ｓｏｌｕ−Ｍｅｄｒｏｌ、Ｓｏｌｕｐｒｅｄ、Ｓｏｍａｌｇｅｎ、ソマトロピン、Ｓｏｎａｐ、Ｓｏｎｅ、ソネプシズマブ、Ｓｏｎｅｘａ、Ｓｏｎｉｍ、Ｓｏｎｉｍ  Ｐ、Ｓｏｏｎｉｌ、Ｓｏｒａｌ、Ｓｏｒｅｎｉｌ、酢酸ソトラスタウリン、ＳＰ−１０、ＳＰ６００１２５、Ｓｐａｎｉｄｉｎ、ＳＰ−Ｃｏｒｔｉｌ、ＳＰＤ５５０、Ｓｐｅｄａｃｅ、精子接着分子１、Ｓｐｉｃｔｏｌ、脾臓チロシンキナーゼオリゴヌクレオチド、Ｓｐｏｒｉｎ、Ｓ−ｐｒｉｎ、ＳＰＷＦ１５０１、ＳＱ６４１、ＳＱ９２２、ＳＲ３１８Ｂ、ＳＲ９０２５、ＳＲＴ２１０４、ＳＳＲ１５０１０６、ＳＳＲ１８０５７５、ＳＳＳ０７抗体、ＳＴ１９５９、ＳＴＡ５３２６、スタビリン１抗体、Ｓｔａｃｏｒｔ、Ｓｔａｌｏｇｅｓｉｃ、スタノゾロール、Ｓｔａｒｅｎ、Ｓｔａｒｍｅｌｏｘ、Ｓｔｅｄｅｘ  ＩＮＤ−ＳＷＩＦＴ、Ｓｔｅｌａｒａ、Ｓｔｅｍｉｎ、Ｓｔｅｎｉｒｏｌ、Ｓｔｅｒａｐｒｅｄ、Ｓｔｅｒｉｄｅｒｍ  Ｓ、Ｓｔｅｒｉｏ、Ｓｔｅｒｉｓｏｎｅ、Ｓｔｅｒｏｎ、スティコダクチラ・ヘリアンサス（ｓｔｉｃｈｏｄａｃｔｙｌａ  ｈｅｌｉａｎｔｈｕｓ）ペプチド、Ｓｔｉｃｋｚｅｎｏｌ  Ａ、Ｓｔｉｅｆｃｏｒｔｉｌ、Ｓｔｉｍｕｌａｎ、ＳＴＮＭ０１、ストア作動性カルシウムチャネル（ＳＯＣＣ）調節剤、ＳＴＰ４３２、ＳＴＰ９００、Ｓｔｒａｔａｓｉｎ、Ｓｔｒｉｄｉｍｍｕｎｅ、Ｓｔｒｉｇｒａｆ、ＳＵ  Ｍｅｄｒｏｌ、Ｓｕｂｒｅｕｍ、Ｓｕｂｕｔｏｎ、Ｓｕｃｃｉｃｏｒｔ、Ｓｕｃｃｉｍｅｄ、Ｓｕｌａｎ、Ｓｕｌｃｏｌｏｎ、Ｓｕｌｆａｓａｌａｚｉｎ  Ｈｅｙｌ、Ｓｕｌｆａｓａｌａｚｉｎ、スルファサラジン、Ｓｕｌｆｏｖｉｔ、Ｓｕｌｉｄａｃ、Ｓｕｌｉｄｅ、スリンダク、Ｓｕｌｉｎｄｅｘ、Ｓｕｌｉｎｔｏｎ、Ｓｕｌｐｈａｆｉｎｅ、Ｓｕｍｉｌｕ、ＳＵＮ５９７、Ｓｕｐｒａｆｅｎ、Ｓｕｐｒｅｔｉｃ、Ｓｕｐｓｉｄｉｎｅ、Ｓｕｒｇａｍ、Ｓｕｒｇａｍｉｎｅ、Ｓｕｒｕｇａｍｕ、Ｓｕｓｐｅｎ、Ｓｕｔｏｎ、Ｓｕｖｅｎｙｌ、Ｓｕｗｅｉ、ＳＷ  Ｄｅｘａｓｏｎｅ、Ｓｙｋファミリーキナーゼ阻害剤、Ｓｙｎ１００２、Ｓｙｎａｃｒａｎ、Ｓｙｎａｃｔｈｅｎ、Ｓｙｎａｌａｒ  Ｃ、Ｓｙｎａｌａｒ、Ｓｙｎａｖｉｖｅ、Ｓｙｎｅｒｃｏｒｔ、Ｓｙｐｒｅｓｔａ、Ｔ細胞サイトカイン誘発表面分子抗体、Ｔ細胞受容体抗体、Ｔ５２２４、Ｔ５２２６、ＴＡ１０１、ＴＡ１１２、ＴＡ３８３、ＴＡ５４９３、タバルマブ、Ｔａｃｅｄｉｎ、Ｔａｃｇｒａｆ、ＴＡＣＩＦｃ５、
Ｔａｃｒｏｂｅｌｌ、Ｔａｃｒｏｇｒａｆ、Ｔａｃｒｏｌ、タクロリムス、Ｔａｄｅｋｉｎｉｇａｌｐｈａ、Ｔａｄｏｌａｋ、ＴＡＦＡ９３、Ｔａｆｉｒｏｌ  Ａｒｔｒｏ、Ｔａｉｚｅｎ、ＴＡＫ６０３、ＴＡＫ７１５、ＴＡＫ７８３、Ｔａｋｆａ、Ｔａｋｓｔａ、タラロゾール、Ｔａｌｆｉｎ、Ｔａｌｍａｉｎ、タルマピモド、Ｔａｌｍｅａ、Ｔａｌｎｉｆ、タルニフルマート、Ｔａｌｏｓ、Ｔａｌｐａｉｎ、Ｔａｌｕｍａｔ、Ｔａｍａｌｇｅｎ、Ｔａｍｃｅｔｏｎ、Ｔａｍｅｚｏｎ、Ｔａｎｄｒｉｌａｘ、タンニン、Ｔａｎｎｏｓｙｎｔ、Ｔａｎｔｕｍ、タンジセルチブ、Ｔａｐａｉｎ−ベータ、Ｔａｐｏｅｉｎ、Ｔａｒｅｎａｃ、タレンフルビル、Ｔａｒｉｍｕｓ、Ｔａｒｐｒｏｘｅｎ、Ｔａｕｘｉｂ、Ｔａｚｏｍｕｓｔ、ＴＢＲ６５２、ＴＣ５６１９、Ｔ細胞、免疫調節因子１、ＡＴＰａｓｅ、Ｈ＋輸送性、リソソームＶ０サブユニットＡ３抗体、ＴＣＫ１、Ｔ−ｃｏｒｔ、Ｔ−Ｄｅｘａ、Ｔｅｃｅｌａｃ、Ｔｅｃｏｎ、テデュグルチド、Ｔｅｅｃｏｒｔ、Ｔｅｇｅｌｉｎｅ、Ｔｅｍｅｎｔｉｌ、デモポルフィン、Ｔｅｎｃａｍ、Ｔｅｎｄｒｏｎｅ、Ｔｅｎｅｆｕｓｅ、Ｔｅｎｆｌｙ、テニダップナトリウム、Ｔｅｎｏｃａｍ、Ｔｅｎｏｆｌｅｘ、Ｔｅｎｏｋｓａｎ、Ｔｅｎｏｔｉｌ、テノキシカム、Ｔｅｎｏｘｉｍ、Ｔｅｐａｄｉｎａ、Ｔｅｒａｃｏｒｔ、Ｔｅｒａｄｏｌ、テトミラスト、ＴＧ００５４、ＴＧ１０６０、ＴＧ２０、ＴＧ２０、ｔｇＡＡＣ９４、Ｔｈ１／Ｔｈ２サイトカインシンターゼ阻害剤、Ｔｈ−１７細胞阻害剤、Ｔｈａｌｉｄｏ、サリドマイド、Ｔｈａｌｏｍｉｄ、Ｔｈｅｍｉｓｅｒａ、Ｔｈｅｎｉｌ、Ｔｈｅｒａｆｅｃｔｉｎ、Ｔｈｅｒａｐｙａｃｅ、チアラビン（ｔｈｉａｒａｂｉｎｅ）、Ｔｈｉａｚｏｌｏｐｙｒｉｍｉｄｉｎｅ、チオクト酸、チオテパ、ＴＨＲ０９０７１７、ＴＨＲ０９２１、Ｔｈｒｅｅｎｏｆｅｎ、Ｔｈｒｏｍｂａｔｅ  ＩＩＩ、胸腺ペプチド、Ｔｈｙｍｏｄｅｐｒｅｓｓｉｎ、Ｔｈｙｍｏｇａｍ、Ｔｈｙｍｏｇｌｏｂｕｌｉｎ、Ｔｈｙｍｏｇｌｏｂｕｌｉｎｅ、Ｔｈｙｍｏｊｅｃｔ胸腺ペプチド、チモモジュリン、チモペンチン、チモポリペプチド、チアプロフェン酸、ヨウ化チベゾニウム、Ｔｉｃｏｆｌｅｘ、チルマコキシブ、Ｔｉｌｕｒ、Ｔ−ｉｍｍｕｎｅ、Ｔｉｍｏｃｏｎ、Ｔｉｏｒａｓｅ、Ｔｉｓｓｏｐ、ＴＫＢ６６２、ＴＬ０１１、ＴＬＲ４拮抗薬、ＴＬＲ８阻害剤、ＴＭ１２０、ＴＭ４００、ＴＭＸ３０２、ＴＮＦアルファ阻害剤、ＴＮＦアルファ−ＴＮＦ受容体拮抗薬、ＴＮＦ抗体、ＴＮＦ受容体スーパーファミリー拮抗薬、ＴＮＦ  ＴＷＥＡＫ  Ｂｉ−Ｓｐｅｃｉｆｉｃ、ＴＮＦ−キノイド、ＴＮＦＱｂ、ＴＮＦＲ１拮抗薬、ＴＮＲ００１、ＴＮＸ１００、ＴＮＸ２２４、ＴＮＸ３３６、ＴＮＸ５５８、トシリズマブ、トファシチニブ、Ｔｏｋｕｈｏｎ  ｈａｐｐ、ＴＯＬ１０１、ＴＯＬ１０２、Ｔｏｌｅｃｔｉｎ、ＴｏｌｅｒｉＭａｂ、Ｔｏｌｅｒｏｓｔｅｍ、Ｔｏｌｉｎｄｏｌ、トール様受容体４抗体、トール様受容体抗体、トルメチンナトリウム、Ｔｏｎｇｋｅｅｐｅｒ、Ｔｏｎｍｅｘ、Ｔｏｐｆｌａｍｅ、Ｔｏｐｉｃｏｒｔ、Ｔｏｐｌｅｕｃｏｎ、Ｔｏｐｎａｃ、Ｔｏｐｐｉｎ  Ｉｃｈｔｈａｍｍｏｌ、トラリズマブ、Ｔｏｒａｒｅｎ、Ｔｏｒｃｏｘｉａ、Ｔｏｒｏｘｘ、Ｔｏｒｙ、Ｔｏｓｅｌａｃ、Ｔｏｔａｒｙｌ、Ｔｏｕｃｈ−ｍｅｄ、Ｔｏｕｃｈｒｏｎ、Ｔｏｖｏｋ、Ｔｏｘｉｃ  ａｐｉｓ、Ｔｏｙｏｌｙｚｏｍ、ＴＰ４１７９、ＴＰＣＡ１、ＴＰＩ５２６、ＴＲ１４０３５、Ｔｒａｄｉｌ  Ｆｏｒｔ、Ｔｒａｆｉｃｅｔ−ＥＮ、Ｔｒａｍａｃｅ、トラマドール塩酸塩、トラニラスト、Ｔｒａｎｓｉｍｕｎｅ、Ｔｒａｎｓｐｏｒｉｎａ、Ｔｒａｔｕｌ、Ｔｒｅｘａｌｌ、Ｔｒｉａｃｏｒｔ、Ｔｒｉａｋｏｒｔ、Ｔｒｉａｌｏｎ、Ｔｒｉａｍ、トリアムシノロン、酢酸トリアムシノロン、トリアムシノロンアセトニド、酢酸トリアムシノロンアセトニド、トリアムシノロンヘキサアセトニド、Ｔｒｉａｍｃｏｒｔ、Ｔｒｉａｍｓｉｃｏｒｔ、Ｔｒｉａｎｅｘ、Ｔｒｉｃｉｎ、Ｔｒｉｃｏｒｔ、Ｔｒｉｃｏｒｔｏｎｅ、ＴｒｉｃＯｓ  Ｔ、Ｔｒｉｄｅｒｍ、Ｔｒｉｌａｃ、Ｔｒｉｌｉｓａｔｅ、Ｔｒｉｎｏｃｏｒｔ、Ｔｒｉｎｏｌｏｎｅ、Ｔｒｉｏｌｅｘ、トリプトライド、Ｔｒｉｓｆｅｎ、Ｔｒｉｖａｒｉｓ、ＴＲＫ１７０、ＴＲＫ５３０、Ｔｒｏｃａｄｅ、サリチル酸トロールアミン、Ｔｒｏｌｏｖｏｌ、Ｔｒｏｓｅｒａ、Ｔｒｏｓｅｒａ  Ｄ、Ｔｒｏｙｃｏｒｔ、ＴＲＸ１抗体、ＴＲＸ４、Ｔｒｙｍｏｔｏ、Ｔｒｙｍｏｔｏ−Ａ、ＴＴ３０１、ＴＴ３０２、ＴＴ３２、ＴＴ３２、ＴＴ３３、ＴＴＩ３１４、腫瘍壊死因子、腫瘍壊死因子２−メトキシエチルホスホロチオエートオリゴヌクレオチド、腫瘍壊死因子抗体、腫瘍壊死因子キノイド、腫瘍壊死因子オリゴヌクレオチド、腫瘍壊死因子受容体スーパーファミリーメンバー１Ｂ抗体、腫瘍壊死因子受容体スーパーファミリー１Ｂオリゴヌクレオチド、腫瘍壊死因子スーパーファミリーメンバー１２抗体、腫瘍壊死因子スーパーファミリーメンバー４抗体、腫瘍タンパク質ｐ５３オリゴヌクレオチド、腫瘍壊死因子アルファ抗体、ＴｕＮＥＸ、ＴＸＡ１２７、ＴＸ−ＲＡＤ、ＴＹＫ２阻害剤、Ｔｙｓａｂｒｉ、ユビデカレノン、Ｕｃｅｒａｓｅ、ウロデシン、Ｕｌｔｉｆｌａｍ、Ｕｌｔｒａｆａｓｔｉｎ、Ｕｌｔｒａｆｅｎ、Ｕｌｔｒａｌａｎ、Ｕ−Ｎｉｃｅ−Ｂ、Ｕｎｉｐｌｕｓ、Ｕｎｉｔｒｅｘａｔｅ、Ｕｎｉｚｅｎ、Ｕｐｈａｘｉｃａｍ、ＵＲ１３８７０、ＵＲ５２６９、ＵＲ６７７６７、Ｕｒｅｍｏｌ−ＨＣ、Ｕｒｉｇｏｎ、Ｕ−Ｒｉｔｉｓ、ウステキヌマブ、Ｖ８５５４６、Ｖａｌｃｉｂ、Ｖａｌｃｏｘ、バルデコキシブ、Ｖａｌｄｅｚ、Ｖａｌｄｉｘｘ、Ｖａｌｄｙ、Ｖａｌｅｎｔａｃ、Ｖａｌｏｘｉｂ、Ｖａｌｔｕｎｅ、Ｖａｌｕｓ  ＡＴ、Ｖａｌｚ、Ｖａｌｚｅｒ、Ｖａｍｉｄ、Ｖａｎｔａｌ、Ｖａｎｔｅｌｉｎ、ＶＡＰ−１  ＳＳＡＯ阻害剤、バパリキシマブ、バレスプラジブメチル、Ｖａｒｉｃｏｓｉｎ、Ｖａｒｉｄａｓｅ、血管接着タンパク質−１抗体、ＶＢ１１０、ＶＢ１２０、ＶＢ２０１、ＶＢＹ２８５、Ｖｅｃｔｒａ−Ｐ、ベドリズマブ、Ｖｅｆｒｅｎ、ＶＥＧＦＲ−１抗体、Ｖｅｌｄｏｎａ、ベルツズマブ、Ｖｅｎｄｅｘｉｎｅ、Ｖｅｎｉｍｍｕｎ  Ｎ、Ｖｅｎｏｆｏｒｔｅ、Ｖｅｎｏｇｌｏｂｕｌｉｎ−ＩＨ、Ｖｅｎｏｚｅｌ、Ｖｅｒａｌ、Ｖｅｒａｘ、バーサーノン、Ｖｅｒｏ−Ｄｅｘａｍｅｔｈａｓｏｎｅ、Ｖｅｒｏ−Ｋｌａｄｒｉｂｉｎ、Ｖｅｔａｚｏｎｅ、ＶＧＸ１０２７、ＶＧＸ７���０、Ｖｉｂｅｘ  ＭＴＸ、ｖｉｄｏｆｌｕｄｉｍｕｓ（ビドフルジムス）、Ｖｉｆｅｎａｃ、Ｖｉｍｏｖｏ、Ｖｉｍｕｌｔｉｓａ、Ｖｉｎｃｏｒｔ、Ｖｉｎｇｒａｆ、Ｖｉｏｆｏｒｍ−ＨＣ、Ｖｉｏｘｌ、Ｖｉｏｘｘ、Ｖｉｒｏｂｒｏｎ、ビジリズマブ、Ｖｉｖａｇｌｏｂｉｎ、Ｖｉｖａｌｄｅ  Ｐｌｕｓ、Ｖｉｖｉａｎ−Ａ、ＶＬＳＴ００２、ＶＬＳＴ００３、ＶＬＳＴ００４、ＶＬＳＴ００５、ＶＬＳＴ００７、Ｖｏａｌｌａ、ボクロスポリン、Ｖｏｋａｍ、Ｖｏｋｍｏｒ、Ｖｏｌｍａｘ、Ｖｏｌｎａ−Ｋ、Ｖｏｌｔａｄｏｌ、Ｖｏｌｔａｇｅｓｉｃ、Ｖｏｌｔａｎａｓｅ、Ｖｏｌｔａｎｅｃ、Ｖｏｌｔａｒｅｎ、Ｖｏｌｔａｒｉｌｅ、Ｖｏｌｔｉｃ、Ｖｏｒｅｎ、ボルセツズマブ、Ｖｏｔａｎ−ＳＲ、ＶＲ９０９、ＶＲＡ００２、ＶＲＰ１００８、ＶＲＳ８２６、ＶＲＳ８２６、ＶＴ１１１、ＶＴ２１４、ＶＴ２２４、ＶＴ３１０、ＶＴ３４６、ＶＴ３６２、ＶＴＸ７６３、Ｖｕｒｄｏｎ、ＶＸ３０抗体、ＶＸ４６７、ＶＸ５、ＶＸ５０９、ＶＸ７０２、ＶＸ７４０、ＶＸ７４５、ＶＸ７４５、ＶＸ８５０、Ｗ５４０１１、Ｗａｌａｃｏｒｔ、Ｗａｌｉｘ、ＷＣ３０２７、Ｗｉｌｇｒａｆ、Ｗｉｎｆｌａｍ、Ｗｉｎｍｏｌ、Ｗｉｎｐｒｅｄ、Ｗｉｎｓｏｌｖｅ、Ｗｉｎｔｏｇｅｎｏ、ＷＩＰ９０１、Ｗｏｎｃｏｘ、ＷＳＢ７１１抗体、ＷＳＢ７１２抗体、ＷＳＢ７３５、ＷＳＢ９６１、Ｘ０７１ＮＡＢ、Ｘ０８３ＮＡＢ、Ｘａｎｔｏｍｉｃｉｎ  Ｆｏｒｔｅ、Ｘｅｄｅｎｏｌ、Ｘｅｆｏ、Ｘｅｆｏｃａｍ、Ｘｅｎａｒ、Ｘｅｐｏｌ、Ｘ−Ｆｌａｍ、Ｘｉｂｒａ、Ｘｉｃａｍ、Ｘｉｃｏｔｉｌ、Ｘｉｆａｘａｎ、ＸＬ４９９、ＸｍＡｂ５４８３、ＸｍＡｂ５４８５、ＸｍＡｂ５５７４、ＸｍＡｂ５８７１、ＸＯＭＡ０５２、Ｘｐｒｅｓｓ、ＸＰｒｏ１５９５、ＸｔｅｎｄＴＮＦ、ＸＴｏｌｌ、Ｘｔｒａ、Ｘｙｌｅｘ−Ｈ、Ｘｙｎｏｆｅｎ  ＳＲ、Ｙａｎｇ  Ｓｈｕ−ＩＶＩＧ、ＹＨＢ１４１１２、ＹＭ９７４、Ｙｏｕｆｅｌｉｎｅ、Ｙｏｕｆｅｎａｃ、Ｙｕｍａ、Ｙｕｍｅｒｏｌ、Ｙｕｒｏｂｅｎ、ＹＹ  ｐｉｒｏｘｉｃａｍ、Ｚ１０４６５７Ａ、Ｚａｃｙ、Ｚａｌｔｏｋｉｎ、ｚａｌｔｏｐｒｏｆｅｎ、Ｚａｐ７０阻害剤、Ｚｅｅｐａｉｎ、Ｚｅｌｏｘｉｍ  Ｆｏｒｔ、Ｚｅｍａ−Ｐａｋ、Ｚｅｍｐａｃｋ、Ｚｅｍｐｒｅｄ、Ｚｅｎａｐａｘ、Ｚｅｎａｓ、Ｚｅｎｏｌ、Ｚｅｎｏｓ、Ｚｅｎｏｘｏｎｅ、Ｚｅｒａｘ、Ｚｅｒｏｃａｍ、Ｚｅｒｏｓｐａｓｍ、ＺＦＮ、酸化亜鉛、Ｚｉｐｓｏｒ、ジラリムマブ（ｚｉｒａｌｉｍｕｍａｂ）、Ｚｉｔｉｓ、Ｚｉｘ−Ｓ、Ｚｏｃｏｒｔ、Ｚｏｄｉｘａｍ、Ｚｏｆｔａｄｅｘ、ゾレドロン酸、Ｚｏｌｆｉｎ、Ｚｏｌｔｅｒｏｌ、Ｚｏｐｙｒｉｎ、Ｚｏｒａｌｏｎｅ、ＺＯＲｐｒｉｎ、Ｚｏｒｔｒｅｓｓ、ＺＰ１８４８、ｚｕｃａｐｓａｉｃｉｎ、Ｚｕｎｏｖａｔｅ、両性イオン多糖類、ＺＹ１４００、Ｚｙｂｏｄｉｅｓ、Ｚｙｃｅｌ、Ｚｙｒｏｆｅｎ、Ｚｙｒｏｇｅｎ阻害剤、Ｚｙｓｅｒ、Ｚｙｔｒｉｍ、ならびにＺｙｗｉｎ−Ｆｏｒｔｅが挙げられる（但しこれらに限定されない）。それに加えて、上記に列挙された通り抗炎症薬が、本明細書に列挙される１つ以上の薬剤と、または当該技術分野において既知である他の薬剤と組み合わせられてもよい。
【０１１０】
一実施形態では、例えば、上記に提供される薬物のうちの１つなどの炎症を低減、阻害、予防、及び／または改善する薬物は、本明細書に開示されるマイクロ針デバイス及び方法を使用して眼の脈絡膜上腔に送達され、関節炎、変性性関節炎、乾癬性関節炎、関節障害、関節痛、関節症、自己免疫性関節炎、自己免疫疾患、自己免疫障害、軸性脊椎関節炎、慢性人工関節感染症、コラーゲン関節炎、変形性関節炎、リウマチ性関節炎、老人性関節炎、膝の血清反応陰性少関節炎、アレルギー性及び自己免疫性炎症性疾患、炎症性疾患、炎症性障害、コラーゲン疾患、円板状紅斑性狼瘡、免疫不全、免疫疾患、免疫障害、免疫不全疾患、免疫不全障害、免疫グロブリン（ＩｇＧ２）不全、免疫グロブリン不全、炎症、ランバート・イートン筋無力症候群、多発性筋炎、皮膚筋炎、多発性神経炎、術後眼炎症、多発性軟骨炎、孤発性封入体筋炎、全身性紅斑性狼瘡、Ｔ細胞欠損、ＴＮＦ受容体関連周期性症候群、熱帯性痙性不全対麻痺、ウェゲナー肉芽腫症、Ｘ連鎖重症複合免疫不全疾患、ベーチェット病、クローン病、クローン病瘻孔、皮膚紅斑性狼瘡、急性炎症、急性炎症性浮腫、副腎皮質不全、脳炎症、慢性肺炎症、コルチコイド応答性炎症性皮膚障害、皮膚炎症、真皮炎症、乾燥皮膚炎症性疾患、耳浮腫、耳炎症、舌炎、炎症性腸疾患、炎症性変性疾患、眼及び／または耳の炎症性障害、真菌感染症における炎症性病変、炎症性病変、炎症性疼痛、炎症性皮膚疾患または障害、口及び歯茎の炎症、口及び喉の炎症、筋骨格障害、耳炎、骨盤炎症性疾患、肛門周囲炎症、術後炎症、肺炎症、直腸炎症、難治性突発性炎症性筋疾患、脂漏性皮膚炎、腫脹、アフタ性潰瘍、慢性多発性関節炎、若年性リウマチ性関節炎、リウマチ性疾患、シェーグレン症候群、シェーグレン症候群に関するオプサルミック（ｏｐｔｈａｌｍｉｃ）、移植片拒絶、急性同種移植片拒絶、慢性移植片拒絶、移植片対宿主疾患、心臓移植における体液性拒絶、腎臓移植における体液性拒絶、腎臓移植における臓器拒絶、固体臓器移植片拒絶、肺移植後の閉塞性細気管支炎、骨髄移植片の拒絶、慢性肺移植片拒絶、角膜移植片拒絶、腎臓移植における遅延移植機能、心臓移植片拒絶、同種移植拒絶、ｈＥＳＣ由来治療移植片の免疫拒絶、腎臓移植片拒絶、肝臓移植片拒絶、肺移植片拒絶、臓器拒絶、Ｉ型糖尿病における膵島移植拒絶、腎臓移植片拒絶、ならびに異種移植片拒絶から選択される疾患または障害を治療、予防、及び／または改善するために使用される。
【０１１１】
一実施形態では、本明細書に開示されるマイクロ針デバイス及び方法を使用して脈絡膜上腔に送達される薬物は、黄斑変性症（例えば、加齢性黄斑変性症、萎縮型加齢性黄斑変性症、滲出性加齢性黄斑変性症、加齢性黄斑変性症に関連付けられる地図状萎縮、新生血管（滲出型）加齢性黄斑変性症、新生血管黄斑症及び加齢性黄斑変性症、加齢性黄斑変性症における典型的ではない潜在型（ｏｃｃｕｌｔ  ｗｉｔｈ  ｎｏ  ｃｌａｓｓｉｃ）脈絡膜血管新生（ＣＮＶ）、スタルガルト病、中心窩下滲出型加齢性黄斑変性症、ならびに新生血管加齢性黄斑変性症に関連付けられる硝子体黄斑癒着（ＶＭＡ））を治療、予防、及び／または改善する。本明細書に説明されるデバイス及び方法と共に使用され得る黄斑変性症を治療、予防、及び／または改善する薬物の例としては、限定されるものではないが、Ａ０００３、Ａ３６ペプチド、ＡＡＶ２−ｓＦＬＴ０１、ＡＣＥ０４１、ＡＣＵ０２、ＡＣＵ３２２３、ＡＣＵ４４２９、ＡｄＰＥＤＦ、アフリバーセプト、ＡＧ１３９５８、アガニルセン（ａｇａｎｉｒｓｅｎ）、ＡＧＮ１５０９９８、ＡＧＮ７４５、ＡＬ３９３２４、ＡＬ７８８９８Ａ、ＡＬ８３０９Ｂ、ＡＬＮ−ＶＥＧ０１、アルプロスタジル、ＡＭ１１０１、アミロイドベータ抗体、酢酸アネコルタブ、抗ＶＥＧＦＲ−２Ａｌｔｅｒａｓｅ、Ａｐｔｏｃｉｎｅ、ＡＰＸ００３、ＡＲＣ１９０５、Ｌｕｃｅｎｔｉｓを伴うＡＲＣ１９０５、ＡＴＧ３、ＡＴＰ結合カセット、サブファミリーＡメンバー４遺伝子、ＡＴＸＳ１０、Ｖｉｓｕｄｙｎｅを伴うＡｖａｓｔｉｎ、ＡＶＴ１０１、ＡＶＴ２、ベルチリムマブ、ベルテポルフィンを伴うベバシズマブ、ベバシラニブナトリウム、ラニビズマブを伴うベバシラニブナトリウム、ブリモニジン酒石酸塩、ＢＶＡ３０１、カナキヌマブ、Ｃａｎｄ５、Ｌｕｃｅｎｔｉｓを伴うＣａｎｄ５、ＣＥＲＥ１４０、繊毛様神経栄養因子、ＣＬＴ００９、ＣＮＴＯ２４７６、コラーゲンモノクローナル抗体、補体成分５アプタマー（ペグ化）、ラニビズマブを伴う補体成分５アプタマー（ペグ化）、補体成分Ｃ３、補体因子Ｂ抗体、補体因子Ｄ抗体、ルテインを伴う酸化銅、ビタミンＣ、ビタミンＥ、及び酸化亜鉛、ダランテルセプト、ＤＥ１０９、ラニビズマブ及びベルテポルフィンを伴うデキサメタゾン、ジシターチド、ＤＮＡ損傷誘発性転写物４オリゴヌクレオチド、Ｅ１００３０、Ｌｕｃｅｎｔｉｓを伴うＥ１００３０、ＥＣ４００、エクリズマブ、ＥＧＰ、ＥＨＴ２０４、胚幹細胞、ヒト幹細胞、エンドグリンモノクローナル抗体、ＥｐｈＢ４  ＲＴＫ阻害剤、ＥｐｈＢ４可溶性受容体、ＥＳＢＡ１００８、ＥＴＸ６９９１、Ｅｖｉｚｏｎ、Ｅｙｅｂａｒ、ＥｙｅＰｒｏｍｉｓｅ  Ｆｉｖｅ、Ｅｙｅｖｉ、Ｅｙｌｅａ、Ｆ２００、ＦＣＦＤ４５１４Ｓ、フェンレチニド、フルオシノロンアセトニド、ラニビズマブを伴うフルオシノロンアセトニド、ｆｍｓ関連チロシンキナーゼ１オリゴヌクレオチド、キナーゼ挿入ドメイン受容体１６９を伴うｆｍｓ関連チロシンキナーゼ１オリゴヌクレオチド、フォスブレタブリントロメタミン、Ｇａｍｕｎｅｘ、ＧＥＭ２２０、ＧＳ１０１、ＧＳＫ９３３７７６、ＨＣ３１４９６、ヒトｎ−ＣｏＤｅＲ、ＨＹＢ６７６、Ｌｕｃｅｎｔｉｓを伴うＩ��Ｉ−２００８９、ｉＣｏ−００８、Ｉｃｏｎ１、Ｉ−Ｇｏｌｄ、Ｉｌａｒｉｓ、Ｉｌｕｖｉｅｎ、Ｌｕｃｅｎｔｉｓを伴うＩｌｕｖｉｅｎ、免疫グロブリン、インテグリンアルファ５ベータ１免疫グロブリン断片、インテグリン阻害剤、ＩＲＩＳ  Ｌｕｔｅｉｎ、Ｉ−Ｓｅｎｓｅ  Ｏｃｕｓｈｉｅｌｄ、Ｉｓｏｎｅｐ、イソプロピルウノプロストン、ＪＰＥ１３７５、ＪＳＭ６４２７、ＫＨ９０２、ＬｅｎｔｉＶｕｅ、ＬＦＧ３１６、ＬＰ５９０、ＬＰＯ１０１０ＡＭ、Ｌｕｃｅｎｔｉｓ、Ｖｉｓｕｄｙｎｅを伴うＬｕｃｅｎｔｉｓ、Ｌｕｔｅｉｎ  ｅｋｓｔｒａ、ビルベリー（ｍｙｒｔｉｌｌｕｓ）抽出物を伴うＬｕｔｅｉｎ、ゼアキサンチンを伴うＬｕｔｅｉｎ、Ｍ２００、Ｌｕｃｅｎｔｉｓを伴うＭ２００、Ｍａｃｕｇｅｎ、ＭＣ１１０１、ＭＣＴ３５５、メカミラミン、Ｍｉｃｒｏｐｌａｓｍｉｎ、モテキサフィンルテチウム、ＭＰ０１１２、ＮＡＤＰＨオキシダーゼ阻害剤、Ｎｅｏｒｅｔｎａ、神経栄養因子４遺伝子、Ｎｏｖａ２１０１２、Ｎｏｖａ２１０１３、ＮＴ５０１、ＮＴ５０３、Ｎｕｔｒｉ−Ｓｔｕｌｌｎ、オクリプラスミン、ＯｃｕＸａｎ、Ｏｆｔａｎ  Ｍａｃｕｌａ、Ｏｐｔｒｉｎ、Ａｖａｓｔｉｎを伴うＯＲＡ１０２、Ｐ１４４、Ｐ１７、Ｐａｌｏｍｉｄ５２９、ＰＡＮ９０８０６、Ｐａｎｚｅｍ、Ｐａｎｚｅｍ、ＰＡＲＰ阻害剤、パゾパニブ塩酸塩、ペガプタニブナトリウム、ＰＦ４５２３６５５、ＰＧ１１０４７、ピリベジル、血小板由来成長因子ベータポリペプチドアプタマー（ペグ化）、ラニビズマブを伴う血小板由来成長因子ベータポリペプチドアプタマー（ペグ化）、ＰＬＧ１０１、ＰＭＸ２０００５、ＰＭＸ５３、ＰＯＴ４、ＰＲＳ０５５、ＰＴＫ７８７、ラニビズマブ、トリアムシノロンアセトニドを伴うラニビズマブ、ベルテポルフィンを伴うラニビズマブ、ボロシキシマブを伴うラニビズマブ、ＲＤ２７、Ｒｅｓｃｕｌａ、Ｒｅｔａａｎｅ、網膜色素上皮細胞、ＲｅｔｉｎｏＳｔａｔ、ＲＧ７４１７、ＲＮ６Ｇ、ＲＴ１０１、ＲＴＵ００７、ＳＢ２６７２６８、セルピンペプチダーゼ阻害剤、クレードＦメンバー１遺伝子、サメ軟骨抽出物、Ｓｈｅｆ１、ＳＩＲ１０４６、ＳＩＲ１０７６、Ｓｉｒｎａ０２７、シロリムス、ＳＭＴＤ００４、Ｓｎｅｌｖｉｔ、ＳＯＤ  Ｍｉｍｅｔｉｃｓ、Ｓｏｌｉｒｉｓ、ソネプシズマブ、乳酸スクアラミン、ＳＴ６０２、ＳｔａｒＧｅｎ、Ｔ２ＴｒｐＲＳ、ＴＡ１０６、タラポルフィンナトリウム、タウロウルソデオキシコール酸、ＴＧ１００８０１、ＴＫＩ、ＴＬＣｘ９９、ＴＲＣ０９３、ＴＲＣ１０５、ベルテポルフィンを伴うトリアムシノロンアセトニド、Ｔｒｉｖａｓｔａｌ  Ｒｅｔａｒｄ、ＴＴ３０、Ｕｒｓａ、ウルソジオール、Ｖａｎｇｉｏｌｕｘ、ＶＡＲ１０２００、血管内皮成長因子抗体、血管内皮成長因子Ｂ、血管内皮成長因子キノイド、血管内皮成長因子オリゴヌクレオチド、ＶＡＳＴ化合物、バタラニブ、ＶＥＧＦ阻害剤、ベルテポルフィン、Ｖｉｓｕｄｙｎｅ、Ｌｕｃｅｎｔｉｓ及びデキサメタゾンを伴うＶｉｓｕｄｙｎｅ、トリアムシノロンアセトニドを伴うＶｉｓｕｄｙｎｅ、Ｖｉｖｉｓ、ボロシキシマブ、Ｖｏｔｒｉｅｎｔ、ＸＶ６１５、ゼアキサンチン、ＺＦＰ  ＴＦ、亜鉛−モノシステイン、ならびにＺｙｂｒｅｓｔａｔが挙げられる。一実施形態では、上記に説明される黄斑変性症治療薬のうちの１つ以上は、上記もしくは本明細書に列挙される１つ以上の薬剤と、または当該技術分野において既知である他の薬剤と組み合わせられる。
【０１１２】
一実施形態では、本明細書に提供される方法及びデバイスは、トリアムシノロンまたはトリアムシノロンアセトニドの送達を必要とする患者の眼の脈絡膜上腔に、それを送達するために使用される。更なる実施形態では、トリアムシノロンまたはトリアムシノロンアセトニドは、交感性眼炎、側頭動脈炎、ブドウ膜炎、及び／または眼炎症性病状の治療のために送達される。一実施形態では、トリアムシノロンまたはトリアムシノロンアセトニドは、本明細書に説明される方法及びデバイスを用いて、交感神経眼炎の治療を必要とする患者の眼の脈絡膜上腔に送達される。別の実施形態では、トリアムシノロンまたはトリアムシノロンアセトニドは、本明細書に説明される方法及びデバイスを用いて、側頭動脈炎の治療を必要とする患者の眼の脈絡膜上腔に送達される。また別の実施形態では、トリアムシノロンまたはトリアムシノロンアセトニドは、本明細書に説明される方法及びデバイスを用いて、ブドウ膜炎の治療を必要とする患者の眼の脈絡膜上腔に送達される。別の実施形態では、トリアムシノロンまたはトリアムシノロンアセトニドは、本明細書に説明される方法及びデバイスを用いて、１つ以上の眼炎症性病状の治療を必要とする患者の眼の脈絡膜上腔に送達される。
【０１１３】
本明細書に提供されるトリアムシノロン組成物は、一実施形態では、トリアムシノロンまたはトリアムシノロンアセトニドの微粒子またはナノ粒子を含む懸濁液である。微粒子は、一実施形態では、約３μｍ以下のＤ５０を有する。更なる実施形態では、Ｄ５０は、約２μｍである。別の実施形態では、Ｄ５０は、約２μｍ以下である。更に別の実施形態では、Ｄ５０は、約１０００ｎｍ以下である。微粒子は、一実施形態では、約１０μｍ以下のＤ９９を有する。別の実施形態では、Ｄ９９は、約１０μｍである。別の実施形態では、Ｄ９９は、約１０μｍ未満または約９μｍ未満またはそれ以下である。
【０１１４】
一実施形態では、トリアムシノロン組成物は、トリアムシノロン微粒子を含む。更なる実施形態では、組成物は、ポリソルベート８０を含む。別の実施形態では、トリアムシノロン組成物は、ＣａＣｌ２、ＭｇＣｌ２、酢酸ナトリウム、及びクエン酸ナトリウムのうちの１つ以上を含む。一実施形態では、組成物は、０．０２％または約０．０２％、０．０１５％または約０．０１５％の重量／体積％でポリソルベート８０を含む。
【０１１５】
特定の実施形態では、本明細書に開示されるマイクロ針デバイス及び方法を使用して眼組織に送達される薬物は、線維症（例えば、骨髄線維症、糖尿病性腎症における線維症、嚢胞性線維症、瘢痕、及び皮膚線維症）を治療、予防、及び／または改善する。
【０１１６】
一実施形態では、線維症を治療、予防、及び／または改善する薬物が、本明細書に説明されるデバイス及び方法と共に使用され、眼の脈絡膜上腔に送達される。更なる実施形態では、薬物は、ピルフェニドンを伴うＡｃｔｉｍｍｕｎｅ、ＡＣＵＨＴＲ０２８、アルファＶベータ５、アミノ安息香酸カリウム、アミロイドＰ、ＡＮＧ１１２２、ＡＮＧ１１７０、ＡＮＧ３０６２、ＡＮＧ３２８１、ＡＮＧ３２９８、ＡＮＧ４０１１、抗ＣＴＧＦ  ＲＮＡｉ、Ａｐｌｉｄｉｎ、サルビア及びチョウセンゴミシを伴うキバナオウギ抽出物、アテローム硬化性プラーク遮断薬、Ａｚｏｌ、ＡＺＸ１００、ＢＢ３、結合組織成長因子抗体、ＣＴ１４０、ダナゾール、Ｅｓｂｒｉｅｔ、ＥＸＣ００１、ＥＸＣ００２、ＥＸＣ００３、ＥＸＣ００４、ＥＸＣ００５、Ｆ６４７、ＦＧ３０１９、Ｆｉｂｒｏｃｏｒｉｎ、Ｆｏｌｌｉｓｔａｔｉｎ、ＦＴ０１１、Ｇａｌｅｃｔｉｎ−３阻害剤、ＧＫＴ１３７８３１、ＧＭＣＴ０１、ＧＭＣＴ０２、ＧＲＭＤ０１、ＧＲＭＤ０２、ＧＲＮ５１０、Ｈｅｂｅｒｏｎ  Ａｌｆａ  Ｒ、インターフェロンアルファ−２ｂ、ピルフェニドンを伴うインターフェロンガンマ−１ｂ、ＩＴＭＮ５２０、ＪＫＢ１１９、ＪＫＢ１２１、ＪＫＢ１２２、ＫＲＸ１６８、ＬＰＡ１受容体拮抗薬、ＭＧＮ４２２０、ＭＩＡ２、ミクロＲＮＡ２９ａオリゴヌクレオチド、ＭＭＩ０１００、ノスカピン、ＰＢＩ４０５０、ＰＢＩ４４１９、ＰＤＧＦＲ阻害剤、ＰＦ−０６４７３８７１、ＰＧＮ００５２、Ｐｉｒｅｓｐａ、Ｐｉｒｆｅｎｅｘ、ピルフェニドン、プリチデプシン、ＰＲＭ１５１、Ｐｘ１０２、ＰＹＮ１７、ＰＹＮ１７を伴うＰＹＮ２２、Ｒｅｌｉｖｅｒｇｅｎ、ｒｈＰＴＸ２融合タンパク質、ＲＸＩ１０９、セクレチン、ＳＴＸ１００、ＴＧＦ−ベータ阻害剤、形質転換成長因子、ベータ受容体２オリゴヌクレオチド、ＶＡ９９９２６０、またはＸＶ６１５である。一実施形態では、本明細書に説明される線維症治療薬のうちの１つ以上は、上記もしくは本明細書に列挙される１つ以上の薬剤と、または当該技術分野において既知である他の薬剤と組み合わせられる。
【０１１７】
一実施形態では、糖尿病性黄斑浮腫を治療、予防、及び／または改善する薬物が、本明細書に説明されるデバイス及び方法と共に使用され、眼の脈絡膜上腔に送達される。更なる実施形態では、薬物は、ＡＫＢ９７７８、ベバシラニブナトリウム、Ｃａｎｄ５、コリンフェノフィブラート、Ｃｏｒｔｉｊｅｃｔ、ｃ−ｒａｆ２−メトキシエチルホスホロチオエートオリゴヌクレオチド、ＤＥ１０９、デキサメタゾン、ＤＮＡ損傷誘発性転写物４オリゴヌクレオチド、ＦＯＶ２３０４、ｉＣｏ００７、ＫＨ９０２、ＭＰ０１１２、ＮＣＸ４３４、Ｏｐｔｉｎａ、Ｏｚｕｒｄｅｘ、ＰＦ４５２３６５５、ＳＡＲ１１１８、シロリムス、ＳＫ０５０３、またはＴｒｉＬｉｐｉｘである。一実施形態では、上記に説明される糖尿病性黄斑浮腫治療薬のうちの１つ以上は、上記もしくは本明細書に列挙される１つ以上の薬剤と、または当該技術分野において既知である他の薬剤と組み合わせられる。
【０１１８】
一実施形態では、黄斑浮腫を治療、予防、及び／または改善する薬物が、本明細書に説明されるデバイス及び方法と共に使用され、眼の脈絡膜上腔に送達される。更なる実施形態では、薬物は、デヌホソル四ナトリウム、デキサメタゾン、エカランチド、ペガプタニブナトリウム、ラニビズマブ、またはトリアムシノロンである。それに加えて、上記に列挙されるような黄斑浮腫を治療、予防、及び／または改善する、本明細書に開示されるマイクロ針デバイス及び方法を使用して眼組織に送達される薬物は、上記もしくは本明細書に列挙される１つ以上の薬剤と、または当該技術分野において既知である他の薬剤と組み合わせられてもよい。
【０１１９】
一実施形態では、高眼圧症を治療、予防、及び／または改善する薬物が、本明細書に説明されるデバイス及び方法と共に使用され、眼の脈絡膜上腔に送達される。更なる実施形態では、薬物は、２−ＭｅＳ−ベータガンマ−ＣＣｌ２−ＡＴＰ、Ａｃｅｔａ  Ｄｉａｚｏｌ、アセタゾールアミド、Ａｒｉｓｔｏｍｏｌ、Ａｒｔｅｏｐｔｉｃ、ＡＺＤ４０１７、Ｂｅｔａｌｍｉｃ、ベタキソロール塩酸塩、Ｂｅｔｉｍｏｌ、Ｂｅｔｏｐｔｉｃ  Ｓ、Ｂｒｉｍｏｄｉｎ、Ｂｒｉｍｏｎａｌ、ブリモニジン、ブリモニジン酒石酸塩、Ｂｒｉｎｉｄｉｎ、Ｃａｌｔｅ、カルテオロール塩酸塩、Ｃｏｓｏｐｔ、ＣＳ０８８、ＤＥ０９２、ＤＥ１０４、ＤＥ１１１、ドルゾラミド、ドルゾラミド塩酸塩、マレイン酸チモロールを伴うドルゾラミド塩酸塩、Ｄｒｏｐｔｉｍｏｌ、Ｆｏｒｔｉｎｏｌ、Ｇｌａｕｍｏｌ、Ｈｙｐａｄｉｌ、Ｉｓｍｏｔｉｃ、イソプロピルウノプロストン、イソソルビド、Ｌａｔａｌｕｘ、ラタノプロスト、マレイン酸チモロールを伴うラタノプロスト、レボブノロール塩酸塩、Ｌｏｔｅｎｓｉｎ、Ｍａｎｎｉｇｅｎ、マンニトール、メチプラノロール、ミフェプリストン、Ｍｉｋｅｌａｎ、Ｍｉｎｉｍｓ  Ｍｅｔｉｐｒａｎｏｌｏｌ、Ｍｉｒｏｌ、ニプラジロール、Ｎｏｒ  Ｔｅｎｚ、Ｏｃｕｐｒｅｓｓ、オルメサルタン、Ｏｐｈｔａｌｏｌ、硝酸ピロカルピン、Ｐｉｏｂａｊ、Ｒｅｓｃｕｌａ、ＲＵ４８６、Ｒｙｓｍｏｎ  ＴＧ、ＳＡＤ４４８、Ｓａｆｌｕｔａｎ、Ｓｈｅｍｏｌ、Ｔａｆｌｏｔａｎ、タフルプロスト、チモロールを伴うタフルプロスト、Ｔｈｉａｂｏｏｔ、Ｔｉｍｏｃｏｍｏｄ、チモロール、Ｔｉｍｏｌｏｌ  Ａｃｔａｖｉｓ、チモロール半水化物、マレイン酸チモロール、Ｔｒａｖａｓｔ、トラボプロスト、Ｕｎｉｌａｔ、Ｘａｌａｃｏｍ、Ｘａｌａｔａｎ、またはＺｏｍｉｌｏｌである。それに加えて、上記に列挙されるような高眼圧症を治療、予防、及び／または改善する、本明細書に開示されるマイクロ針デバイス及び方法を使用して眼組織に送達される薬物は、上記もしくは本明細書に列挙される１つ以上の薬剤と、または当該技術分野において既知である他の薬剤と組み合わせられてもよい。
【０１２０】
特定の実施形態では、１つ以上の薬物が、本明細書に説明されるシステム及びデバイスによって眼組織へ、及び／または脈絡膜上腔内へ送達され得る。本明細書に説明されるマイクロ針デバイスを使用した脈絡膜上腔への１つ以上の薬物の送達は、１つ以上のマイクロ針を使用して達成され得る。それに加えて、１つ以上の薬物の組み合わせが、硝子体内（ＩＶＴ）投与（例えば、硝子体内注入、硝子体内インプラント、または点眼薬）による１つ以上の薬物の送達と組み合わせて、本明細書に説明されるマイクロ針デバイスを使用して脈絡膜上腔に送達されてもよい。ＩＶＴ投与の方法は、当該技術分野において周知である。ＩＶＴによって投与され得る薬物の例としては、限定されるものではないが、Ａ０００３、Ａ０００６、Ａｃｅｄｏｌｏｎｅ、ＡｄＰＥＤＦ、アフリバーセプト、ＡＧ１３９５８、アガニルセン（ａｇａｎｉｒｓｅｎ）、ＡＧＮ２０８３９７、ＡＫＢ９７７８、ＡＬ７８８９８Ａ、アミロイドＰ、血管形成阻害剤遺伝子療法、ＡＲＣ１９０５、Ａｕｒｏｃｏｒｔ、ベバシラニブナトリウム、ブリモニジン、ブリモニジン、ブリモニジン酒石酸塩、ブロムフェナクナトリウム、Ｃａｎｄ５、ＣＥＲＥ１４０、Ｃｉｇａｎｃｌｏｒ、ＣＬＴ００１、ＣＬＴ００３、ＣＬＴ００４、ＣＬＴ００５、補体成分５アプタマー（ペグ化）、補体因子Ｄ抗体、Ｃｏｒｔｉｊｅｃｔ、ｃ−ｒａｆ２−メトキシエチルホスホロチオエートオリゴヌクレオチド、シクロスポリン、トリアムシノロン、ＤＥ１０９、デヌホソル四ナトリウム、デキサメタゾン、リン酸デキサメタゾン、ジシターチド、ＤＮＡ損傷誘発性転写物４オリゴヌクレオチド、Ｅ１００３０、エカランチド、ＥＧ３３０６、Ｅｏｓ０１３、ＥＳＢＡ１００８、ＥＳＢＡ１０５、Ｅｙｌｅａ、ＦＣＦＤ４５１４Ｓ、フルオシノロンアセトニド、ｆｍｓ関連チロシンキナーゼ１オリゴヌクレオチド、ホミビルセンナトリウム、フォスブレタブリントロメタミン、ＦＯＶ２３０１、ＦＯＶ２５０１、ガンシクロビル、ガンシクロビルナトリウム、ＧＳ１０１、ＧＳ１５６、ヒアルロニダーゼ、ＩＢＩ２００８９、ｉＣｏ００７、Ｉｌｕｖｉｅｎ、ＩＮＳ３７２１７、Ｉｓｏｎｅｐ、ＪＳＭ６４２７、Ｋａｌｂｉｔｏｒ、ＫＨ９０２、レルデリムマブ、ＬＦＧ３１６、Ｌｕｃｅｎｔｉｓ、Ｍ２００、Ｍａｃｕｇｅｎ、Ｍａｋｙｕｅｉｄｏ、Ｍｉｃｒｏｐｌａｓｍｉｎ、ＭＫ０１４０、ＭＰ０１１２、ＮＣＸ４３４、神経栄養因子４遺伝子、ＯＣ１０Ｘ、オクリプラスミン、ＯＲＡ１０２、Ｏｚｕｒｄｅｘ、Ｐ１４４、Ｐ１７、Ｐａｌｏｍｉｄ５２９、パゾパニブ塩酸塩、ペガプタニブナトリウム、プラズマカリクレイン阻害剤、血小板由来成長因子ベータポリペプチドアプタマー（ペグ化）、ＰＯＴ４、ＰＲＭ１６７、ＰＲＳ０５５、ＱＰＩ１００７、ラニビズマブ、レスベラトロール、Ｒｅｔｉｌｏｎｅ、網膜色素上皮特異タンパク質６５ｋＤａ遺伝子、Ｒｅｔｉｓｅｒｔ、桿体由来錐体生存因子、ＲＰＥ６５遺伝子療法、ＲＰＧＲ遺伝子療法、ＲＴＰ８０１、Ｓｄ−ｒｘＲＮＡ、セルピンペプチダーゼ阻害剤、クレードＦメンバー１遺伝子、Ｓｉｒｎａ０２７、シロリムス、ソネプシズマブ、ＳＲＴ５０１、ＳＴＰ６０１、ＴＧ１００９４８、Ｔｒａｂｉｏ、トリアムシノロン、トリアムシノロンアセトニド、Ｔｒｉｖａｒｉｓ、腫瘍壊死因子抗体、ＶＥＧＦ／ｒＧｅｌ−Ｏｐ、ベルテポルフィン、Ｖｉｓｕｄｙｎｅ、Ｖｉｔｒａｓｅ、Ｖｉｔｒａｓｅｒｔ、Ｖｉｔｒａｖｅｎｅ、Ｖｉｔｒｅａｌｓ、ボロシキシマブ、Ｖｏｔｒｉｅｎｔ、ＸＧ１０２、Ｘｉｂｒｏｍ、ＸＶ６１５、及びＺｙｂｒｅｓｔａｔが挙げられる。したがって、本発明の方法は、上記に列挙された薬物のうちの１つ以上を、本明細書に説明されるマイクロ針デバイスを使用して脈絡膜上腔内に投与される１つ以上の本明細書に開示される薬物と組み合わせて、ＩＶＴによって投与することを含む。
【０１２１】
一実施形態では、薬物は、本明細書に説明されるマイクロ針デバイスを介した保管及び送達のために製剤化される。「薬物製剤」は、１つ以上の当該技術分野において既知である薬学的に許容される賦形剤材料を典型的に含む、薬物の製剤である。用語「賦形剤」は、薬物の取り扱い、安定性、分散性、湿潤性、放出動態、及び／または注入を促進することを意図される、製剤の任意の非活性成分を指す。一実施形態では、賦形剤は、水または生理食塩水を含むか、またはそれからなり得る。
【０１２２】
一実施形態では、流体薬物製剤は、微粒子またはナノ粒子を含み、その各々は少なくとも１つの薬物を含み得る。望ましくは、微粒子またはナノ粒子は、眼組織内への薬物の制御放出を提供する。本明細書で使用するとき、用語「微粒子」は、１〜１００μｍ、最も好ましくは１〜２５μｍの数平均径を有するマイクロスフェア、マイクロカプセル、微粒子、及びビーズを包含する。用語「ナノ粒子」は、１〜１０００ｎｍの数平均径を有する粒子である。微粒子は、球形であってもよく、またはなくてもよい。「マイクロカプセル」は、別の材料のコアを取り囲む外側シェルを有する微粒子として定義される。コアは、液体、ゲル、固体、気体、またはこれらの組み合わせであり得る。場合により、マイクロカプセルは、気体のコアを取り囲む外側シェルを有する「マイクロバブル」であってもよく、この場合、薬物は、外側シェルの表面上、外側シェル自体の中、またはコアの中に配置される。マイクロバブルは、診断用の当該技術分野において既知である音響振動に応答してもよく、及び／またはマイクロバブルを破裂させて、そのペイロードを選択される眼組織部位に／中へ放出するために使用され得る。「マイクロスフェア」は、固体スフェアであり得るか、多孔質であり、マトリックス材料もしくはシェル中の孔もしくは隙間によって形成されるスポンジ様または蜂巣構造を含み得るか、またはマトリックス材料もしくはシェル中に複数の別個の隙間を含み得る。微粒子またはナノ粒子は、マトリックス材料を更に含んでもよい。シェルまたはマトリックス材料は、ポリマー、アミノ酸、サッカリド（ｓａｃｃｈａｒｒｉｄｅ）、またはマイクロカプセル化の技術分野において既知である他の材料であってもよい。
【０１２３】
薬物含有微粒子またはナノ粒子は、水性または非水性液体ビヒクル中に懸濁されてもよい。液体ビヒクルは、薬学的に許容される水溶液であってもよく、任意に界面活性剤を更に含んでもよい。薬物自体の微粒子またはナノ粒子は、粒子からの薬物放出の動態を制御することが当該技術分野において既知である、例えば、ポリマー、多糖、界面活性剤などの賦形剤材料を含んでもよい。
【０１２４】
一実施形態では、流体薬物製剤は、強膜内のコラーゲンまたはＧＡＧ繊維を分解するのに有効な薬剤を更に含み、これは眼組織内への薬物の貫通／放出を強化する場合がある。この薬剤は、例えば、ヒアルロニダーゼ、コラゲナーゼ、またはこれらの組み合わせなどの酵素であってもよい。この方法の変形では、酵素は、先行または後続の薬物の輸液とは別々のステップで眼組織に投与される。酵素及び薬物は、同一部位に投与される。
【０１２５】
別の実施形態では、薬物製剤は、投与時に相変化を受けるものである。例えば、液体薬物製剤は、脈絡膜上腔を通じて脈絡膜上腔内に注入されてもよく、そこでそれは次にゲル化し、薬物が制御放出のためにゲルから拡散する。
【０１２６】
本明細書の実施形態及び方法は標的組織への薬剤の送達を説明しているが、本明細書に説明される実施形態は、生検法及び／または標的場所からの物質の除去を促進するように構成され得る。
【０１２７】
眼組織上での使用において実施形態が上記に説明されてきたが、場合により、本明細書に説明される実施形態及び方法は、任意の他の好適な身体組織上で使用され得る。例えば、場合により、調節可能な長さの針の使用は、薬物輸液及び／または静脈からの血液吸引中に標準的静脈切開術と併せて有益であり得る。したがって、実施形態及び方法は眼組織上での使用において具体的に上記に説明されているが、実施形態及び方法は、限定としてではなく単に例として提示されていることが理解されるべきである。
【０１２８】
種々の実施形態が上記に説明されてきたが、それらは、限定としてではなく、単に例として提示されていることが理解されるべきである。上記に説明される方法が特定の順序で発生する特定の事象を示す場合、特定の事象の順序付けは修正されてもよい。それに加えて、事象のうちの特定のものは、可能であれば、並行のプロセスにおいて同時に実施されてもよく、また上記に説明されるように連続して実施されてもよい。
【０１２９】
システム及び方法は脈絡膜上腔内の薬剤の送達を提供するものとして示され、説明されてはいるが、他の実施形態では、本明細書に説明されるシステム及び方法は、角膜、網膜エリア、または硝子体などの眼の任意の部分への任意の好適な治療物質の送達に関して適用可能であり得る。他の実施形態では、本明細書に説明されるシステム、方法、及びデバイスのうちのいずれかが、任意の所望の標的組織（非眼組織を含む）へ任意の好適な治療物質を送達するために使用され得る。
【０１３０】
他の実施形態では、カニューレ、マイクロ針、及び／または方法は、真皮への注入などを含む、任意の好適な身体部分への薬剤の送達のために使用され得る。
【０１３１】
上記に説明される概略図及び／または実施形態が特定の配向または位置に配列された特定の構成要素を示す場合、構成要素の配列は修正されてもよい。同様に、上記に説明される方法及び／または事象が特定の順序で発生する特定の事象及び／または手順を示す場合、特定の事象及び／または手順の順序付けは、修正されてもよい。実施形態が具体的に示され、説明されてきたが、形式及び詳細の種々の変化が行われてもよいことが理解されるであろう。
【０１３２】
種々の実施形態が特定の特長及び／または構成要素の組み合わせを有するものとして説明されてきたが、上述の実施形態のうちのいずれかからの任意の特徴及び／または構成要素の組み合わせを有する他の実施形態が可能である。
【図１】
2017524419.tif 000003
【図２】
2017524419.tif 000004
【図３】
2017524419.tif 000005
【図４】
2017524419.tif 000006
【図５】
2017524419.tif 000007
【図６】
2017524419.tif 000008
【図７】
2017524419.tif 000009
【図８】
2017524419.tif 000010
【図９】
2017524419.tif 000011
【図１０】
2017524419.tif 000012
【図１１Ａ】
2017524419.tif 000013
【図１１Ｂ】
2017524419.tif 000014
【図１１Ｃ】
2017524419.tif 000015
【図１２】
2017524419.tif 000016
【図１３】
2017524419.tif 000017
【図１４】
2017524419.tif 000018
【図１５】
2017524419.tif 000019
【図１６】
2017524419.tif 000020
【図１７】
2017524419.tif 000021
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
薬剤容器の少なくとも一部を受容するように構成されているハウジングと、
ハブであって、前記ハブは、前記ハウジングに連結され、前記ハブは、通路を画定し、前記通路は、前記通路を通る穿刺部材を受容するように構成されており、前記ハブは、遠位端表面を有し、前記ハブの前記遠位端表面は、物質が前記穿刺部材を通して運搬されるとき、標的組織の標的表面と接触するように構成されている、ハブと、
作動ロッドであって、前記作動ロッドは、前記薬剤容器に連結されるように構成されており、前記作動ロッドおよび前記穿刺部材は、（１）前記穿刺部材の遠位端部分が前記標的組織の第１の領域内に配置されているとき、前記作動ロッドに対する力に応答して、前記作動ロッドの遠位端部分が前記薬剤容器内を移動し、前記ハブの前記遠位端表面から遠位に延在する前記穿刺部材の長さが増大し、（２）前記穿刺部材の前記遠位端部分が前記標的組織の第２の領域内に配置されているとき、前記作動ロッドに対する前記力に応答した前記ハブの前記遠位端表面に対する前記穿刺部材の移動が制限されるように、集合的に構成されており、前記力は、閾値未満の大きさを有する、作動ロッドと
を備える、装置。
【請求項２】
前記作動ロッドおよび前記穿刺部材は、前記穿刺部材の前記遠位端部分が前記標的組織の前記第１の領域内に配置されておりかつ前記ハブの前記遠位端表面が前記標的組織の前記標的表面と接触しているとき、前記作動ロッドに対する前記力に応答して、前記ハブの前記遠位端表面から遠位に延在する前記穿刺部材の前記長さが増大するように、集合的に構成されている、請求項１に記載の装置。
【請求項３】
前記閾値は、約６Ｎである、請求項１に記載の装置。
【請求項４】
前記力は、約０．５Ｎと約２Ｎとの間である、請求項１に記載の装置。
【請求項５】
前記標的組織は、眼であり、前記標的表面は、前記眼の結膜または前記眼の強膜のうちのいずれか１つであり、
前記第１の領域は、脈絡膜上腔、前記強膜の下部、前記眼の脈絡膜、前記眼の網膜下腔、または、前記眼の網膜のうちの少なくとも１つを含み、
前記第２の領域は、前記眼の前記強膜の上部である、請求項１に記載の装置。
【請求項６】
前記力は、前記穿刺部材の前記遠位端部分が前記標的組織の前記第１の領域内に配置されているとき、前記物質を前記薬剤容器から前記穿刺部材を介して前記標的組織内へ運搬するのに不十分である、請求項１に記載の装置。
【請求項７】
前記物質は、前記穿刺部材の前記遠位端部分が前記標的組織の前記第２の領域内に配置されているとき、前記作動ロッドに対する前記力に応答して、前記穿刺部材を通して運搬される、請求項１に記載の装置。
【請求項８】
前記穿刺部材は、前記穿刺部材が前記標的表面に対して移動させられるときに前記ハブが前記穿刺部材と一緒に移動するように、前記ハブに固定して連結される、請求項１に記載の装置。
【請求項９】
前記穿刺部材の中心線は、前記ハブに接する表面線に実質的に垂直である、請求項１に記載の装置。
【請求項１０】
前記ハブの前記遠位端表面が前記標的表面に接触しており、かつ、前記作動ロッドが前記薬剤容器に連結されている状態で、
前記作動ロッドに対する前記力は、前記穿刺部材の前記遠位端部分が前記標的組織の前記第１の領域内から前記標的組織の前記第２の領域へ移動させられるように、前記ハブの前記遠位端表面から遠位に延在する前記穿刺部材の前記長さを増大させる、請求項１に記載の装置。
【請求項１１】
前記力は、前記穿刺部材の前記遠位端部分が前記第１の領域から前記第２の領域へ移動するとき、前記ハブの前記遠位端表面に対する前記穿刺部材の移動が低減されかつ前記物質が前記標的組織内へ運搬されるように、前記第２の領域の背圧を克服するのに十分である、請求項１に記載の装置。
【請求項１２】
前記物質を含む前記薬剤容器であって、前記物質は、ＶＥＧＦ、ＶＥＧＦ阻害剤、ＰＤＧＦＲ阻害剤、またはこれらの組み合わせのうちの少なくとも１つである、前記薬剤容器
をさらに備える、請求項１に記載の装置。
【請求項１３】
前記ハブの前記遠位端表面は、前記標的表面との実質的な流体密封の封止を画定するように構成されている封止部分を含み、前記封止部分は、前記穿刺部材の中心線に関して対称である、請求項１に記載の装置。
【請求項１４】
前記薬剤容器に動作可能に連結されている圧縮可能部材であって、前記穿刺部材の少なくとも一部は、前記圧縮可能部材によって画定される通路内に配置される、圧縮可能部材
をさらに備える、請求項１に記載の装置。
【請求項１５】
前記圧縮可能部材は、前記ハブの前記遠位端表面から遠位に延在する前記長さが前記力に応答して約１２００μｍを超えて増大できないように構成されており、
前記力は、約０．５Ｎと約２Ｎとの間である、請求項１４に記載の装置。
【請求項１６】
薬剤容器の少なくとも一部を受容するように構成されているハウジングと、
ハブであって、前記ハブは、前記ハウジングに連結され、前記ハブは、通路を画定し、前記通路は、前記通路を通る穿刺部材を受容するように構成されており、前記ハブは、遠位端表面を有し、前記ハブの前記遠位端表面は、標的組織の標的表面と接触するように構成されている、ハブと、
前記薬剤容器に動作可能に連結されている圧縮可能部材と、
作動ロッドであって、前記作動ロッドは、前記薬剤容器に連結されるように構成されており、前記作動ロッド、前記圧縮可能部材、および前記穿刺部材は、（１）前記穿刺部材の遠位端部分が前記標的組織の第１の領域内に配置されているとき、前記作動ロッドに対する力に応答して、前記作動ロッドの遠位端部分が前記薬剤容器内を移動し、前記ハブの前記遠位端表面から遠位に延在する前記穿刺部材の長さが増大し、（２）前記穿刺部材の前記遠位端部分が前記標的組織の第２の領域内に配置されているとき、前記作動ロッドに対する前記力に応答した前記ハブの前記遠位端表面に対する前記穿刺部材の移動が制限されるように、集合的に構成されており、前記力は、閾値未満の大きさを有する、作動ロッドと
を備える、装置。
【請求項１７】
前記作動ロッド、前記圧縮可能部材、および前記穿刺部材は、前記穿刺部材の前記遠位端部分が前記標的組織の前記第１の領域内に配置されておりかつ前記ハブの前記遠位端表面が前記標的組織の前記標的表面と接触しているとき、前記作動ロッドに対する前記力に応答して、前記ハブの前記遠位端表面から遠位に延在する前記穿刺部材の前記長さが増大するように、集合的に構成されている、請求項１６に記載の装置。
【請求項１８】
前記閾値は、約６Ｎである、請求項１６に記載の装置。
【請求項１９】
前記力は、約０．５Ｎと約２Ｎとの間である、請求項１６に記載の装置。
【請求項２０】
前記標的組織は、眼であり、前記標的表面は、前記眼の結膜または前記眼の強膜のうちのいずれか１つであり、
前記第１の領域は、脈絡膜上腔、前記強膜の下部、前記眼の脈絡膜、前記眼の網膜下腔、または、前記眼の網膜のうちの少なくとも１つを含み、
前記第２の領域は、前記眼の前記強膜の上部である、請求項１６に記載の装置。
【請求項２１】
前記力は、前記穿刺部材の前記遠位端部分が前記標的組織の前記第１の領域内に配置されているとき、前記物質を前記薬剤容器から前記穿刺部材を介して前記標的組織内へ運搬するのに不十分である、請求項１６に記載の装置。
【請求項２２】
前記物質は、前記穿刺部材の前記遠位端部分が前記標的組織の前記第１の領域内に配置されておりかつ前記作動ロッドが前記薬剤容器に連結されているとき、前記作動ロッドに対する前記力に応答して、前記穿刺部材を通して運搬される、請求項１６に記載の装置。
【請求項２３】
前記穿刺部材は、前記穿刺部材が前記標的表面に対して移動させられるときに前記ハブが前記穿刺部材と一緒に移動するように、前記ハブに固定して連結される、請求項１６に記載の装置。
【請求項２４】
前記穿刺部材の中心線は、前記ハブに接する表面線に実質的に垂直である、請求項１６に記載の装置。
【請求項２５】
前記ハブの前記遠位端表面が前記標的表面に接触しており、かつ、前記作動ロッドが前記薬剤容器に連結されている状態で、
前記作動ロッドに対する前記力は、前記穿刺部材の前記遠位端部分が前記標的組織の前記第１の領域内から前記標的組織の前記第２の領域へ移動させられるように、前記ハブの前記遠位端表面から遠位に延在する前記穿刺部材の前記長さを増大させる、請求項１６に記載の装置。
【請求項２６】
前記力は、前記穿刺部材の前記遠位端部分が前記第１の領域から前記第２の領域へ移動するとき、前記ハブの前記遠位端表面に対する前記穿刺部材の移動が低減されかつ前記物質が前記標的組織内へ運搬されるように、前記第２の領域の背圧を克服するのに十分である、請求項１６に記載の装置。
【請求項２７】
前記物質を含む前記薬剤容器であって、前記物質は、ＶＥＧＦ、ＶＥＧＦ阻害剤、ＰＤＧＦＲ阻害剤、またはこれらの組み合わせのうちの少なくとも１つである、前記薬剤容器
をさらに備える、請求項１６に記載の装置。
【請求項２８】
前記ハブの前記遠位端表面は、前記標的表面との実質的な流体密封の封止を画定するように構成されている封止部分を含み、前記封止部分は、前記穿刺部材の中心線に関して対称である、請求項１６に記載の装置。
【請求項２９】
前記穿刺部材の少なくとも一部は、前記圧縮可能部材によって画定される通路内に配置される、請求項１６に記載の装置。
【請求項３０】
前記圧縮可能部材は、前記ハブの前記遠位端表面から遠位に延在する前記長さが前記力に応答して約１２００μｍを超えて増大できないように構成されており、
前記力は、約０．５Ｎと約２Ｎとの間である、請求項１６に記載の装置。
【手続補正２】
【補正対象書類名】明細書
【補正対象項目名】００１１
【補正方法】変更
【補正の内容】
【００１１】
いくつかの実施形態では、装置はマイクロ針を含んでおり、このマイクロ針はそれを通るルーメンを画定する。マイクロ針は、近位端部分、遠位端部分、及び近位端部分と遠位端部分との間のハブ部分を有する。近位端部分は、例えば、シリンジなどの薬剤容器に連結されるように構成される。近位端部分内のルーメンの部分は、第１の径を有する。遠位端部分は、標的組織を穿孔するように構成される。遠位端部分内のルーメンの部分は、第１の径よりも小さい第２の径を有する。ハブ部分は、遠位端部分が標的組織と共に配置されたときに標的組織と接触するように構成された表面を含む。
本発明は、例えば、以下を提供する。
（項目１）
薬剤容器に連結されるように構成されたハブであって、通路を画定し、かつ標的組織の標的表面と接触するように構成された遠位端表面を有する、ハブと、
前記ハブの前記通路内に連結された穿刺部材であって、前記穿刺部材は、前記ハブが前記薬剤容器に連結されたときに、前記薬剤容器と流体連通する、それを通るルーメンを画定し、前記穿刺部材の遠位端部分は、前記ハブの前記遠位端表面から遠位に延在し、前記穿刺部材の近位端部分は、第１の内径を画定し、前記穿刺部材の前記遠位端部分は、第２の内径を画定し、前記第２の径は、前記第１の径よりも小さい、穿刺部材と、を備える、装置。
（項目２）
前記標的組織は、眼であり、前記標的表面は、前記眼の結膜または前記眼の強膜のうちのいずれか１つである、項目１に記載の装置。
（項目３）
前記ハブの前記遠位端表面は、前記標的表面と実質的に流体密封の封止を画定するように構成された封止部分であって、前記穿刺部材の中心線を取り囲む、封止部分を含む、項目１に記載の装置。
（項目４）
前記穿刺部材は、マイクロ針であり、前記ハブの前記遠位端表面から遠位に延在する前記マイクロ針の前記遠位端部分の長さは、約２００ミクロン〜約１５００ミクロンである、項目１に記載の装置。
（項目５）
前記穿刺部材は、マイクロ針であり、前記第２の内径は、３０ゲージ以下であり、前記マイクロ針の前記遠位端部分は、傾斜した表面を含む、項目１に記載の装置。
（項目６）
前記ハブに連結された前記薬剤容器であって、ＶＥＧＦ、ＶＥＧＦ阻害剤、またはこれらの組み合わせのうちの少なくとも１つを収容する、薬剤容器を更に備える、項目１に記載の装置。
（項目７）
前記穿刺部材は、マイクロ針であり、前記装置は、
前記ハブに連結された前記薬剤容器であって、前記薬剤容器は、少なくとも約１００センチポアズの粘度を有する薬剤を収容し、前記薬剤容器は、その中に配置された作動ロッドを含み、それにより前記薬剤容器内での前記作動ロッドの移動が、前記マイクロ針の前記ルーメンを通して前記薬剤を運搬する、前記薬剤容器を更に備え、
前記第２の内径は、３０ゲージ以下であり、前記マイクロ針の前記遠位端部分の長さは、約６Ｎ未満の力が前記作動ロッド上にかけられたときに、前記薬剤が前記ルーメンを通じて運搬されるようなものである、項目１に記載の装置。
（項目８）
前記薬剤は、少なくとも約１０００センチポアズの粘度を有する、項目７に記載の装置。
（項目９）
少なくとも約１００センチポアズの粘度を有する薬剤を収容する薬剤容器であって、その中に配置された作動ロッドを含む、薬剤容器と、
前記薬剤容器に連結されるように構成されたハブであって、通路を画定し、かつ標的組織の標的表面と接触するように構成された遠位端表面を有する、ハブと、
前記ハブの前記通路内に連結されたマイクロ針であって、前記マイクロ針は、前記ハブが前記薬剤容器に連結されたときに前記薬剤容器と流体連通するルーメンを画定し、前記マイクロ針の遠位端部分は、前記ハブの前記遠位端表面から遠位に延在し、前記マイクロ針の前記遠位端部分は、３０ゲージ以下である内径を画定し、前記マイクロ針の前記遠位端部分の長さは、約６Ｎ未満の力が前記作動ロッド上にかけられたときに、前記薬剤が前記ルーメンを通じて運搬されるようなものである、マイクロ針と、を備える、装置。
（項目１０）
前記マイクロ針の前記遠位端部分の前記長さは、前記マイクロ針の全体の長さよりも短い、項目９に記載の装置。
（項目１１）
前記マイクロ針の前記遠位端部分の前記長さは、約２００ミクロン〜約１５００ミクロンである、項目９に記載の装置。
（項目１２）
前記標的組織は、眼であり、前記標的表面は、前記眼の結膜または前記眼の強膜のうちのいずれか１つである、項目９に記載の装置。
（項目１３）
前記薬剤は、少なくとも約１０００センチポアズの粘度を有する、項目９に記載の装置。
（項目１４）
薬剤を収容する薬剤容器であって、前記薬剤容器は、その中に配置された弾性部材を含み、それにより前記弾性部材の移動が、前記薬剤容器内で前記薬剤を運搬する、薬剤容器と、
前記薬剤容器に連結されるように構成されたハブと、
前記ハブを介して前記薬剤容器に連結されるように構成された針であって、前記針は、前記薬剤容器と流体連通するルーメンを画定し、前記針の遠位端部分は、３０ゲージ以下である内径を画定し、前記針の前記遠位端部分の長さは、約２００ミクロン〜約１５００ミクロンであり、前記針の近位端部分は、２７ゲージ以上である内径を画定し、前記針は、前記近位端部分と前記遠位端部分との間の遷移部分を含み、前記遷移部分の外側表面は、注入事象中に標的組織の標的表面と接触するように構成される、針と、を備える、装置。
（項目１５）
前記遷移部分の前記外側表面は、円錐形状を有する、項目１４に記載の装置。
（項目１６）
前記遷移部分の前記外側表面は、湾曲した凸形状を有する、項目１４に記載の装置。
（項目１７）
前記針は、モノリシックに構築され、
前記遷移部分の前記外側表面は、湾曲した凸形状を有し、
前記遷移部分を超えて延在する前記針の前記遠位端部分の長さは、約２００ミクロン〜約１５００ミクロンである、項目１４に記載の装置。
（項目１８）
前記針は、モノリシックに構築され、
前記遷移部分の前記外側表面は、湾曲した凸形状を有し、前記外側表面は、前記標的組織の前記標的表面と封止を形成するように構成される、項目１４に記載の装置。
（項目１９）
前記薬剤は、少なくとも約１００ポアズの粘度を有し、
前記針は、約６Ｎ未満の力が前記弾性部材上にかけられたときに、前記薬剤が前記ルーメンを通じて運搬されるように構成される、項目１４に記載の装置。
（項目２０）
前記弾性部材と接触する作動装置ロッドであって、前記力を受けて前記弾性部材を移動させるように構成される、作動装置ロッドを更に備える、項目１９に記載の装置。
（項目２１）
薬剤容器アセンブリと、
薬剤容器アセンブリと流体連通する針と、
前記薬剤容器アセンブリの遠位端部分に動作可能に連結されるように構成されたハブであって、第１の通路を画定し、かつ標的組織の標的表面と接触するように構成された遠位端表面を有する、ハブと、
前記ハブと前記薬剤容器アセンブリの前記遠位端部分との間に配置された圧縮可能部材であって、前記圧縮可能部材は、第２の通路を画定し、前記第１の通路及び前記第２の通路は、それを通して前記針の少なくとも一部分を受容するように整列され、前記圧縮可能部材は、前記薬剤容器アセンブリ上にかけられる力に応答して、前記圧縮可能部材の厚さが第１の厚さから第２の厚さに低減するように圧縮されるように構成される、圧縮可能部材と、を備える、装置。
（項目２２）
前記針の遠位端部分は、前記圧縮可能部材が圧縮されたときに、前記ハブの前記遠位端表面から遠位に延在する、項目２１に記載の装置。
（項目２３）
前記針の遠位端部分は、前記圧縮可能部材が前記第１の厚さを有するときに、前記ハブの前記遠位端表面から第１の長さだけ遠位に延在し、前記針の前記遠位端部分は、前記圧縮可能部材が前記第２の厚さを有するときに、前記ハブの前記遠位端表面から第２の長さだけ遠位に延在する、項目２１に記載の装置。
（項目２４）
前記第２の長さは、約２００ミクロン〜約１５００ミクロンである、項目２３に記載の装置。
（項目２５）
前記ハブまたは前記薬剤容器アセンブリのうちの少なくとも１つは、前記薬剤容器アセンブリ上に前記力がかけられたときに、前記圧縮可能部材の圧縮を制限するように構成された停止機構を含む、項目２１に記載の装置。
（項目２６）
前記標的組織は、眼であり、前記標的表面は、前記眼の結膜または前記眼の強膜のうちのいずれか１つである、項目２１に記載の装置。
（項目２７）
前記ハブの前記遠位端表面は、前記標的表面と実質的に流体密封の封止を画定するように構成された封止部分であって、前記穿刺部材の中心線を取り囲む、封止部分を含む、項目２１に記載の装置。
（項目２８）
前記圧縮可能部材は、ゴム、シリコーン、ヒドロゲル、ゾルゲル、発泡体、スポンジ、またはエアロゲルのうちの少なくとも１つから構築される、項目２１に記載の装置。
（項目２９）
前記圧縮可能部材は、ばねを含む、項目２１に記載の装置。
（項目３０）
前記力は、約６Ｎ未満であり、
前記圧縮可能部材は、前記力に応答して前記第１の厚さから前記第２の厚さに約３００ミクロンだけ圧縮されるように構成される、項目２１に記載の装置。
【国際調査報告】
2017524419.tif 000022
2017524419.tif 000023
2017524419.tif 000024